(57)【要約】  本願発明の複数の実施形態によって、ビデオデータ伝送方法及び関連デバイスが開示される。当該方法は、基地局が、選択装置により送信される、選択結果についての情報と測定構成情報とを受信する場合、基地局により、選択結果に従って、現在の基地局が一次基地局であると判断する段階と、基地局により、測定構成情報を用いてチャネル品質情報を取得する段階と、基地局により、チャネル品質情報と、伝送変換装置から取得したビデオサービス情報とに従って、決定情報を生成し、伝送変換装置に決定情報を送信する段階であって、これにより、伝送変換装置は、決定情報に従って、ユニキャストサービスネットワーク要素にビデオデータのユニキャスト伝送を実行するよう命令する、及び／又は、決定情報に従って、マルチキャストサービスネットワーク要素にビデオデータのマルチキャスト伝送を実行するよう命令する、段階とを備え得る。本願発明によれば、ＤＡＳＨサービスのユニキャスト及びマルチキャストのハイブリッド伝送が実行され得る。これにより、ネットワーク帯域幅などの無線リソースがより良く用いられることができ、ユーザがより高いビデオ品質を得ることができる。
2017513287.tif 000002
【特許請求の範囲】
【請求項１】
基地局であって、
選択結果についての情報と、ユーザ装置にチャネル品質試験を実行するよう命令するのに用いられる測定構成情報とを受信する場合、前記選択結果に従って、現在の前記基地局が一次基地局であると判断するよう構成される判断モジュールであって、前記選択結果についての前記情報及び前記測定構成情報は、選択装置により送信され、前記選択結果は、前記選択装置により選択される一次基地局と二次基地局とについての情報を含む、判断モジュールと、
現在の前記基地局に接続されるユーザ装置と二次基地局とに、前記測定構成情報を送信し、前記測定構成情報に従って、現在の前記基地局に接続される前記ユーザ装置と前記二次基地局とによりフィードバックされる、前記二次基地局に接続されるユーザ装置のチャネル品質情報を受信するよう構成される測定情報送受信モジュールと、
前記チャネル品質情報と、伝送変換装置から取得したビデオサービス情報とに従って、決定情報を生成し、前記伝送変換装置に前記決定情報を送信するよう構成される決定モジュールであって、これにより、前記伝送変換装置は、前記決定情報に従って、ユニキャストサービスネットワーク要素に、ビデオデータのユニキャスト伝送を実行するよう命令し、及び／又は、前記決定情報に従って、マルチキャストサービスネットワーク要素に、ビデオデータのマルチキャスト伝送を実行するよう命令し、前記決定情報は、前記ビデオデータの伝送モード及び伝送ビットレートを含む、決定モジュールと
を備える
基地局。
【請求項２】
予め設定されたＩＰネットワークベースインタフェースを用いて前記伝送変換装置から前記ビデオサービス情報を取得するよう構成されるビデオ情報取得モジュール
をさらに備え、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、前記ＩＰネットワークベースインタフェースは、前記基地局と前記伝送変換装置とを接続するよう構成されるインタフェースである、
請求項１に記載の基地局。
【請求項３】
前記二次基地局に接続される前記ユーザ装置の前記チャネル品質情報は、前記二次基地局に接続される前記ユーザ装置により、前記二次基地局により送信される前記測定構成情報に従って、測定を実行することによって得られる、
請求項１又は２に記載の基地局。
【請求項４】
前記決定モジュールは、
前記チャネル品質情報と前記伝送変換装置から取得した前記ビデオサービス情報とに従って、前記ビデオデータの前記伝送モードを選択するよう構成される伝送モード選択ユニットと、
前記チャネル品質情報と前記伝送変換装置から取得した前記ビデオサービス情報とに従って、前記ビデオデータの前記伝送ビットレートを選択するよう構成される伝送ビットレート選択ユニットと、
前記ビデオデータの前記伝送モードと前記ビデオデータの前記伝送ビットレートとを含む前記決定情報を前記伝送変換装置に送信するよう構成される決定送信ユニットと
を有する、
請求項３に記載の基地局。
【請求項５】
前記伝送モード選択ユニットは、
前記ビデオサービス情報に含まれる前記ビデオビットレートクラス情報から、前記チャネル品質情報に従って、前記ビデオデータが前記ユニキャスト伝送及び前記マルチキャスト伝送の両方を満たすことができる最小ビットレートを参照ビットレートとして選択するよう構成される参照ビットレート選択サブユニットと、
ユニキャスト伝送モードにおいて前記参照ビットレートで消費される第１の総リソースを計算し、マルチキャスト伝送モードにおいて前記参照ビットレートで消費される第２の総リソースを計算するよう構成される消費リソース計算サブユニットと、
前記第１の総リソースを前記第２の総リソースと比較することによって、最小総リソースが消費される伝送モードを前記ビデオデータの前記伝送モードとして選択するよう構成される伝送モード選択サブユニットと
を含む、
請求項４に記載の基地局。
【請求項６】
前記伝送ビットレート選択ユニットは、
前記チャネル品質情報と前記ビデオサービス情報に含まれる前記ビデオビットレートクラス情報とに従って、選択された前記伝送モードにおける各ビデオデータの単位消費リソースであって前記ビデオビットレートクラス情報の各ビットレートに対応する単位消費リソースを別々に計算するよう構成される単位消費計算サブユニットであって、前記単位消費リソースは、各タイムスロットにおいて消費されるリソースである、単位消費計算サブユニットと、
各ビットレートでの各ビデオデータのピーク信号対雑音比の、対応する単位消費リソースに対する計算比率を別々に計算するよう構成される比率計算サブユニットと、
前記計算比率に従って、各ビットレートに対応する各ビデオデータのソーティング結果を生成し、前記ソーティング結果を降順にトラバースするよう構成されるソーティング及びトラバーサルサブユニットと、
トラバーサル手順において、予め設定されたリソース条件を満たすことができる最小計算比率を選択するよう構成される比率選択サブユニットと、
前記予め設定されたリソース条件を満たすことができる前記最小計算比率より大きい又はそれに等しい計算比率に対応するビデオデータに従って、各ビデオデータに対応する現在最大伝送ビットレートを別々に選択するよう構成される伝送ビットレート選択サブユニットと
を含み、
各ビデオデータの前記現在最大伝送ビットレートに対応する計算比率が、前記予め設定されたリソース条件を満たすことができる前記最小計算比率より大きい又はそれに等しく、前記予め設定されたリソース条件は、前記マルチキャスト伝送モードにおいて消費されるリソースが第１のサブフレーム数量閾値より少ないこと、及び、前記マルチキャスト伝送モード及び前記ユニキャスト伝送モードにおいて消費される総リソースが第２のサブフレーム数量閾値より少ないことである、
請求項５に記載の基地局。
【請求項７】
前記チャネル品質情報は、前記ユーザ装置により前記ユニキャスト伝送モードにおいて測定される信号対干渉雑音比（ＳＩＮＲ）パラメータと、前記ユーザ装置により前記マルチキャスト伝送モードにおいて測定される信号対干渉雑音比パラメータとを含み、又は、
前記チャネル品質情報は、前記ユーザ装置により前記ユニキャスト伝送モードにおいて測定される信号対干渉雑音比パラメータと、前記マルチキャスト伝送モードにおける現在の前記基地局のチャンネル品質とを含み、ここで、前記マルチキャスト伝送モードにおける現在の前記基地局のユーザ装置カバレッジが、予め設定されたカバレッジ閾値を超える、
請求項４から６の何れか一項に記載の基地局。
【請求項８】
前記ビデオデータの前記伝送ビットレートを更新するよう、測定時間間隔が前記測定構成情報に含まれる測定期間に達する場合、更新されたチャネル品質情報を受信し、前記決定情報を更新するよう構成される更新モジュール
をさらに備える
請求項４から７の何れか一項に記載の基地局。
【請求項９】
前記伝送変換装置に一次基地局識別情報を送信するよう構成される識別情報送信モジュールであって、これにより、前記伝送変換装置は、前記一次基地局識別情報に従って、現在の前記基地局が前記一次基地局であると判断する、識別情報送信モジュール
をさらに備える、
請求項１から８の何れか一項に記載の基地局。
【請求項１０】
伝送変換装置であって、
ユニキャストサービスネットワーク要素のビデオサービス情報を取得するよう構成される取得モジュールと、
基地局に前記ビデオサービス情報を送信するよう構成されるビデオ情報送信モジュールであって、これにより、前記基地局は、前記ビデオサービス情報と取得した各ユーザ装置のチャネル品質情報とに従って、決定情報を生成し、前記基地局は、選択装置により選択される一次基地局である、ビデオ情報送信モジュールと、
前記基地局により送信される前記決定情報を受信し、前記ユニキャストサービスネットワーク要素とマルチキャストサービスネットワーク要素とに前記決定情報を別々に送信するよう構成される決定情報受信モジュールであって、これにより、前記ユニキャストサービスネットワーク要素と前記マルチキャストサービスネットワーク要素とはそれぞれ、ビデオデータのユニキャスト伝送を実行し、ビデオデータのマルチキャスト伝送を実行する、決定情報受信モジュールと
を備える
装置。
【請求項１１】
前記ビデオ情報送信モジュールは、予め設定されたＩＰネットワークベースインタフェースを用いて、前記基地局に前記ビデオサービス情報を送信するよう、具体的に構成され、
前記ビデオ情報送信モジュールにより送信される前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、
前記ＩＰネットワークベースインタフェースは、前記基地局と前記伝送変換装置とを接続するよう構成されるインタフェースである、
請求項１０に記載の装置。
【請求項１２】
前記決定情報は、前記ビデオデータの伝送モードと前記ビデオデータの伝送ビットレートとを含む、
請求項１０又は１１に記載の装置。
【請求項１３】
選択装置であって、
一次基地局と二次基地局とを選択し、選択結果を生成するよう構成される選択結果生成モジュールであって、前記選択結果は、前記一次基地局についての情報と前記二次基地局についての情報とを含む、選択結果生成モジュールと、
前記選択結果と、ユーザ装置にチャネル品質試験を実行するよう命令するのに用いられる測定構成情報とを基地局に送信するよう構成される選択結果送信モジュールであって、これにより、前記基地局は、前記選択結果と前記測定構成情報とに従って、ビデオデータのユニキャスト伝送及び／又はマルチキャスト伝送を実行するのに用いられる決定情報を生成するよう、チャネル品質情報を取得し、前記選択結果を受信する前記基地局は、前記選択結果における前記一次基地局についての前記情報に対応する基地局である、選択結果送信モジュールと
を備える
装置。
【請求項１４】
前記選択結果生成モジュールは、
ネットワークから一の基地局を前記一次基地局としてランダムに選択し、前記ネットワークにおける別の基地局を前記二次基地局として用いるよう構成される第１の選択ユニットと、
ネットワークから最も多いユーザ装置に接続される一の基地局を前記一次基地局として選択し、前記ネットワークにおける別の基地局を前記二次基地局として用いるよう構成される第２の選択ユニットと、又は、
ネットワークから最良のハードウェア性能を提供する一の基地局を前記一次基地局として選択し、前記ネットワークにおける別の基地局を前記二次基地局として用いるよう構成される第３の選択ユニットと
を含む、
請求項１３に記載の装置。
【請求項１５】
ポリシ及び課金ルール機能ネットワーク要素（ＰＣＲＦネットワーク要素）により送信される、現在の前記選択装置に対応するユーザ装置の識別情報とＥ−ＵＴＲＡＮセルグローバル識別子（ＥＣＧＩ）とを受信するよう構成される識別情報受信モジュールと、
前記ユーザ装置の前記識別情報と前記ＥＣＧＩとに従って検索することによって、前記ユーザ装置に対応する基地局を得て、対応する前記基地局に前記ユーザ装置の前記識別情報を送信するよう構成される検索及び送信モジュールであって、前記ユーザ装置の前記識別情報と前記ＥＣＧＩとは、前記ＰＣＲＦネットワーク要素により、ユニキャストサービスネットワーク要素により送信されるユーザ装置ネットワークアドレスに従って検索することによって得られる、検索及び送信モジュールと
をさらに備える
請求項１３又は１４に記載の装置。
【請求項１６】
プロセッサと、通信インタフェースと、メモリとを備える基地局であって、
前記通信インタフェースは、伝送変換装置、選択装置、ユーザ装置、及び二次基地局と通信するよう構成され、
前記メモリは、プログラムを格納するよう構成され、
前記プロセッサは、前記プログラムを実行するよう構成され、これにより、
前記選択装置により送信される、選択結果についての情報と、ユーザ装置にチャネル品質試験を実行するよう命令するのに用いられる測定構成情報とを受信する場合、
前記選択装置により選択される一次基地局と二次基地局とについての情報を含む前記選択結果に従って、現在の前記基地局が一次基地局であると判断することと、
現在の前記基地局に接続されるユーザ装置と二次基地局とに前記測定構成情報を送信し、前記測定構成情報に従って、現在の前記基地局に接続される前記ユーザ装置と前記二次基地局とによりフィードバックされる、前記二次基地局に接続されるユーザ装置のチャネル品質情報を受信することと、
前記チャネル品質情報と、前記伝送変換装置から取得したビデオサービス情報とに従って、決定情報を生成し、前記伝送変換装置に前記決定情報を送信すること
を実行し、
これにより、前記伝送変換装置が、前記決定情報に従って、ユニキャストサービスネットワーク要素にビデオデータのユニキャスト伝送を実行するよう命令し、及び／又は、前記決定情報に従って、マルチキャストサービスネットワーク要素にビデオデータのマルチキャスト伝送を実行するよう命令し、
前記決定情報は、前記ビデオデータの伝送モードと伝送ビットレートとを含む、
基地局。
【請求項１７】
前記プロセッサは、前記伝送変換装置から、予め設定されたＩＰネットワークベースインタフェースを用いて前記ビデオサービス情報を取得するようさらに構成され、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、
前記ＩＰネットワークベースインタフェースは、前記基地局と前記伝送変換装置とを接続するよう構成されるインタフェースである、
請求項１６に記載の基地局。
【請求項１８】
前記二次基地局に接続される前記ユーザ装置の前記チャネル品質情報は、前記二次基地局に接続される前記ユーザ装置により、前記二次基地局により送信される前記測定構成情報に従って測定を実行することによって得られる、
請求項１６又は１７に記載の基地局。
【請求項１９】
前記プロセッサは、
前記チャネル品質情報と前記伝送変換装置から取得した前記ビデオサービス情報とに従って、前記ビデオデータの前記伝送モードを選択し、
前記チャネル品質情報と前記伝送変換装置から取得した前記ビデオサービス情報とに従って、前記ビデオデータの前記伝送ビットレートを選択し、
前記伝送変換装置に、前記ビデオデータの前記伝送モードと前記ビデオデータの前記伝送ビットレートとを含む前記決定情報を送信する
よう具体的に構成される、
請求項１８に記載の基地局。
【請求項２０】
前記プロセッサは、
前記ビデオサービス情報に含まれる前記ビデオビットレートクラス情報から、前記チャネル品質情報に従って、前記ビデオデータが前記ユニキャスト伝送及び前記マルチキャスト伝送の両方を満たすことができる最小ビットレートを参照ビットレートとして選択し、
ユニキャスト伝送モードにおいて前記参照ビットレートで消費される第１の総リソースを計算し、マルチキャスト伝送モードにおいて前記参照ビットレートで消費される第２の総リソースを計算し、
前記第１の総リソースを前記第２の総リソースと比較することによって、最小総リソースが消費される伝送モードを前記ビデオデータの前記伝送モードとして選択する
よう具体的に構成される、
請求項１９に記載の基地局。
【請求項２１】
前記プロセッサは、
前記チャネル品質情報と、前記ビデオサービス情報に含まれる前記ビデオビットレートクラス情報とに従って、選択された前記伝送モードにおける各ビデオデータの単位消費リソースであって前記ビデオビットレートクラス情報の各ビットレートに対応する、各タイムスロットにおいて消費されるリソースである単位消費リソースを別々に計算し、
各ビットレートでの各ビデオデータのピーク信号対雑音比の、対応する単位消費リソースに対する計算比率を別々に計算し、
前記計算比率に従って、各ビットレートに対応する各ビデオデータのソーティング結果を生成し、前記ソーティング結果を降順にトラバースし、
トラバーサル手順において、予め設定されたリソース条件を満たすことができる最小計算比率を選択し、
前記予め設定されたリソース条件を満たすことができる前記最小計算比率より大きい又はそれに等しい計算比率に対応するビデオデータに従って、各ビデオデータに対応する現在最大伝送ビットレートを別々に選択する
よう具体的に構成され、
各ビデオデータの前記現在最大伝送ビットレートに対応する計算比率が、前記予め設定されたリソース条件を満たすことができる前記最小計算比率より大きい又はそれに等しく、前記予め設定されたリソース条件は、前記マルチキャスト伝送モードにおいて消費されるリソースが第１のサブフレーム数量閾値より少ないこと、及び、前記マルチキャスト伝送モード及び前記ユニキャスト伝送モードにおいて消費される総リソースが第２のサブフレーム数量閾値より少ないことである、
請求項２０に記載の基地局。
【請求項２２】
前記チャネル品質情報は、前記ユーザ装置により前記ユニキャスト伝送モードにおいて測定される信号対干渉雑音比（ＳＩＮＲ）パラメータと、前記ユーザ装置により前記マルチキャスト伝送モードにおいて測定される信号対干渉雑音比パラメータとを含み、又は、
前記チャネル品質情報は、前記ユーザ装置により前記ユニキャスト伝送モードにおいて測定される信号対干渉雑音比パラメータと、前記マルチキャスト伝送モードにおける現在の前記基地局のチャンネル品質とを含み、ここで、前記マルチキャスト伝送モードにおける現在の前記基地局のユーザ装置カバレッジが、予め設定されたカバレッジ閾値を超える、
請求項１９から２１の何れか一項に記載の基地局。
【請求項２３】
前記プロセッサは、前記ビデオデータの前記伝送ビットレートを更新するよう、測定時間間隔が前記測定構成情報に含まれる測定期間に達する場合、更新されたチャネル品質情報を受信し、前記決定情報を更新するようさらに構成される、
請求項１９から２２の何れか一項に記載の基地局。
【請求項２４】
前記プロセッサは、前記伝送変換装置に一次基地局識別情報を送信するようさらに構成され、これにより、前記伝送変換装置は、前記一次基地局識別情報に従って、現在の前記基地局が前記一次基地局であると判断する、
請求項１６から２３の何れか一項に記載の基地局。
【請求項２５】
プロセッサと、通信インタフェースと、メモリとを備える伝送変換装置であって
前記通信インタフェースは、基地局、ユニキャストサービスネットワーク要素、及びマルチキャストサービスネットワーク要素と通信するよう構成され、
前記メモリは、プログラムを格納するよう構成され、
前記プロセッサは、前記プログラムを実行するよう構成され、これにより、
前記ユニキャストサービスネットワーク要素のビデオサービス情報を取得することと、
選択装置により選択される一次基地局である前記基地局が、前記ビデオサービス情報と、取得した各ユーザ装置のチャネル品質情報とに従って、決定情報を生成するよう、前記基地局に、前記ビデオサービス情報を送信することと、
前記基地局により送信される前記決定情報を受信し、前記ユニキャストサービスネットワーク要素と前記マルチキャストサービスネットワーク要素とに前記決定情報を別々に送信することと
を実行し、
これにより、前記ユニキャストサービスネットワーク要素と前記マルチキャストサービスネットワーク要素とはそれぞれ、ビデオデータのユニキャスト伝送を実行し、ビデオデータのマルチキャスト伝送を実行する、
装置。
【請求項２６】
前記プロセッサは、
予め設定されたＩＰネットワークベースインタフェースを用いて、前記基地局に前記ビデオサービス情報を送信するよう具体的に構成され、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、前記ＩＰネットワークベースインタフェースは、前記基地局と前記伝送変換装置とを接続するよう構成されるインタフェースである、
請求項２５に記載の装置。
【請求項２７】
前記決定情報は、前記ビデオデータの伝送モードと前記ビデオデータの伝送ビットレートとを含む、
請求項２５又は２６に記載の装置。
【請求項２８】
プロセッサと、通信インタフェースと、メモリとを備える選択装置であって、
前記通信インタフェースは、ＰＣＲＦポリシ及び課金ルール機能ネットワーク要素及び基地局と通信するよう構成され、
前記メモリは、プログラムを格納するよう構成され、
前記プロセッサは、前記プログラムを実行するよう構成され、これにより、
一次基地局と二次基地局とを選択し、前記一次基地局についての情報と前記二次基地局についての情報とを含む選択結果を生成することと、
基地局に、前記選択結果とユーザ装置にチャネル品質試験を実行するよう命令するのに用いられる測定構成情報とを送信することと
を実行し、
これにより、前記基地局は、ビデオデータのユニキャスト伝送及び／又はマルチキャスト伝送を実行するのに用いられる決定情報を生成するよう、前記選択結果と前記測定構成情報とに従って、チャネル品質情報を取得し、
前記選択結果を受信する前記基地局は、選択結果における前記一次基地局についての前記情報に対応する基地局である、
装置。
【請求項２９】
前記プロセッサは、
ネットワークから一の基地局を前記一次基地局としてランダムに選択し、前記ネットワークにおける別の基地局を前記二次基地局として用いる、又は、
ネットワークから、最も多いユーザ装置に接続される一の基地局を前記一次基地局として選択し、前記ネットワークにおける別の基地局を前記二次基地局として用いる、若しくは、
ネットワークから最良のハードウェア性能を提供する一の基地局を前記一次基地局として選択し、前記ネットワークにおける別の基地局を前記二次基地局として用いる
よう具体的に構成される、
請求項２８に記載の装置。
【請求項３０】
前記プロセッサは、
前記ポリシ及び課金ルール機能ネットワーク要素（ＰＣＲＦネットワーク要素）により送信される、現在の前記選択装置に対応するユーザ装置の識別情報とＥ−ＵＴＲＡＮセルグローバル識別子（ＥＣＧＩ）とを受信し、
前記ユーザ装置の前記識別情報と前記ＥＣＧＩとに従って検索することによって前記ユーザ装置に対応する基地局を得て、前記対応する基地局に前記ユーザ装置の前記識別情報を送信する
ようさらに構成され、
前記ユーザ装置の前記識別情報と前記ＥＣＧＩとは、ユニキャストサービスネットワーク要素により送信されるユーザ装置ネットワークアドレスに従って検索することによって、前記ＰＣＲＦネットワーク要素により得られる、
請求項２８又は２９に記載の装置。
【請求項３１】
ビデオデータ伝送方法であって、
選択装置により送信される、選択結果についての情報とユーザ装置にチャネル品質試験を実行するよう命令するのに用いられる測定構成情報とを基地局が受信する場合、
前記基地局により、前記選択装置により選択される一次基地局と二次基地局とについての情報を含む前記選択結果に従って、現在の前記基地局が一次基地局であると判断する段階と、
前記基地局により、現在の前記基地局に接続されるユーザ装置と二次基地局とに前記測定構成情報を送信し、前記測定構成情報に従って、現在の前記基地局に接続される前記ユーザ装置と前記二次基地局とによりフィードバックされる、前記二次基地局に接続されるユーザ装置のチャネル品質情報を受信する段階と、
前記チャネル品質情報と、伝送変換装置から取得したビデオサービス情報とに従って、前記基地局により決定情報を生成し、前記伝送変換装置に前記決定情報を送信する段階であって、これにより、前記伝送変換装置は、前記決定情報に従って、ユニキャストサービスネットワーク要素にビデオデータのユニキャスト伝送を実行するよう命令し、及び／又は、前記決定情報に従って、マルチキャストサービスネットワーク要素にビデオデータのマルチキャスト伝送を実行するよう命令し、前記決定情報は、前記ビデオデータの伝送モードと伝送ビットレートとを含む、段階と
を備える
方法。
【請求項３２】
前記チャネル品質情報と、伝送変換装置から取得したビデオサービス情報とに従って、前記基地局により決定情報を生成し、前記伝送変換装置に前記決定情報を送信する前記段階の前に、前記方法は、
前記基地局により、予め設定されたＩＰネットワークベースインタフェースを用いて、前記伝送変換装置から前記ビデオサービス情報を取得する段階をさらに備え、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、前記ＩＰネットワークベースインタフェースは、前記基地局と前記伝送変換装置とを接続するよう構成されるインタフェースである、
請求項３１に記載の方法。
【請求項３３】
前記二次基地局に接続される前記ユーザ装置の前記チャネル品質情報は、前記二次基地局に接続される前記ユーザ装置により、前記二次基地局により送信される前記測定構成情報に従って測定を実行することによって得られる、
請求項３１又は３２に記載の方法。
【請求項３４】
前記チャネル品質情報と、伝送変換装置から取得したビデオサービス情報とに従って、前記基地局により決定情報を生成し、前記伝送変換装置に前記決定情報を送信する前記段階は、
前記チャネル品質情報と、前記伝送変換装置から取得した前記ビデオサービス情報とに従って、前記基地局により前記ビデオデータの前記伝送モードを選択する段階と、
前記チャネル品質情報と、前記伝送変換装置から取得した前記ビデオサービス情報とに従って、前記基地局により前記ビデオデータの前記伝送ビットレートを選択する段階と、
前記基地局により、前記伝送変換装置に、前記ビデオデータの前記伝送モードと前記ビデオデータの前記伝送ビットレートとを含む前記決定情報を送信する段階と
を含む、
請求項３３に記載の方法。
【請求項３５】
前記チャネル品質情報と、前記伝送変換装置から取得した前記ビデオサービス情報とに従って、前記基地局により前記ビデオデータの前記伝送モードを選択する前記段階は、
前記基地局により、前記ビデオサービス情報に含まれる前記ビデオビットレートクラス情報から、前記チャネル品質情報に従って、前記ビデオデータが前記ユニキャスト伝送及び前記マルチキャスト伝送の両方を満たすことができる最小ビットレートを参照ビットレートとして選択する段階と、
前記基地局により、ユニキャスト伝送モードにおいて前記参照ビットレートで消費される第１の総リソースを計算し、マルチキャスト伝送モードにおいて前記参照ビットレートで消費される第２の総リソースを計算する段階と、
前記基地局により、前記第１の総リソースを前記第２の総リソースと比較することによって、最小総リソースが消費される伝送モードを前記ビデオデータの前記伝送モードとして選択する段階と
を含む、
請求項３４に記載の方法。
【請求項３６】
前記チャネル品質情報と、前記伝送変換装置から取得した前記ビデオサービス情報とに従って、前記基地局により前記ビデオデータの前記伝送ビットレートを選択する前記段階は、
前記基地局により、前記チャネル品質情報と、前記ビデオサービス情報に含まれる前記ビデオビットレートクラス情報とに従って、前記ビデオビットレートクラス情報の各ビットレートに対応する、選択された前記伝送モードの各ビデオデータの単位消費リソースを別々に計算する段階であって、前記単位消費リソースは各タイムスロットにおいて消費されるリソースである、段階と、
前記基地局により、各ビットレートでの各ビデオデータのピーク信号対雑音比の、対応する単位消費リソースに対する計算比率を別々に計算する段階と、
前記基地局により、前記計算比率に従って、各ビットレートに対応する各ビデオデータのソーティング結果を生成し、前記ソーティング結果を降順にトラバースする段階と、
前記基地局により、トラバーサル手順において、予め設定されたリソース条件を満たすことができる最小計算比率を選択する段階と、
前記基地局により、前記予め設定されたリソース条件を満たすことができる前記最小計算比率より大きい又はそれに等しい計算比率に対応するビデオデータに従って、各ビデオデータに対応する現在最大伝送ビットレートを別々に選択する段階と
を含み、
各ビデオデータの前記現在最大伝送ビットレートに対応する計算比率が前記予め設定されたリソース条件を満たすことができる前記最小計算比率より大きい又はそれに等しく、前記予め設定されたリソース条件は、前記マルチキャスト伝送モードにおいて消費されるリソースが第１のサブフレーム数量閾値より少ないこと、及び、前記マルチキャスト伝送モード及び前記ユニキャスト伝送モードにおいて消費される総リソースが第２のサブフレーム数量閾値より少ないことである、
請求項３５に記載の方法。
【請求項３７】
前記チャネル品質情報は、前記ユーザ装置により前記ユニキャスト伝送モードにおいて測定される信号対干渉雑音比（ＳＩＮＲ）パラメータと、前記ユーザ装置により前記マルチキャスト伝送モードにおいて測定される信号対干渉雑音比パラメータとを含み、又は、
前記チャネル品質情報は、前記ユーザ装置により前記ユニキャスト伝送モードにおいて測定される信号対干渉雑音比パラメータと、前記マルチキャスト伝送モードにおける現在の前記基地局のチャンネル品質とを含み、ここで前記マルチキャスト伝送モードにおける現在の前記基地局のユーザ装置カバレッジが、予め設定されたカバレッジ閾値を超える、
請求項３４から３６の何れか一項に記載の方法。
【請求項３８】
前記ビデオデータの前記伝送ビットレートを更新するよう、測定時間間隔が前記測定構成情報に含まれる測定期間に達する場合、前記基地局により、更新されたチャネル品質情報を受信し、前記決定情報を更新する段階
をさらに備える
請求項３４から３７の何れか一項に記載の方法。
【請求項３９】
前記基地局により、前記伝送変換装置に一次基地局識別情報を送信する段階であって、これにより、前記伝送変換装置は、前記一次基地局識別情報に従って、現在の前記基地局が前記一次基地局であると判断する、段階
をさらに備える
請求項３１から３８の何れか一項に記載の方法。
【請求項４０】
ビデオデータ伝送方法であって、
伝送変換装置により、ユニキャストサービスネットワーク要素のビデオサービス情報を取得する段階と、
前記伝送変換装置により、基地局に前記ビデオサービス情報を送信する段階であって、これにより、選択装置により選択される一次基地局である前記基地局は、前記ビデオサービス情報と取得した各ユーザ装置のチャネル品質情報とに従って、決定情報を生成する、段階と、
前記伝送変換装置により、前記基地局により送信される前記決定情報を受信し、前記ユニキャストサービスネットワーク要素とマルチキャストサービスネットワーク要素とに、前記決定情報を別々に送信する段階であって、これにより、前記ユニキャストサービスネットワーク要素と前記マルチキャストサービスネットワーク要素とはそれぞれ、ビデオデータのユニキャスト伝送を実行し、ビデオデータのマルチキャスト伝送を実行する、段階と
を備える
方法。
【請求項４１】
前記伝送変換装置により、基地局に前記ビデオサービス情報を送信する前記段階は、
前記伝送変換装置により、予め設定されたＩＰネットワークベースインタフェースを用いて、前記基地局に前記ビデオサービス情報を送信する段階
を含み、
前記ビデオサービス情報は、前記ユーザ装置により要求される前記ビデオデータのアドレスと、前記ビデオデータの前記アドレスに対応するビデオビットレートクラス情報を含み、前記ビットレートクラス情報は、前記ビデオデータに対応する少なくとも１つのビットレートを含み、前記ＩＰネットワークベースインタフェースは、前記基地局と前記伝送変換装置とを接続するよう構成されるインタフェースである、
請求項４０に記載の方法。
【請求項４２】
前記決定情報は、前記ビデオデータの伝送モードと前記ビデオデータの伝送ビットレートとを含む、
請求項４０又は４１に記載の方法。
【請求項４３】
ビデオデータ伝送方法であって、
選択装置により、一次基地局と二次基地局とを選択し、前記一次基地局についての情報と前記二次基地局についての情報とを含む選択結果を生成する段階と、
前記選択装置により、前記選択結果とユーザ装置にチャネル品質試験を実行するよう命令するのに用いられる測定構成情報とを基地局に送信する段階であって、これにより、前記基地局は、ビデオデータのユニキャスト伝送及び／又はマルチキャスト伝送を実行するのに用いられる決定情報を生成するよう、前記選択結果と前記測定構成情報とに従って、チャネル品質情報を取得する、段階と
を備え、
前記選択結果を受信する前記基地局は、前記選択結果における前記一次基地局についての前記情報に対応する基地局である、
方法。
【請求項４４】
選択装置により、一次基地局と二次基地局とを選択する前記段階は、
ネットワークから一の基地局を前記一次基地局としてランダムに選択し、前記ネットワークにおける別の基地局を前記二次基地局として用いる段階、又は、
ネットワークから、最も多いユーザ装置に接続される一の基地局を前記一次基地局として選択し、前記ネットワークにおける別の基地局を前記二次基地局として用いる段階、若しくは、
ネットワークから、最良のハードウェア性能を提供する一の基地局を前記一次基地局として選択し、前記ネットワークにおける別の基地局を前記二次基地局として用いる段階
を含む、
請求項４３に記載の方法。
【請求項４５】
前記選択装置により、選択規則に従って選択結果を生成する前記段階の前に、前記方法は、
前記選択装置により、ポリシ及び課金ルール機能ネットワーク要素（ＰＣＲＦネットワーク要素）により送信される、現在の前記選択装置に対応するユーザ装置の識別情報とＥ−ＵＴＲＡＮセルグローバル識別子（ＥＣＧＩ）とを受信する段階と、
前記選択装置により、前記ユーザ装置の前記識別情報と前記ＥＣＧＩとに従って検索することによって、前記ユーザ装置に対応する基地局を得て、前記ユーザ装置の前記識別情報を前記対応する基地局に送信する段階と
をさらに備え、
前記ユーザ装置の前記識別情報と前記ＥＣＧＩとは前記ＰＣＲＦネットワーク要素により、ユニキャストサービスネットワーク要素により送信されるユーザ装置ネットワークアドレスに従って検索することによって、得られる、
請求項４３又は４４に記載の方法。
【請求項４６】
コンピュータ記憶媒体であって、
前記コンピュータ記憶媒体は、プログラムを格納してよく、前記プログラムが実行されるとき、請求項３１から３９の何れか一項に記載の段階が含まれる、
コンピュータ記憶媒体。
【請求項４７】
コンピュータ記憶媒体であって、
前記コンピュータ記憶媒体は、プログラムを格納してよく、前記プログラムが実行されるとき、請求項４０から４２の何れか一項に記載の段階が含まれる、
コンピュータ記憶媒体。
【請求項４８】
コンピュータ記憶媒体であって、
前記コンピュータ記憶媒体は、プログラムを格納してよく、前記プログラムが実行されるとき、請求項４３から４５の何れか一項に記載の段階が含まれる、
コンピュータ記憶媒体。
【発明の詳細な説明】
【技術分野】
【０００１】
本願発明は、通信技術の分野に関し、特に、ビデオデータ伝送方法及び関連デバイスに関する。
【背景技術】
【０００２】
従来のＤＡＳＨ（Ｄｙｎａｍｉｃ  Ａｄａｐｔｉｖｅ  Ｓｔｒｅａｍｉｎｇ  ｏｖｅｒ  ＨＴＴＰ、ダイナミック・アダプティブ・ストリーミング・オーバ・エイチ・ティ・ティ・ピー）サービスでは、ＨＴＴＰ（Ｈｙｐｅｒｔｅｘｔ  Ｔｒａｎｓｆｅｒ  Ｐｒｏｔｏｃｏｌ、ハイパーテキスト転送プロトコル）ベースのユニキャスト伝送を用いる。ユニキャストサービスでは、ＤＡＳＨサービスを要求するユーザが少数な場合には良好な効果を提供し、特にチャンネル品質不良なユーザには良好な効果を提供する。
【０００３】
集中エリアにおける多数のユーザが、同じコンテンツを有するビデオサービスを同時に要求し、ＤＡＳＨサービスが用いられてその全てのユーザにビデオコンテンツを伝送する場合、例えば、複数の無線リソースが不十分だったり、複数のユーザに提供されるビデオの品質が劣化したりするなどの問題が発生し得る。従来のＤＡＳＨサービスでは、ユニキャスト伝送しか用いることができない。従って、多数のユーザが同じコンテンツを有するビデオサービスを同時に要求する場合、従来のＤＡＳＨサービスは、ユーザの要求を満たすことができない。
【発明の概要】
【０００４】
本願発明の複数の実施形態では、ビデオデータ伝送方法及び関連デバイスを提供し、これにより、ＤＡＳＨサービスの伝送モードを改善することによって、より多くのユーザの複数の要求を満たす。
【０００５】
本願発明の第１の態様では、基地局を提供し、当該基地局は、選択装置により送信される、選択結果についての情報とユーザ装置にチャネル品質試験を実行するよう命令するのに用いられる測定構成情報とを受信する場合、選択装置により選択される一次基地局と二次基地局とについての情報を含む選択結果に従って、現在の基地局が一次基地局であると判断するよう構成される判断モジュールと、現在の基地局に接続されるユーザ装置と二次基地局とに、測定構成情報を送信し、測定構成情報に従って、現在の基地局に接続されるユーザ装置と二次基地局とによりフィードバックされる、二次基地局に接続されるユーザ装置のチャネル品質情報を受信するよう構成される測定情報送受信モジュールと、チャネル品質情報と、伝送変換装置から取得したビデオサービス情報とに従って、決定情報を生成し、伝送変換装置にその決定情報を送信するよう構成される決定モジュールであって、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令する、決定モジュールとを備え、ここで、決定情報は、ビデオデータの伝送モードと伝送ビットレートとを含む。
【０００６】
第１の可能な実施方式において、当該基地局は、予め設定されたＩＰネットワークベースインタフェースを用いて、伝送変換装置からビデオサービス情報を取得するよう構成されるビデオ情報取得モジュールをさらに備え、ここで、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【０００７】
第１の態様又は第１の態様の第１の可能な実施方式に関連して、第２の可能な実施方式において、二次基地局に接続されるユーザ装置のチャネル品質情報は、二次基地局に接続されるユーザ装置により、二次基地局により送信される測定構成情報に従って、測定を実行することによって得られる。
【０００８】
第１の態様の第２の可能な実施方式に関連して、第３の可能な実施方式において、決定モジュールは、チャネル品質情報と、伝送変換装置から取得したビデオサービス情報とに従って、ビデオデータの伝送モードを選択するよう構成される伝送モード選択ユニットと、チャネル品質情報と、伝送変換装置から取得したビデオサービス情報とに従って、ビデオデータの伝送ビットレートを選択するよう構成される伝送ビットレート選択ユニットと、ビデオデータの伝送モードとビデオデータの伝送ビットレートとを含む決定情報を伝送変換装置に送信するよう構成される決定送信ユニットとを含む。
【０００９】
第１の態様の第３の可能な実施方式に関連して、第４の可能な実施方式において、伝送モード選択ユニットは、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択するよう構成される参照ビットレート選択サブユニットと、ユニキャスト伝送モードにおいて参照ビットレートで消費される第１の総リソースを計算し、マルチキャスト伝送モードにおいて参照ビットレートで消費される第２の総リソースを計算するよう構成される消費リソース計算サブユニットと、第１の総リソースを第２の総リソースと比較することによって、最小総リソースが消費される伝送モードをビデオデータの伝送モードとして選択するよう構成される伝送モード選択サブユニットとを含む。
【００１０】
第１の態様の第４の可能な実施方式に関連して、第５の可能な実施方式において、伝送ビットレート選択ユニットは、チャネル品質情報と、ビデオサービス情報に含まれるビデオビットレートクラス情報とに従って、選択された伝送モードにおける各ビデオデータの単位消費リソースであってビデオビットレートクラス情報の各ビットレートに対応する単位消費リソースを別々に計算するよう構成される単位消費計算サブユニットであって、単位消費リソースは、各タイムスロットにおいて消費されるリソースである、単位消費計算サブユニットと、各ビットレートでの各ビデオデータのピーク信号対雑音比の、対応する単位消費リソースに対する計算比率を別々に計算するよう構成される比率計算サブユニットと、計算比率に従って、各ビットレートに対応する各ビデオデータのソーティング結果を生成し、ソーティング結果を降順にトラバースするよう構成されるソーティング及びトラバーサルサブユニットと、トラバーサル手順において、予め設定されたリソース条件を満たすことができる最小計算比率を選択するよう構成される比率選択サブユニットと、予め設定されたリソース条件を満たすことができる最小計算比率より大きい又はそれに等しい計算比率に対応するビデオデータに従って、各ビデオデータに対応する現在最大伝送ビットレートを別々に選択するよう構成される伝送ビットレート選択サブユニットとを含み、各ビデオデータの現在最大伝送ビットレートに対応する計算比率が、予め設定されたリソース条件を満たすことができる最小計算比率より大きい又はそれに等しく、予め設定されたリソース条件は、マルチキャスト伝送モードにおいて消費されるリソースが第１のサブフレーム数量閾値より少ないこと、及び、マルチキャスト伝送モード及びユニキャスト伝送モードにおいて消費される総リソースが第２のサブフレーム数量閾値より少ないことである。
【００１１】
第１の態様の第３の可能な実施方式、又は第１の態様の第４の可能な実施方式、若しくは第１の態様の第５の可能な実施方式に関連して、第６の可能な実施方式において、チャネル品質情報は、ユーザ装置によりユニキャスト伝送モードにおいて測定される信号対干渉雑音比（ＳＩＮＲ）パラメータと、ユーザ装置によりマルチキャスト伝送モードにおいて測定される信号対干渉雑音比パラメータとを含み、又は、チャネル品質情報は、ユーザ装置によりユニキャスト伝送モードにおいて測定される信号対干渉雑音比パラメータと、マルチキャスト伝送モードにおける現在の基地局のチャンネル品質とを含み、ここで、マルチキャスト伝送モードにおける現在の基地局のユーザ装置カバレッジが、予め設定されたカバレッジ閾値を超える。
【００１２】
第１の態様の第３の可能な実施方式、又は第１の態様の第４の可能な実施方式、若しくは、第１の態様の第５の可能な実施方式、あるいは、第１の態様の第６の可能な実施方式に関連して、第７の可能な実施方式において、基地局は、ビデオデータの伝送ビットレートを更新するよう、測定時間間隔が測定構成情報に含まれる測定期間に達する場合、更新されたチャネル品質情報を受信し、決定情報を更新する構成される更新モジュールをさらに備える。
【００１３】
第１の態様、又は第１の態様の第１の可能な実施方式、若しくは第１の態様の第２の可能な実施方式、あるいは第１の態様の第３の可能な実施方式、又は第１の態様の第４の可能な実施方式、若しくは第１の態様の第５の可能な実施方式、あるいは、第１の態様の第６の可能な実施方式、又は第１の態様の第７の可能な実施方式に関連して、第８の可能な実施方式において、一次基地局識別情報を伝送変換装置に送信するよう構成される識別情報送信モジュールであって、これにより、伝送変換装置は、一次基地局識別情報に従って、現在の基地局が一次基地局であると判断する、識別情報送信モジュールを、基地局はさらに備える。
【００１４】
本願発明の第２の態様では、伝送変換装置を提供し、当該伝送変換装置は、ユニキャストサービスネットワーク要素のビデオサービス情報を取得するよう構成される取得モジュールと、基地局にビデオサービス情報を送信するよう構成されるビデオ情報送信モジュールであって、これにより、選択装置により選択される一次基地局である基地局は、ビデオサービス情報と取得した各ユーザ装置のチャネル品質情報とに従って、決定情報を生成する、ビデオ情報送信モジュールと、基地局により送信される決定情報を受信し、ユニキャストサービスネットワーク要素とマルチキャストサービスネットワーク要素とに決定情報を別々に送信するよう構成される決定情報受信モジュールであって、これにより、ユニキャストサービスネットワーク要素とマルチキャストサービスネットワーク要素とはそれぞれ、ビデオデータのユニキャスト伝送を実行し、ビデオデータのマルチキャスト伝送を実行する、決定情報受信モジュールとを備える。
【００１５】
第１の可能な実施方式において、ビデオ情報送信モジュールは、予め設定されたＩＰネットワークベースインタフェースを用いて、基地局にビデオサービス情報を送信するよう具体的に構成され、ビデオ情報送信モジュールにより送信されたビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【００１６】
第２の態様又は第２の態様の第１の可能な実施方式に関連して、第２の可能な実施方式において、決定情報は、ビデオデータの伝送モードとビデオデータの伝送ビットレートとを含む。
【００１７】
本願発明の第３の態様では、選択装置を提供し、当該選択装置は、一次基地局と二次基地局とを選択し、一次基地局についての情報と二次基地局についての情報とを含む選択結果を生成するよう構成される選択結果生成モジュールと、基地局に、選択結果とユーザ装置にチャネル品質試験を実行するよう命令するのに用いられる測定構成情報とを送信するよう構成される選択結果送信モジュールであって、これにより、基地局は、ビデオデータのユニキャスト伝送及び／又はマルチキャスト伝送を実行するのに用いられる決定情報を生成するよう、選択結果と測定構成情報とに従って、チャネル品質情報を取得する、選択結果送信モジュールとを備え、選択結果を受信する基地局は、選択結果における一次基地局についての情報に対応する基地局である。
【００１８】
第１の可能な実施方式において、選択結果生成モジュールは、ネットワークから、一の基地局を一次基地局としてランダムに選択し、そのネットワークにおける別の基地局を二次基地局として用いるよう構成される第１の選択ユニットと、ネットワークから、最も多いユーザ装置に接続される一の基地局を一次基地局として選択し、そのネットワークにおける別の基地局を二次基地局として用いるよう構成される第２の選択ユニット、又は、ネットワークから、最良のハードウェア性能を提供する一の基地局を一次基地局として選択し、ネットワークにおける別の基地局を二次基地局として用いるよう構成される第３の選択ユニットを含む。
【００１９】
第３の態様又は第３の態様の第１の可能な実施方式に関連して、第２の可能な実施方式において、選択装置は、ポリシ及び課金ルール機能（ＰＣＲＦ）ネットワーク要素により送信される、現在の選択装置に対応するユーザ装置の識別情報とＥ−ＵＴＲＡＮセルグローバル識別子（ＥＣＧＩ）とを受信するよう構成される識別情報受信モジュールと、ユーザ装置の識別情報とＥＣＧＩとに従って検索することによって、ユーザ装置に対応する基地局を得て、その対応する基地局にユーザ装置の識別情報を送信するよう構成される検索及び送信モジュールとをさらに備え、ユーザ装置の識別情報とＥＣＧＩとは、ＰＣＲＦネットワーク要素により、ユニキャストサービスネットワーク要素により送信されるユーザ装置ネットワークアドレスに従って検索することによって得られる。
【００２０】
本願発明の第４の態様では、基地局を提供し、当該基地局は、プロセッサと、通信インタフェースと、メモリとを備え、通信インタフェースは、伝送変換装置、選択装置、ユーザ装置、及び二次基地局と通信するよう構成され、メモリは、プログラムを格納するよう構成され、プロセッサは、そのプログラムを実行するよう構成され、これにより、選択装置により送信される、選択結果についての情報とユーザ装置にチャネル品質試験を実行するよう命令するのに用いられる測定構成情報とを受信する場合、選択装置により選択される一次基地局と二次基地局とについての情報を含む選択結果に従って、現在の基地局が一次基地局であると判断することと、現在の基地局に接続されるユーザ装置と二次基地局とに、測定構成情報を送信し、測定構成情報に従って、現在の基地局に接続されるユーザ装置と二次基地局とによりフィードバックされる、二次基地局に接続されるユーザ装置のチャネル品質情報を受信することと、チャネル品質情報と、伝送変換装置から取得したビデオサービス情報とに従って、決定情報を生成し、決定情報を伝送変換装置に送信することとを実行し、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令し、決定情報は、ビデオデータの伝送ビットレートと伝送モードとを含む。
【００２１】
第１の可能な実施方式において、プロセッサは、予め設定されたＩＰネットワークベースインタフェースを用いて、伝送変換装置からビデオサービス情報を取得するようさらに構成され、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【００２２】
第４の態様又は第４の態様の第１の可能な実施方式に関連して、第２の可能な実施方式において、二次基地局に接続されるユーザ装置のチャネル品質情報は、二次基地局に接続されるユーザ装置により、二次基地局により送信される測定構成情報に従って測定を実行することによって、得られる。
【００２３】
第４の態様の第２の可能な実施方式に関連して、第３の可能な実施方式において、プロセッサは、チャネル品質情報と、伝送変換装置から取得したビデオサービス情報とに従ってビデオデータの伝送モードを選択し、チャネル品質情報と、伝送変換装置から取得したビデオサービス情報とに従って、ビデオデータの伝送ビットレートを選択し、伝送変換装置に、ビデオデータの伝送モードとビデオデータの伝送ビットレートとを含む決定情報を送信するよう具体的に構成される。
【００２４】
第４の態様の第３の可能な実施方式に関連して、第４の可能な実施方式において、プロセッサは、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択し、ユニキャスト伝送モードにおいて参照ビットレートで消費される第１の総リソースを計算し、マルチキャスト伝送モードにおいて参照ビットレートで消費される第２の総リソースを計算し、第１の総リソースを第２の総リソースと比較することによって、最小総リソースが消費される伝送モードをビデオデータの伝送モードとして選択するよう具体的に構成される。
【００２５】
第４の態様の第４の可能な実施方式に関連して、第５の可能な実施方式において、プロセッサは、チャネル品質情報とビデオサービス情報に含まれるビデオビットレートクラス情報とに従って、選択された伝送モードにおける各ビデオデータの単位消費リソースであってビデオビットレートクラス情報の各ビットレートに対応する単位消費リソースを別々に計算し、単位消費リソースは、各タイムスロットにおいて消費されるリソースであって、各ビットレートでの各ビデオデータのピーク信号対雑音比の、対応する単位消費リソースに対する計算比率を別々に計算し、計算比率に従って、各ビットレートに対応する各ビデオデータのソーティング結果を生成し、ソーティング結果を降順にトラバースし、トラバーサル手順において、予め設定されたリソース条件を満たすことができる最小計算比率を選択し、予め設定されたリソース条件を満たすことができる最小計算比率より大きい又はそれに等しい計算比率に対応するビデオデータに従って、各ビデオデータに対応する現在最大伝送ビットレートを別々に選択するよう具体的に構成され、各ビデオデータの現在最大伝送ビットレートに対応する計算比率が予め設定されたリソース条件を満たすことができる最小計算比率より大きい又はそれに等しく、予め設定されたリソース条件は、マルチキャスト伝送モードにおいて消費されるリソースが第１のサブフレーム数量閾値より少ないこと、及び、マルチキャスト伝送モード及びユニキャスト伝送モードにおいて消費される総リソースが第２のサブフレーム数量閾値より少ないことである。
【００２６】
第４の態様の第３の可能な実施方式、又は第４の態様の第４の可能な実施方式、若しくは、第４の態様の第５の可能な実施方式に関連して、第６の可能な実施方式において、チャネル品質情報は、ユーザ装置によりユニキャスト伝送モードにおいて測定される信号対干渉雑音比（ＳＩＮＲ）パラメータと、ユーザ装置によりマルチキャスト伝送モードにおいて測定される信号対干渉雑音比パラメータとを含み、又は、チャネル品質情報は、ユーザ装置によりユニキャスト伝送モードにおいて測定される信号対干渉雑音比パラメータと、マルチキャスト伝送モードにおける現在の基地局のチャンネル品質とを含み、ここで、マルチキャスト伝送モードにおける現在の基地局のユーザ装置カバレッジが、予め設定されたカバレッジ閾値を超える。
【００２７】
第４の態様の第３の可能な実施方式、又は第４の態様の第４の可能な実施方式、若しくは第４の態様の第５の可能な実施方式、あるいは、第４の態様の第６の可能な実施方式に関連して、第７の可能な実施方式において、プロセッサは、ビデオデータの伝送ビットレートを更新するよう、測定時間間隔が測定構成情報に含まれる測定期間に達する場合、更新されたチャネル品質情報を受信し、決定情報を更新するようさらに構成される。
【００２８】
第４の態様、又は第４の態様の第１の可能な実施方式、若しくは、第４の態様の第２の可能な実施方式、あるいは、第４の態様の第３の可能な実施方式、又は第４の態様の第４の可能な実施方式、若しくは第４の態様の第５の可能な実施方式、あるいは、第４の態様の第６の可能な実施方式、又は第４の態様の第７の可能な実施方式に関連して、第８の可能な実施方式において、プロセッサは、伝送変換装置に一次基地局識別情報を送信するようさらに構成され、これにより、伝送変換装置は、一次基地局識別情報に従って、現在の基地局が一次基地局であると判断する。
【００２９】
本願発明の第５の態様では、伝送変換装置を提供し、当該伝送変換装置は、プロセッサと、通信インタフェースと、メモリとを備え、通信インタフェースは、基地局、ユニキャストサービスネットワーク要素、及びマルチキャストサービスネットワーク要素と通信するよう構成され、メモリは、プログラムを格納するよう構成され、プロセッサは、そのプログラムを実行するよう構成され、これにより、ユニキャストサービスネットワーク要素のビデオサービス情報を取得することと、選択装置により選択される一次基地局である基地局が、ビデオサービス情報と取得した各ユーザ装置のチャネル品質情報とに従って、決定情報を生成するよう、ビデオサービス情報を基地局に送信することと、基地局により送信される決定情報を受信し、ユニキャストサービスネットワーク要素とマルチキャストサービスネットワーク要素にその決定情報を別々に送信することとを実行し、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。
【００３０】
第１の可能な実施方式において、プロセッサは、予め設定されたＩＰネットワークベースインタフェースを用いて、ビデオサービス情報を基地局に送信するよう具体的に構成され、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【００３１】
第５の態様又は第５の態様の第１の可能な実施方式に関連して、第２の可能な実施方式において、決定情報は、ビデオデータの伝送モードとビデオデータの伝送ビットレートとを含む。
【００３２】
本願発明の第６の態様では、選択装置を提供し、当該選択装置は、プロセッサと、通信インタフェースと、メモリとを備え、通信インタフェースは、ＰＣＲＦポリシ及び課金ルール機能ネットワーク要素及び基地局と通信するよう構成され、メモリは、プログラムを格納するよう構成され、プロセッサは、そのプログラムを実行するよう構成され、これにより、一次基地局と二次基地局とを選択し、一次基地局についての情報と二次基地局についての情報とを含む選択結果を生成することと、基地局に、選択結果とユーザ装置にチャネル品質試験を実行するよう命令するのに用いられる測定構成情報とを送信することとを実行し、これにより、基地局は、ビデオデータのユニキャスト伝送及び／又はマルチキャスト伝送を実行するのに用いられる決定情報を生成するよう、選択結果と測定構成情報とに従って、チャネル品質情報を取得し、選択結果を受信する基地局は、選択結果における一次基地局についての情報に対応する基地局である。
【００３３】
第１の可能な実施方式において、プロセッサは、ネットワークから、一の基地局を一次基地局としてランダム選択し、そのネットワークにおける別の基地局を二次基地局として用いる、又は、ネットワークから、最も多いユーザ装置に接続される一の基地局を一次基地局として選択し、そのネットワークにおける別の基地局を二次基地局として用いる、若しくは、ネットワークから、最良のハードウェア性能を提供する一の基地局を一次基地局として選択し、そのネットワークにおける別の基地局を二次基地局として用いるよう具体的に構成される。
【００３４】
第６の態様又は第６の態様の第１の可能な実施方式に関連して、第２の可能な実施方式において、プロセッサは、ポリシ及び課金ルール機能（ＰＣＲＦ）ネットワーク要素により送信される、現在の選択装置に対応するユーザ装置の識別情報とＥ−ＵＴＲＡＮセルグローバル識別子（ＥＣＧＩ）とを受信し、ユーザ装置の識別情報とＥＣＧＩとに従って検索することによって、ユーザ装置に対応する基地局を得て、その対応する基地局にユーザ装置の識別情報を送信するようさらに構成され、ユーザ装置の識別情報とＥＣＧＩとは、ＰＣＲＦネットワーク要素により、ユニキャストサービスネットワーク要素により送信されるユーザ装置ネットワークアドレスに従って検索することによって、得られる。
【００３５】
本願発明の第７の態様では、ビデオデータ伝送方法を提供し、当該ビデオデータ伝送方法は、基地局が、選択装置により送信される、選択結果についての情報とユーザ装置にチャネル品質試験を実行するよう命令するのに用いられる測定構成情報とを受信する場合、基地局により、選択装置により選択される一次基地局と二次基地局とについての情報を含む選択結果に従って、現在の基地局が一次基地局であると判断する段階と、基地局により、現在の基地局に接続されるユーザ装置と二次基地局とに、測定構成情報を送信し、測定構成情報に従って、現在の基地局に接続されるユーザ装置と二次基地局とにフィードバックされる、二次基地局に接続されるユーザ装置のチャネル品質情報を受信する段階と、基地局により、チャネル品質情報と、伝送変換装置から取得したビデオサービス情報とに従って、決定情報を生成し、伝送変換装置にその決定情報を送信する段階であって、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令する、段階とを備え、ここで、決定情報は、ビデオデータの伝送モードと伝送ビットレートとを含む。
【００３６】
第１の可能な実施方式において、基地局により、チャネル品質情報と、伝送変換装置から取得したビデオサービス情報とに従って、決定情報を生成し、伝送変換装置にその決定情報を送信する段階の前に、方法は、基地局により、予め設定されたＩＰネットワークベースインタフェースを用いて、伝送変換装置からビデオサービス情報を取得する段階をさらに備え、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【００３７】
第７の態様又は第７の態様の第１の可能な実施方式に関連して、第２の可能な実施方式において、二次基地局に接続されるユーザ装置のチャネル品質情報は、二次基地局に接続されるユーザ装置により、二次基地局により送信される測定構成情報に従って測定を実行することによって、得られる。
【００３８】
第７の態様の第２の可能な実施方式に関連して、第３の可能な実施方式において、基地局により、チャネル品質情報と、伝送変換装置から取得したビデオサービス情報とに従って、決定情報を生成し、伝送変換装置にその決定情報を送信する段階は、基地局により、チャネル品質情報と、伝送変換装置から取得したビデオサービス情報とに従って、ビデオデータの伝送モードを選択する段階と、基地局により、チャネル品質情報と、伝送変換装置から取得したビデオサービス情報とに従って、ビデオデータの伝送ビットレートを選択する段階と、基地局により、伝送変換装置に、ビデオデータの伝送モードとビデオデータの伝送ビットレートとを含む決定情報を送信する段階とを含む。
【００３９】
第７の態様の第３の可能な実施方式に関連して、第４の可能な実施方式において、基地局により、チャネル品質情報と、伝送変換装置から取得したビデオサービス情報とに従って、ビデオデータの伝送モードを選択する段階は、基地局により、ビデオサービス情報に含まれるビデオビットレートクラス情報から、チャネル品質情報に従って、ビデオデータがユニキャスト伝送及びマルチキャスト伝送の両方を満たすことが可能な最小ビットレートを参照ビットレートとして選択する段階と、基地局により、ユニキャスト伝送モードにおいて参照ビットレートで消費される第１の総リソースを計算し、マルチキャスト伝送モードにおいて参照ビットレートで消費される第２の総リソースを計算する段階と、基地局により、第１の総リソースを第２の総リソースと比較することによって、最小総リソースが消費される伝送モードをビデオデータの伝送モードとして選択する段階とを含む。
【００４０】
第７の態様の第４の可能な実施方式に関連して、第５の可能な実施方式において、基地局により、チャネル品質情報と、伝送変換装置から取得したビデオサービス情報とに従って、ビデオデータの伝送ビットレートを選択する段階は、基地局により、チャネル品質情報とビデオサービス情報に含まれるビデオビットレートクラス情報とに従って、選択された伝送モードにおける各ビデオデータの単位消費リソースであってビデオビットレートクラス情報の各ビットレートに対応する単位消費リソースを別々に計算される段階であって、単位消費リソースは各タイムスロットにおいて消費されるリソースである、段階と、基地局により、各ビットレートでの各ビデオデータのピーク信号対雑音比の、対応する単位消費リソースに対応する計算比率を別々に計算する段階と、基地局により、計算比率に従って、各ビットレートに対応する各ビデオデータのソーティング結果を生成し、ソーティング結果を降順にトラバースする段階と、基地局により、トラバーサル手順において、予め設定されたリソース条件を満たすことができる最小計算比率を選択する段階と、基地局により、予め設定されたリソース条件を満たすことができる最小計算比率より大きい又はそれに等しい計算比率に対応するビデオデータに従って、各ビデオデータに対応する現在最大伝送ビットレートを別々に選択する段階とを含み、各ビデオデータの現在最大伝送ビットレートに対応する計算比率が、予め設定されたリソース条件を満たすことができる最小計算比率より大きい又はそれに等しく、予め設定されたリソース条件は、マルチキャスト伝送モードにおいて消費されるリソースが第１のサブフレーム数量閾値より少ないこと、及び、マルチキャスト伝送モード及びユニキャスト伝送モードにおいて消費される総リソースが第２のサブフレーム数量閾値より少ないことである。
【００４１】
第７の態様の第３の可能な実施方式、又は第７の態様の第４の可能な実施方式、若しくは第７の態様の第５の可能な実施方式に関連して、第６の可能な実施方式において、チャネル品質情報は、ユーザ装置によりユニキャスト伝送モードにおいて測定される信号対干渉雑音比（ＳＩＮＲ）パラメータと、ユーザ装置によりマルチキャスト伝送モードにおいて測定される信号対干渉雑音比パラメータとを含み、又は、チャネル品質情報は、ユーザ装置によりユニキャスト伝送モードにおいて測定される信号対干渉雑音比パラメータと、マルチキャスト伝送モードにおける現在の基地局のチャンネル品質を含み、ここで、マルチキャスト伝送モードにおける現在の基地局のユーザ装置カバレッジが、予め設定されたカバレッジ閾値を超える。
【００４２】
第７の態様の第３の可能な実施方式、又は第７の態様の第４の可能な実施方式、若しくは第７の態様の第５の可能な実施方式、あるいは第７の態様の第６の可能な実施方式に関連して、第７の可能な実施方式において、方法は、ビデオデータの伝送ビットレートを更新するよう、測定時間間隔が測定構成情報に含まれる測定期間に達する場合、基地局により、更新されたチャネル品質情報を受信し、決定情報を更新する段階をさらに備える。
【００４３】
第７の態様又は第７の態様の第１の可能な実施方式、若しくは第７の態様の第２の可能な実施方式、あるいは第７の態様の第３の可能な実施方式、又は第７の態様の第４の可能な実施方式、若しくは第７の態様の第５の可能な実施方式、あるいは第７の態様の第６の可能な実施方式、又は第７の態様の第７の可能な実施方式に関連して、第８の可能な実施方式において、方法は、基地局により、伝送変換装置に一次基地局識別情報を送信する段階であって、これにより、伝送変換装置は、一次基地局識別情報に従って、現在の基地局が一次基地局であると判断する段階をさらに備える。
【００４４】
本願発明の第８の態様では、ビデオデータ伝送方法を提供し、当該ビデオデータ伝送方法は、伝送変換装置により、ユニキャストサービスネットワーク要素のビデオサービス情報を取得する段階と、伝送変換装置により、基地局にビデオサービス情報を送信する段階であって、これにより、選択装置により選択される一次基地局である基地局は、ビデオサービス情報と取得した各ユーザ装置のチャネル品質情報とに従って、決定情報を生成する、段階と、伝送変換装置により、基地局により送信される決定情報を受信し、ユニキャストサービスネットワーク要素とマルチキャストサービスネットワーク要素にその決定情報を別々に送信する段階であって、これにより、ユニキャストサービスネットワーク要素とマルチキャストサービスネットワーク要素とはそれぞれ、ビデオデータのユニキャスト伝送を実行し、ビデオデータのマルチキャスト伝送を実行する、段階とを備える。
【００４５】
第１の可能な実施方式において、伝送変換装置により、基地局にビデオサービス情報を送信する段階は、伝送変換装置により、予め設定されたＩＰネットワークベースインタフェースを用いて、基地局にビデオサービス情報を送信する段階を含み、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【００４６】
第８の態様又は第８の態様の第１の可能な実施方式に関連して、第２の可能な実施方式において、決定情報は、ビデオデータの伝送モードとビデオデータの伝送ビットレートを含む。
【００４７】
本願発明の第９の態様では、ビデオデータ伝送方法を提供し、当該ビデオデータ伝送方法は、選択装置により、一次基地局と二次基地局とを選択し、一次基地局についての情報と二次基地局についての情報とを含む選択結果を生成する段階と、選択装置により、基地局に選択結果とユーザ装置にチャネル品質試験を実行するよう命令するのに用いられる測定構成情報とを送信する段階であって、これにより、基地局は、ビデオデータのユニキャスト伝送及び／又はマルチキャスト伝送を実行するのに用いられる決定情報を生成するよう、選択結果と測定構成情報とに従って、チャネル品質情報を取得する、段階とを備え、選択結果を受信する基地局は、選択結果における一次基地局についての情報に対応する基地局である。
【００４８】
第１の可能な実施方式において、選択装置により、一次基地局と二次基地局とを選択する段階は、ネットワークから一の基地局を一次基地局としてランダムに選択し、そのネットワークにおける別の基地局を二次基地局として用いる段階、又は、ネットワークから、最も多いユーザ装置に接続される一の基地局を一次基地局として選択し、そのネットワークにおける別の基地局を二次基地局として用いる段階、若しくは、ネットワークから、最良のハードウェア性能を提供する一の基地局を一次基地局として選択し、そのネットワークにおける別の基地局を二次基地局として用いる段階を含む。
【００４９】
第９の態様又は第９の態様の第１の可能な実施方式に関連して、第２の可能な実施方式において、選択装置により、選択規則に従って選択結果を生成する段階の前に、方法は、選択装置により、ポリシ及び課金ルール機能（ＰＣＲＦ）ネットワーク要素により送信される、現在の選択装置に対応するユーザ装置の識別情報とＥ−ＵＴＲＡＮセルグローバル識別子（ＥＣＧＩ）とを受信する段階と、選択装置により、ユーザ装置の識別情報とＥＣＧＩとに従って検索することによって、ユーザ装置に対応する基地局を得て、その対応する基地局にユーザ装置の識別情報を送信する段階とをさらに備え、ユーザ装置の識別情報とＥＣＧＩとは、ＰＣＲＦネットワーク要素により、ユニキャストサービスネットワーク要素により送信されるユーザ装置ネットワークアドレスに従って検索することによって、得られる。
【００５０】
本願発明の第１０の態様では、コンピュータ記憶媒体を提供し、当該コンピュータ記憶媒体は、プログラムを格納してよく、そのプログラムが実行されるとき、第７の態様において提供されているビデオデータ伝送方法のいくつかの又は全ての段階が含まれる。
【００５１】
本願発明の第１１の態様では、コンピュータ記憶媒体を提供し、当該コンピュータ記憶媒体は、プログラムを格納してよく、そのプログラムが実行されるとき、第８の態様において提供されているビデオデータ伝送方法のいくつかの又は全ての段階が含まれる。
【００５２】
本願発明の第１２の態様では、コンピュータ記憶媒体を提供し、当該コンピュータ記憶媒体は、プログラムを格納してよく、そのプログラムが実行されるとき、第９の態様において提供されているビデオデータ伝送方法のいくつかの又は全ての段階が含まれる。
【００５３】
上述から分かるように、本願発明の複数の実施形態によれば、ユーザ装置のチャネル品質情報とビデオサービス情報とを収集することによって決定情報が生成され得る。これにより、ユニキャストサービスネットワーク要素とマルチキャストサービスネットワーク要素とがそれぞれ、その決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【図面の簡単な説明】
【００５４】
本願発明の複数の実施形態における、又は従来技術における複数の技術的解決手段をより明確に説明するために、以下では、複数の実施形態を説明するのに必要な複数の添付の図面を簡潔に説明する。以下の説明における複数の添付の図面は、本願発明のいくつかの実施形態を示すに過ぎず、当業者は、創造努力することなくこれらの添付の図面から複数の他の図面をさらに導き出し得ることが明らかである。
【００５５】
【図１】本願発明の実施形態に係る基地局の概略構造図である。
【００５６】
【図２】本願発明の実施形態に係る決定モジュールの概略構造図である。
【００５７】
【図３】本願発明の実施形態に係る伝送モード選択ユニットの概略構造図である。
【００５８】
【図４】本願発明の実施形態に係る伝送ビットレート選択ユニットの概略構造図である。
【００５９】
【図５】本願発明の実施形態に係る別の基地局の概略構造図である。
【００６０】
【図６】本願発明の実施形態に係るさらなる別の基地局の概略構造図である。
【００６１】
【図７】本願発明の実施形態に係る伝送変換装置の概略構造図である。
【００６２】
【図８】本願発明の実施形態に係る別の伝送変換装置の概略構造図である。
【００６３】
【図９】本願発明の実施形態に係る選択装置の概略構造図である。
【００６４】
【図１０】本願発明の実施形態に係る別の選択装置の概略構造図である。
【００６５】
【図１１】本願発明の実施形態に係るさらなる別の選択装置の概略構造図である。
【００６６】
【図１２】本願発明の実施形態に係るビデオデータ伝送システムの概略構造図である。
【００６７】
【図１３】本願発明の実施形態に係るビデオデータ伝送方法の概略フローチャートである。
【００６８】
【図１４】本願発明の実施形態に係る別のビデオデータ伝送方法の概略フローチャートである。
【００６９】
【図１５】本願発明の実施形態に係る伝送モード選択方法の概略フローチャートである。
【００７０】
【図１６】本願発明の実施形態に係る伝送ビットレート選択方法の概略フローチャートである。
【００７１】
【図１７】本願発明の実施形態に係るさらなる別のビデオデータ伝送方法の概略フローチャートである。
【００７２】
【図１８】本願発明の実施形態に係るまた別のビデオデータ伝送方法の概略フローチャートである。
【発明を実施するための形態】
【００７３】
以下では、本願発明の複数の実施形態における複数の添付の図面を参照して、本願発明の複数の実施形態における複数の技術的解決手段を明確にかつ完全に説明する。説明される複数の実施形態は、本願発明の複数の実施形態の一部に過ぎず、全てではないことが明らかである。本願発明の複数の実施形態に基づいて、当業者により創造努力することなく得られる他の全ての実施形態が本願発明の保護範囲内に含まれるべきである。
【００７４】
図１を参照すると、図１は、本願発明の実施形態に係る基地局１の概略構造図である。基地局１は、判断モジュール１１と、測定情報送受信モジュール１２と、決定モジュール１３とを備える。
【００７５】
判断モジュール１１は、選択装置により送信される、選択結果についての情報とユーザ装置にチャネル品質試験を実行するよう命令するのに用いられる測定構成情報とを受信する場合、選択装置により選択される一次基地局と二次基地局とについての情報を含む選択結果に従って、現在の基地局が一次基地局であると判断するよう構成される。
【００７６】
具体的に、選択装置により送信される、選択結果についての情報とユーザ装置にチャネル品質試験を実行するよう命令するのに用いられる測定構成情報とを、判断モジュール１１が受信する場合、判断モジュール１１は、その選択結果に従って、現在の基地局が一次基地局であると判断し得る。加えて、判断モジュール１１は、ネットワークにおける別の基地局が二次基地局であるとさらに認識し得る。選択結果は、選択規則に従って選択装置により選択される一次基地局についての情報と、選択規則に従って、選択装置により選択される二次基地局についての情報とを含む。選択装置は、ＭＭＥ（Ｍｏｂｉｌｉｔｙ  Ｍａｎａｇｅｍｅｎｔ  Ｅｎｔｉｔｙ、移動性管理エンティティ）ネットワーク要素、又は、ＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ、マルチセル／マルチキャスト調整エンティティ）ネットワーク要素であり得る。選択規則は、ネットワークから一の基地局を一次基地局としてランダムに選択し、そのネットワークにおける別の基地局を二次基地局として用いること、又は、ネットワークから、最も多いユーザ装置に接続される一の基地局を一次基地局として選択し、そのネットワークにおける別の基地局を二次基地局として用いることであり得る。
【００７７】
選択装置が選択結果を送信する前に、選択装置は、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシ及び課金ルール機能）ネットワーク要素により送信される、ユーザ装置の識別情報とＥＣＧＩ（Ｅ−ＵＴＲＡＮ  Ｃｅｌｌ  Ｇｌｏｂａｌ  Ｉｄｅｎｔｉｆｉｅｒ、Ｅ−ＵＴＲＡＮセルグローバル識別子）とに従って、ユーザ装置に対応する基地局を検索し、その対応する基地局にユーザ装置の識別情報を送信し得る。これにより、ユーザ装置のチャネル品質情報を収集するとき、各基地局が、受信したユーザ装置の識別情報により示されるユーザ装置に測定を実行するよう命令することができ、ここで、ユーザ装置の識別情報は、ＤＡＳＨビデオデータを要求するユーザ装置の識別情報を指す。
【００７８】
選択装置が、ＰＣＲＦネットワーク要素により送信される、ユーザ装置の識別情報とＥＣＧＩとを受信する前に、ユニキャストサービスネットワーク要素が、ＰＣＲＦネットワーク要素に、既知のユーザ装置情報を送信し得る。これにより、ＰＣＲＦネットワーク要素は、そのユーザ装置情報に従って、対応するユーザ装置の識別情報とＥＣＧＩとをクエリし得る。ＰＣＲＦネットワーク要素は、ユーザ装置の識別情報とＥＣＧＩとに従ってクエリすることによって、ユーザ装置が属する選択装置を得て、ユーザ装置の識別情報をその対応する選択装置に送信し得る。ユニキャストサービスネットワーク要素は、ＤＡＳＨプロキシ（ＤＡＳＨ  Ｐｒｏｘｙ、ＤＡＳＨプロキシ）ネットワーク要素であってよい。例えば、ＤＡＳＨプロキシネットワーク要素は、ユーザ装置ネットワークアドレスをＰＣＲＦネットワーク要素に送信する。次に、ＰＣＲＦネットワーク要素は、ユーザ装置ネットワークアドレスに従って、対応するユーザ装置の識別情報とＥＣＧＩとをクエリし、対応するユーザ装置の識別情報とＥＣＧＩとに従って、ユーザ装置が属するＭＭＥネットワーク要素を判断し、サービス提供ゲートウェイを用いて、対応するユーザ装置の識別情報とＥＣＧＩとをＭＭＥネットワーク要素に送信する。ＭＭＥネットワーク要素は、ネットワークにおける全ての基地局の識別情報に従って、各ユーザ装置の識別情報に対応する基地局を判断し、各ユーザ装置の識別情報をそのユーザ装置に対応する基地局に送信する。これにより、各基地局は、その基地局に接続され、ＤＡＳＨビデオデータを要求するユーザ装置を認識し得る。
【００７９】
測定情報送受信モジュール１２は、現在の基地局に接続されるユーザ装置と二次基地局とに、測定構成情報を送信し、測定構成情報に従って、現在の基地局に接続されるユーザ装置と二次基地局とによりフィードバックされる、二次基地局に接続されるユーザ装置のチャネル品質情報を受信するよう構成される。
【００８０】
具体的に、測定情報送受信モジュール１２は、現在の基地局に接続されるユーザ装置と二次基地局とに、測定構成情報を送信し得る。現在の基地局に接続されるユーザ装置が測定構成情報を受信する場合、現在の基地局に接続されるユーザ装置は、測定構成情報に従って、ユニキャスト伝送モードにおけるチャンネル品質とマルチキャスト伝送モードにおけるチャンネル品質とを別々に測定し得る、又は、ユニキャスト伝送モードにおけるチャンネル品質のみを測定し得る。測定情報送受信モジュール１２は、現在の基地局に接続されるユーザ装置による測定により得られるチャネル品質情報を受信する。二次基地局が測定構成情報を受信する場合、二次基地局は、二次基地局に接続されるユーザ装置に測定構成情報を配信し、二次基地局に接続されるユーザ装置によりアップロードされるチャネル品質情報を受信し得る。測定情報送受信モジュール１２は、二次基地局によりアップロードされるチャネル品質情報を受信し得る。
【００８１】
測定構成情報は、ユーザ装置の、チャンネル品質に対する測定パラメータと測定期間とを含み得る。ユーザ装置がマルチキャスト伝送モードにおいてチャネル品質情報を測定する性能を有する場合、ユーザ装置の、チャンネル品質に対する測定パラメータは、ユニキャスト伝送モードにおけるチャンネル品質の測定パラメータと、マルチキャスト伝送モードにおけるチャンネル品質の測定パラメータとを含み得る。又は、ユーザ装置がマルチキャスト伝送モードにおいてチャネル品質情報を測定する性能を有しない場合、ユーザ装置の、チャンネル品質に対する測定パラメータは、ユニキャスト伝送モードにおけるチャンネル品質の測定パラメータを含み得る。
【００８２】
チャネル品質情報は、現在の基地局に接続されるユーザ装置のチャネル品質情報と、二次基地局に接続されるユーザ装置のチャネル品質情報とを含む。チャネル品質情報は、ユーザ装置によりユニキャスト伝送モードにおいて測定されるＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ、信号対干渉雑音比パラメータ）、又は、ユーザ装置によりユニキャスト伝送モードにおいて及びマルチキャスト伝送モードにおいて別々に測定されるＳＩＮＲ信号対干渉雑音比パラメータである。
【００８３】
二次基地局に接続されるユーザ装置のチャネル品質情報は、二次基地局に接続されるユーザ装置により、二次基地局により送信される測定構成情報に従って測定を実行することによって、得られる。
【００８４】
基地局は、メッシュ（Ｍｅｓｈ、無線メッシュネットワーク）を用いて、各二次基地局と相互接続し通信する。
【００８５】
決定モジュール１３は、チャネル品質情報と、伝送変換装置から取得したビデオサービス情報とに従って、決定情報を生成し、伝送変換装置にその決定情報を送信するよう構成され、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令する。
【００８６】
具体的に、決定モジュール１３は、チャネル品質情報と、伝送変換装置から取得したビデオサービス情報とに従って、決定情報を生成し、伝送変換装置にその決定情報を送信し得る。決定情報は、ビデオデータの伝送モードと伝送ビットレートとを含む。伝送変換装置は、ユニキャストサービスネットワーク要素とマルチキャストサービスネットワーク要素とに、決定情報を送信し得る。この場合、ユニキャストサービスネットワーク要素は、決定情報に含まれる、ビデオデータの伝送モードと伝送ビットレートに従って、対応するＤＡＳＨビデオデータのユニキャスト伝送を現在の伝送ビットレートで実行してよく、マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行してよい。例えば、少数のユーザに要求されるビデオデータが、ユニキャスト伝送モードにおいて伝送されてよく、多数のユーザに同時に要求されるビデオデータが、マルチキャスト伝送モードにおいて伝送されてよく、例えば、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、マルチキャストブロードキャスト単一周波数ネットワーク）伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【００８７】
マルチキャストサービスネットワーク要素は、ＢＭ−ＳＣ（Ｂｒｏａｄｃａｓｔ  Ｍｕｌｔｉｃａｓｔ  Ｓｅｒｖｉｃｅ  Ｃｅｎｔｅｒ、ブロードキャスト／マルチキャストサービスセンタ）ネットワーク要素であり得る。伝送変換装置は、ＤＡＳＨサービスのユニキャスト及びマルチキャスト変換を実行するよう構成される新たに追加される制御管理エンティティである。伝送変換装置は、ＤＡＳＨプロキシネットワーク要素、ＢＭ−ＳＣネットワーク要素、又はＰ−ＧＷ（ＰＤＮゲートウェイ、ｐｕｂｌｉｃ  ｄａｔａ  ｎｅｔｗｏｒｋ  ｇａｔｅｗａｙ）などのエンティティ内に配置され得る。伝送変換装置が新たに追加されるエンティティであるため、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、インタフェースは、純ユーザプレーンインタフェースで、ＩＰ（Ｉｎｔｅｒｎｅｔ  Ｐｒｏｔｏｃｏｌ、インターネットプロトコル）ネットワークベースのインタフェースであり、これにより、伝送変換装置と基地局との間に定義されるインタフェースが、マルチメディア・ブロードキャストマルチキャスト・ゲートウェイと基地局との間に定義されたインタフェースと同じである。
【００８８】
ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し、これにより、ビデオサービス情報を取得する。例えば、伝送変換装置は、ユーザ装置により要求され、ユニキャストサービスネットワーク要素により送信されるビデオデータのＵＲＬアドレス（Ｕｎｉｆｏｒｍ  Ｒｅｓｏｕｒｃｅ  Ｌｏｃａｔｏｒ、ユニフォームリソースロケータ）とビデオビットレートクラス情報とを取得してよく、ここで、ビデオビットレートクラス情報は、６８８ｋｂｐｓ、１４２７ｋｂｐｓ、及び２０５６ｋｂｐｓを含む。
【００８９】
ユーザ装置がユニキャスト及びマルチキャストチャネル品質を測定することができる場合、決定モジュール１３は、容量最大化規則と、チャネル品質情報と、伝送変換装置から取得したビデオサービス情報とに従って、決定情報を生成し得る。ユーザ装置がユニキャストチャネル品質のみを測定することができる場合、決定モジュール１３は、容量最大化規則と、チャネル品質情報と、マルチキャスト伝送モードにおける現在の基地局のチャンネル品質と、伝送変換装置から取得したビデオサービス情報とに従って、決定情報を生成し得る。この場合、マルチキャスト伝送モードにおける基地局のユーザ装置カバレッジが、予め設定されたカバレッジ閾値を超える。例えば、基地局は、参照マルチキャスト信号対雑音比として、マルチキャスト伝送モードにおいて伝送を実行する９５％のユーザ装置がカバーされるチャンネル品質を用いる。
【００９０】
容量最大化規則は、特定のネットワークリソース内に、ビデオサービスを得ることができるユーザの数量を現在のネットワークリソースによりサポートされることができる最大値に達させること、加えて、それらのユーザにより得られるビデオサービスの品質を現在のネットワークリソースによりサポートされることができる最大値に達させることを指す。容量最大化規則は、総消費リソースのサイズとビデオ品質のＰＳＮＲ（Ｐｅａｋ  Ｓｉｇｎａｌ  ｔｏ  Ｎｏｉｓｅ  Ｒａｔｉｏ、ピーク信号対雑音比）とに従って、設定され得る。すなわち、容量最大化規則は、ビデオサービスを得るユーザの数量とビデオサービス品質との間のバランスを考慮することを可能にし得る。これにより、ユーザ数及びビデオサービス品質の両方が最大値に達する。伝送ビットレートは、容量最大化規則に従って選択されてよく、これにより、より多くのユーザが高品質ビデオサービスを得ることができる。
【００９１】
さらに、図２を参照して、図２は、本願発明の実施形態に係る決定モジュール１３の概略構造図である。決定モジュール１３は、伝送モード選択ユニット１３１と、伝送ビットレート選択ユニット１３２と、決定送信ユニット１３３とを含み得る。
【００９２】
伝送モード選択ユニット１３１は、チャネル品質情報と、伝送変換装置から取得したビデオサービス情報とに従って、ビデオデータの伝送モードを選択するよう構成される。
【００９３】
具体的に、伝送モード選択ユニット１３１は、チャネル品質情報と、伝送変換装置から取得したビデオサービス情報とに従って、ビデオデータの伝送モードを選択し得る。伝送モード選択ユニット１３１は、チャネル品質情報に従って、ユニキャスト伝送モードにおいてビデオデータにより消費される総リソースと、マルチキャスト伝送モードにおいてビデオデータにより消費される総リソースとを別々に計算し得る。伝送モード選択ユニット１３１は、より少ない総リソースが消費される伝送モードをビデオデータの伝送モードとして選択する。
【００９４】
伝送ビットレート選択ユニット１３２は、チャネル品質情報と、伝送変換装置から取得したビデオサービス情報とに従って、ビデオデータの伝送ビットレートを選択するよう構成される。
【００９５】
具体的に、伝送モード選択ユニット１３１が対応する伝送モードを選択した後、伝送ビットレート選択ユニット１３２は、容量最大化規則と、チャネル品質情報と、伝送変換装置から取得したビデオサービス情報とに従って、ビデオデータの伝送ビットレートを選択し得る。第一に、伝送ビットレート選択ユニット１３２は、チャネル品質情報に従って、選択された伝送モードにおける各ビデオデータの単位消費リソースであってビデオビットレートクラス情報の各ビットレートに対応する単位消費リソースを別々に計算し得る。次に、伝送ビットレート選択ユニット１３２は、各ビデオデータの各ＤＡＳＨビットレートに対応するビデオ品質のＰＳＮＲに従って、かつ、対応する消費される単位消費リソースに従って、各ビデオデータに対応する伝送モードの伝送ビットレートを選択し得る。伝送ビットレート選択ユニット１３２により伝送ビットレートを選択する一の目的が、各ＲＢ上でより高いＲＳＮＲをもたらすサービスを可能な限り優先的に提供し、又は各ＲＢ上でより高いＲＳＮＲをもたらすユーザに可能な限り優先的にサービス提供をすることである。
【００９６】
決定送信ユニット１３３は、伝送変換装置に、ビデオデータの伝送モードとビデオデータの伝送ビットレートとを含む決定情報を送信するよう構成される。
【００９７】
伝送モード選択ユニット１３１と伝送ビットレート選択ユニット１３２とがそれぞれ、対応する伝送モードと対応する伝送ビットレートとを選択した後、決定送信ユニット１３３は、伝送変換装置に、ビデオデータの伝送モードとビデオデータの伝送ビットレートとを含む決定情報を送信し得る。これにより、伝送変換装置は、ユニキャストサービスネットワーク要素とマルチキャストサービスネットワーク要素とに決定情報を送信し得る。この場合、ユニキャストサービスネットワーク要素は、決定情報に含まれる、ビデオデータの伝送モードと伝送ビットレートとに従って、対応するＤＡＳＨビデオデータのユニキャスト伝送を現在の伝送ビットレートで実行してよく、マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行してよい。例えば、少数のユーザに要求されるビデオデータが、ユニキャスト伝送モードにおいて伝送されてよく、多数のユーザに同時に要求されるビデオデータが、マルチキャスト伝送モードにおいて伝送されてよく、例えば、ＭＢＳＦＮ伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【００９８】
チャネル品質情報は、ユーザ装置によりユニキャスト伝送モードにおいて測定される信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、信号対干渉雑音比パラメータ）パラメータと、ユーザ装置によりマルチキャスト伝送モードにおいて測定される信号対干渉雑音比パラメータとを含んでよく、又は、チャネル品質情報は、ユーザ装置によりユニキャスト伝送モードにおいて測定される信号対干渉雑音比パラメータと、マルチキャスト伝送モードにおける基地局のチャンネル品質とを含み、ここで、マルチキャスト伝送モードにおける現在の基地局のユーザ装置カバレッジが、予め設定されたカバレッジ閾値を超える。
【００９９】
さらに、図３を参照すると、図３は、本願発明の実施形態に係る伝送モード選択ユニット１３１の概略構造図である。伝送モード選択ユニット１３１は、参照ビットレート選択サブユニット１３１１と、消費リソース計算サブユニット１３１２と、伝送モード選択サブユニット１３１３とを含み得る。
【０１００】
参照ビットレート選択サブユニット１３１１は、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択するよう構成される。
【０１０１】
具体的に、参照ビットレート選択サブユニット１３１１は、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択し得る。例えば、特定のビデオデータに対して、ビデオデータに対応するビデオビットレートクラス情報は、３つのビットレートクラス、すなわち、クラス１と、クラス２と、クラス３とを含む。クラス１のビットレートが、ビデオデータがユニキャスト伝送及びマルチキャスト伝送の両方を満たすことができる最小ビットレートである場合、クラス１のビットレートは、参照ビットレートとして用いられる。
【０１０２】
消費リソース計算サブユニット１３１２は、ユニキャスト伝送モードにおいて参照ビットレートで消費される第１の総リソースを計算し、マルチキャスト伝送モードにおいて参照ビットレートで消費される第２の総リソースを計算するよう構成される。
【０１０３】
特定のビデオデータに対して、消費リソース計算サブユニット１３１２は、ユニキャスト伝送モードにおいて参照ビットレートで消費される第１の総リソースを計算し、マルチキャスト伝送モードにおいて参照ビットレートで消費される第２の総リソースを計算し得る。
【０１０４】
伝送モード選択サブユニット１３１３は、第１の総リソースを第２の総リソースと比較することによって、最小総リソースが消費される伝送モードをビデオデータの伝送モードとして選択するよう構成される。
【０１０５】
特定のビデオデータによりユニキャスト伝送モードにおいて参照ビットレートで消費される第１の総リソースが、ビデオデータによりマルチキャスト伝送モードにおいて参照ビットレートで消費される第２の総リソースより少ないということを、伝送モード選択サブユニット１３１３が比較によって知った場合、伝送モード選択サブユニット１３１３は、ユニキャスト伝送モードを選択してビデオデータを伝送する。特定のビデオデータによりユニキャスト伝送モードにおいて参照ビットレートで消費される第１の総リソースが、ビデオデータによりマルチキャスト伝送モードにおいて参照ビットレートで消費される第２の総リソースより多いということを、伝送モード選択サブユニット１３１３が比較によって知った場合、伝送モード選択サブユニット１３１３は、マルチキャスト伝送モードを選択してビデオデータを伝送する。
【０１０６】
チャネル品質情報は、ユーザ装置によりユニキャスト伝送モードにおいて測定される信号対干渉雑音比パラメータと、ユーザ装置によりマルチキャスト伝送モードにおいて測定される信号対干渉雑音比パラメータとを含んでよく、又は、チャネル品質情報は、ユーザ装置によりユニキャスト伝送モードにおいて測定される信号対干渉雑音比パラメータと、マルチキャスト伝送モードにおける基地局のチャンネル品質とを含み、ここで、マルチキャスト伝送モードにおける現在の基地局のユーザ装置カバレッジが、予め設定されたカバレッジ閾値を超える。
【０１０７】
さらに、図４を参照すると、図４は、本願発明の実施形態に係る伝送ビットレート選択ユニット１３２の概略構造図である。伝送ビットレート選択ユニット１３２は、単位消費計算サブユニット１３２１と、比率計算サブユニット１３２２と、ソーティング及びトラバーサルサブユニット１３２３と、比率選択サブユニット１３２４と、伝送ビットレート選択サブユニット１３２５とを含み得る。
【０１０８】
単位消費計算サブユニット１３２１は、チャネル品質情報とビデオサービス情報に含まれるビデオビットレートクラス情報とに従って、選択された伝送モードにおける各ビデオデータの単位消費リソースであってビデオビットレートクラス情報の各ビットレートに対応する単位消費リソースを別々に計算するよう構成され、ここで、単位消費リソースは、各タイムスロットにおいて消費されるリソースである。
【０１０９】
具体的に、単位消費計算サブユニット１３２１によりマルチキャスト伝送モードにおいて計算される単位消費リソースの値が、各ビデオデータに対応する各ＤＡＳＨビットレートの、マルチキャストチャネル品質に対応する、ユニットリソースブロックの伝送レートに対する比率に等しく、ここで、マルチキャストチャネル品質は、チャネル品質情報内の最小マルチチャネル品質である。特定のビデオデータに対応する特定のビットレートに対して、単位消費計算サブユニット１３２１によりユニキャスト伝送モードにおいて計算される単位消費リソースの値が、ビットレートの、各種類のユニキャストチャネル品質に対応する、ユニットリソースブロックの伝送レートに対する比率の合計に等しく、ここで、ユニキャストチャネル品質は、ビデオデータを要求する各ユーザ装置のユニキャスト伝送モードにおけるチャンネル品質である。
【０１１０】
比率計算サブユニット１３２２は、各ビットレートでの各ビデオデータのピーク信号対雑音比の、対応する単位消費リソースに対する計算比率を別々に計算するよう構成される。
【０１１１】
具体的に、特定のビデオデータのＤＡＳＨビットレートに対して、比率計算サブユニット１３２２により計算される計算比率が、ＤＡＳＨビットレートでの各ユーザ装置のＰＳＮＲピーク信号対雑音比の合計の、各ユーザ装置に対応する単位消費リソースの合計に対する比率である。
【０１１２】
ソーティング及びトラバーサルサブユニット１３２３は、計算比率に従って、各ビットレートに対応する各ビデオデータのソーティング結果を生成し、そのソーティング結果を降順にトラバースするよう構成される。
【０１１３】
具体的に、ソーティング及びトラバーサルサブユニット１３２３は、計算比率の値に従って、各ビットレートに対応する各ビデオデータをソーティングし、チャネル品質情報に従って、そのソーティング結果を順次にトラバースする。例えば、それぞれのビットレートクラスが１、２、及び３のビデオデータＡ、Ｂ、及びＣが存在する。ソーティング及びトラバーサルサブユニット１３２３により、計算比率に従って降順に得られるソーティング結果が、Ａ１、Ａ２、Ｂ１、Ｃ１、Ａ３、Ｃ２、Ｃ３、及びＢ３であり得る。
【０１１４】
比率選択サブユニット１３２４は、トラバーサル手順において、予め設定されたリソース条件を満たすことができる最小計算比率を選択するよう構成される。
【０１１５】
具体的に、予め設定されたリソース条件は、マルチキャスト伝送モードにおいて消費されるリソースが、第１のサブフレーム数量閾値より少ないこと、及び、マルチキャスト伝送モード及びユニキャスト伝送モードにおいて消費される総リソースが第２のサブフレーム数量閾値より少ないことである。例えば、リソース条件は、総マルチキャストＲＢが選択された６つのサブフレーム内であり、総ＲＢが１つのフレーム（１０のサブフレーム）の範囲内である。比率選択サブユニット１３２４は、トラバーサル手順において、予め設定されたリソース条件を満たすことができる最小計算比率を選択し得る。例えば、それぞれのビットレートクラスが１、２、及び３のビデオデータＡ、Ｂ、及びＣが存在する。ソーティング及びトラバーサルサブユニット１３２３により、計算比率に従って降順に得られるソーティング結果が、Ａ１、Ａ２、Ｂ１、Ｃ１、Ａ３、Ｃ２、Ｃ３、及びＢ３であり得る。Ｃ１が予め設定されたリソース条件を満たすことができる最小計算比率である場合、Ａ１、Ａ２、Ｂ１、及びＣ１は全て、予め設定されたリソース条件を満たすことができる。
【０１１６】
伝送ビットレート選択サブユニット１３２５は、予め設定されたリソース条件を満たすことができる最小計算比率より大きい又はそれに等しい計算比率に対応するビデオデータに従って、各ビデオデータに対応する現在最大伝送ビットレートを別々に選択するよう構成される。
【０１１７】
具体的に、伝送ビットレート選択サブユニット１３２５は、予め設定されたリソース条件を満たすことができる最小計算比率より大きい又はそれに等しい計算比率に対応するビデオデータに従って、各ビデオデータに対応する現在最大伝送ビットレートを別々に選択してよく、ここで、各ビデオデータの現在最大伝送ビットレートに対応する計算比率が、予め設定されたリソース条件を満たすことができる最小計算比率より大きい又はそれに等しい。
【０１１８】
例えば、それぞれのビットレートクラスが１、２、及び３のビデオデータＡ、Ｂ、及びＣが存在する。計算比率に従って、降順に得られるソーティング結果が、Ａ１、Ａ２、Ｂ１、Ｃ１、Ａ３、Ｃ２、Ｃ３、及びＢ３であり得る。ビデオデータＢが３つのユーザ装置に対応する場合、ビデオデータＡは、マルチキャストを用いて伝送され、ビデオデータＢは、ユニキャストを用いて伝送され、ビデオデータＣは、マルチキャストを用いて伝送され、Ｂ１がリソース条件を満たす場合、伝送ビットレート選択サブユニット１３２５は、ビデオデータＡの伝送ビットレートクラスを２として選択する。ビデオデータＢに対して、伝送ビットレート選択サブユニット１３２５は、ビデオデータＢに対応する全てのユーザ装置に対して、伝送ビットレートクラスを２に設定し得る。代替的に、伝送ビットレート選択サブユニット１３２５はまず、ビデオデータＢに対応する３つのユーザ装置の３つのビットレートクラスに対応するＰＳＮＲの、単位消費リソースに対する複数の比率を降順にソーティングし得る。仮に３つのユーザ装置がａ、ｂ、及びｃとして、ソーティング結果が、ａ１、ｂ１、ｃ１、ａ２、ｂ２、ｃ２、ａ３、ｂ３、及びｃ３であり得る。次に、伝送ビットレート選択サブユニット１３２５は、そのソーティング結果をトラバースする。ｂ２がリソース条件を満たし、ｃ２がリソース条件を満たすことができないと検出したとき、伝送ビットレート選択サブユニット１３２５は、ユーザ装置ａのビットレートクラスを２に設定し、ユーザ装置ｂのビットレートクラスを２に設定し、ユーザ装置ｃのビットレートクラスを１に設定し得る。リソースが要求を満たすことができないという状況がＣ２で初めて発生する場合、ビデオデータＣがマルチキャストを用いて伝送されるので、この場合、ビデオデータＣの全てのユーザ装置の伝送ビットレートが、クラス１の伝送ビットレートしかならず、ビデオデータＡの全てのユーザ装置の伝送ビットレートがクラス３の伝送ビットレートであってよく、ビデオデータＢのユーザ装置の伝送ビットレートは、少なくともクラス１の伝送ビットレートであってよい。
【０１１９】
単位消費計算サブユニット１３２１と、比率計算サブユニット１３２２と、ソーティング及びトラバーサルサブユニット１３２３と、比率選択サブユニット１３２４と、伝送ビットレート選択サブユニット１３２５とにより実行される全ての手順が、容量最大化規則に基づいて実行される。伝送ビットレートが、容量最大化規則を用いて選択され、これにより、より多くのユーザが高品質ビデオサービスを得ることができる。
【０１２０】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１２１】
図５をさらに参照すると、図５は、本願発明の実施形態に係る別の基地局１の概略構造図である。基地局１は、図１に対応する実施形態における判断モジュール１１と、測定情報送受信モジュール１２と、決定モジュール１３とを備え得る。さらに、基地局１は、ビデオ情報取得モジュール１４と、更新モジュール１５と、識別情報送信モジュール１６とをさらに備え得る。
【０１２２】
ビデオ情報取得モジュール１４は、予め設定されたＩＰネットワークベースインタフェースを用いて、伝送変換装置からビデオサービス情報を取得するよう構成される。
【０１２３】
具体的に、ビデオ情報取得モジュール１４は、予め設定されたＩＰネットワークベースインタフェースを用いて、伝送変換装置からビデオサービス情報を取得してよく、ここで、ＩＰネットワークベースインタフェースは、基地局と伝送変換装置とを接続するよう構成されるインタフェースである。伝送変換装置が新たに追加されるエンティティであるので、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、そのインタフェースは、純ユーザプレーンインタフェースで、ＩＰネットワークベースインタフェースであり、これにより、伝送変換装置と基地局との間に定義されるインタフェースが、マルチメディア・ブロードキャストマルチキャスト・ゲートウェイと基地局との間に定義されたインタフェースと同じである。
【０１２４】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。ビデオ情報取得モジュール１４は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し、これにより、ビデオサービス情報を取得する。例えば、伝送変換装置は、ユニキャストサービスネットワーク要素により送信される、ユーザ装置により要求されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【０１２５】
更新モジュール１５は、測定時間間隔が測定構成情報に含まれる測定期間に達する場合、更新されたチャネル品質情報を受信し、決定情報を更新するよう構成され、これにより、ビデオデータの伝送ビットレートを更新する。
【０１２６】
具体的に、更新モジュール１５の測定時間間隔が測定構成情報に含まれる測定期間に達する場合、更新モジュール１５は、現在の基地局に対応するユーザ装置と二次基地局とを用いて、チャネル品質情報を再収集し得る。これにより、更新モジュール１５は、更新されたチャネル品質情報を受信し、その更新されたチャネル品質情報に従って、決定情報を更新し得る。従って、ＤＡＳＨビデオデータに対して、更新された伝送ビットレートが次の瞬間に得られ得る。
【０１２７】
識別情報送信モジュール１６は、伝送変換装置に一次基地局識別情報を送信するよう構成され、これにより、伝送変換装置は、一次基地局識別情報に従って、現在の基地局が一次基地局であると判断する。
【０１２８】
具体的に、判断モジュール１１が選択結果を受信する場合、識別情報送信モジュール１６は、伝送変換装置に一次基地局識別情報を送信し得る。これにより、伝送変換装置は、一次基地局識別情報に従って、どの基地局が一次基地局かを認識し得て、伝送変換装置は次にその一次基地局と通信し得る。
【０１２９】
上述から分かるように、本願発明のこの実施形態によれば、決定情報は、ユーザ装置のチャネル品質情報とビデオサービス情報とを収集することによって、容量最大化規則に基づいて、生成されてよく、これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１３０】
図６をさらに参照すると、図６は、本願発明の実施形態に係るさらなる別の基地局１の概略構造図である。基地局１は、プロセッサ１００１と、通信インタフェース１００２と、メモリ１００３とを備え得る。（基地局１内には１つ又は複数のプロセッサ１００１が存在してよく、１つのプロセッサ１００１が存在する例が図６に用いられる。）本願発明のいくつかの実施形態において、プロセッサ１００１と、通信インタフェース１００２と、メモリ１００３とは、通信バスを用いて、又は、別の方式において、接続され得る。接続が通信バスを用いて実行される例が図６に用いられる。
【０１３１】
通信インタフェース１００２は、伝送変換装置、選択装置、ユーザ装置、及び二次基地局と通信するよう構成される。
【０１３２】
メモリ１００３は、プログラムを格納するよう構成される。
【０１３３】
プロセッサ１００１は、そのプログラムを実行するよう構成され、これにより、選択装置により送信される、選択結果についての情報とユーザ装置にチャネル品質試験を実行するよう命令するのに用いられる測定構成情報とを受信する場合、選択装置により選択される一次基地局と二次基地局とについての情報を含む選択結果に従って、現在の基地局が一次基地局であると判断することと、現在の基地局に接続されるユーザ装置と二次基地局とに、測定構成情報を送信し、測定構成情報に従って、現在の基地局に接続されるユーザ装置と二次基地局とによりフィードバックされる、二次基地局に接続されるユーザ装置のチャネル品質情報を受信することと、チャネル品質情報と伝送変換装置から取得したビデオサービス情報とに従って、決定情報を生成し、決定情報を伝送変換装置に送信することとを実行し、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令し、ここで、決定情報は、ビデオデータの伝送モードと伝送ビットレートとを含む。
【０１３４】
プロセッサ１００１は、予め設定されたＩＰネットワークベースインタフェースを用いて、伝送変換装置からビデオサービス情報を取得するようさらに構成され、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置とを接続するよう構成されるインタフェースである。
【０１３５】
二次基地局に接続されるユーザ装置のチャネル品質情報は、二次基地局に接続されるユーザ装置により、二次基地局により送信される測定構成情報に従って測定を実行することによって、得られる。
【０１３６】
プロセッサ１００１は、チャネル品質情報と、伝送変換装置から取得したビデオサービス情報とに従って、ビデオデータの伝送モードを選択し、チャネル品質情報と、伝送変換装置から取得したビデオサービス情報とに従って、ビデオデータの伝送ビットレートを選択し、伝送変換装置に、ビデオデータの伝送モードとビデオデータの伝送ビットレートとを含む決定情報を送信するよう具体的に構成される。
【０１３７】
プロセッサ１００１は、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択し、ユニキャスト伝送モードにおいて参照ビットレートで消費される第１の総リソースを計算し、マルチキャスト伝送モードにおいて参照ビットレートで消費される第２の総リソースを計算し、第１の総リソースを第２の総リソースと比較することによって、最小総リソースが消費される伝送モードをビデオデータの伝送モードとして選択するよう具体的に構成される。
【０１３８】
プロセッサ１００１は、チャネル品質情報とビデオサービス情報に含まれるビデオビットレートクラス情報とに従って、選択された伝送モードにおける各ビデオデータの単位消費リソースであってビデオビットレートクラス情報の各ビットレートに対応する単位消費リソースを別々に計算し、ここで、単位消費リソースは、各タイムスロットにおいて消費されるリソースであり、各ビットレートでの各ビデオデータのピーク信号対雑音比の、対応する単位消費リソースに対する計算比率を別々に計算し、計算比率に従って、各ビットレートに対応する各ビデオデータのソーティング結果を生成し、そのソーティング結果を降順にトラバースし、トラバーサル手順において、予め設定されたリソース条件を満たすことができる最小計算比率を選択し、予め設定されたリソース条件を満たすことができる最小計算比率より大きい又はそれに等しい計算比率に対応するビデオデータに従って、各ビデオデータに対応する現在最大伝送ビットレートを別々に選択するよう具体的に構成され、ここで、各ビデオデータの現在最大伝送ビットレートに対応する計算比率が、予め設定されたリソース条件を満たすことのできる最小計算比率より大きい又はそれに等しく、予め設定されたリソース条件は、マルチキャスト伝送モードにおいて消費されるリソースが第１のサブフレーム数量閾値より少ないこと、及び、マルチキャスト伝送モード及びユニキャスト伝送モードにおいて消費される総リソースが第２のサブフレーム数量閾値より少ないことである。
【０１３９】
チャネル品質情報は、ユーザ装置によりユニキャスト伝送モードにおいて測定される信号対干渉雑音比（ＳＩＮＲ）パラメータと、ユーザ装置によりマルチキャスト伝送モードにおいて測定される信号対干渉雑音比パラメータとを含み、又は、チャネル品質情報は、ユーザ装置によりユニキャスト伝送モードにおいて測定される信号対干渉雑音比パラメータと、マルチキャスト伝送モードにおける現在の基地局のチャンネル品質とを含み、ここで、マルチキャスト伝送モードにおける現在の基地局のユーザ装置カバレッジが、予め設定されたカバレッジ閾値を超える。
【０１４０】
プロセッサ１００１は、測定時間間隔が測定構成情報に含まれる測定期間に達する場合、更新されたチャネル品質情報を受信し、決定情報を更新するようさらに構成され、これにより、ビデオデータの伝送ビットレートを更新する。
【０１４１】
プロセッサ１００１は、伝送変換装置に一次基地局識別情報を送信するようさらに構成され、これにより、伝送変換装置は、一次基地局識別情報に従って、現在の基地局が一次基地局であると判断する。
【０１４２】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１４３】
図７を参照すると、図７は、本願発明の実施形態に係る伝送変換装置２の概略構造図である。伝送変換装置２は、取得モジュール２１と、ビデオ情報送信モジュール２２と、決定情報受信モジュール２３とを含み得る。
【０１４４】
取得モジュール２１は、ユニキャストサービスネットワーク要素のビデオサービス情報を取得するよう構成される。
【０１４５】
具体的に、ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。取得モジュール２１は、ユニキャストサービスネットワーク要素からビデオサービス情報を取得し得る。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し得、これにより、ビデオサービス情報を取得する。例えば、伝送変換装置２は、ユニキャストサービスネットワーク要素により送信される、ユーザ装置により要求されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【０１４６】
ビデオ情報送信モジュール２２は、基地局にビデオサービス情報を送信するよう構成され、これにより、基地局は、ビデオサービス情報と取得した各ユーザ装置のチャネル品質情報とに従って、決定情報を生成し、ここで、基地局は、選択装置により選択される一次基地局である。
【０１４７】
具体的に、ビデオ情報送信モジュール２２は、予め設定されたＩＰネットワークベースインタフェースを用いて、基地局にビデオサービス情報を送信し得る。ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。ＩＰネットワークベースインタフェースは、基地局と伝送変換装置２とを接続するよう構成されるインタフェースである。
【０１４８】
伝送変換装置２が新たに追加されるエンティティであるので、伝送変換装置２と基地局との間に通信を実行するための定義されたインタフェースが存在しない。従って、マルチメディア・ブロードキャストマルチキャスト・ゲートウェイと基地局との間の既存のインタフェースを参照してよく、そのインタフェースは純ユーザプレーンインタフェースで、ＩＰネットワークベースインタフェースであり、これにより、伝送変換装置２と基地局との間に定義されるインタフェースが、マルチメディア・ブロードキャストマルチキャスト・ゲートウェイと基地局との間に定義されたインタフェースと同じである。
【０１４９】
ビデオ情報送信モジュール２２が基地局にビデオサービス情報を送信した後、基地局は、ビデオサービス情報と、取得した各ユーザ装置のチャネル品質情報と、容量最大化規則とに従って、決定情報を生成し得る。基地局が決定情報を生成する具体的な実施手順について、図１から図６に対応する複数の実施形態を参照してよく、詳細はここでは説明されない。
【０１５０】
決定情報受信モジュール２３は、基地局により送信される決定情報を受信し、ユニキャストサービスネットワーク要素とマルチキャストサービスネットワーク要素とにその決定情報を別々に送信するよう構成され、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。
【０１５１】
具体的に、基地局が決定情報を生成した後、決定情報受信モジュール２３は、基地局により送信される決定情報を受信し、ユニキャストサービスネットワーク要素とマルチキャストサービスネットワーク要素とに決定情報を別々に送信し得る。これにより、ユニキャストサービスネットワーク要素とマルチキャストサービスネットワーク要素とはそれぞれ、ビデオデータのユニキャスト伝送を実行し、ビデオデータのマルチキャスト伝送を実行する。決定情報は、ビデオデータの伝送モードとビデオデータの伝送ビットレートとを含む。この場合、ユニキャストサービスネットワーク要素は、決定情報に含まれる、ビデオデータの伝送モードと伝送ビットレートとに従って、対応するＤＡＳＨビデオデータのユニキャスト伝送を現在の伝送ビットレートで実行し得る。マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行し得る。例えば、少数のユーザに要求されるビデオデータが、ユニキャスト伝送モードにおいて伝送されてよく、多数のユーザに同時に要求されるビデオデータが、マルチキャスト伝送モードにおいて伝送されてよく、例えば、ＭＢＳＦＮ伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【０１５２】
ユニキャストサービスネットワーク要素は、ＤＡＳＨプロキシネットワーク要素であってよく、マルチキャストサービスネットワーク要素は、ＢＭ−ＳＣネットワーク要素であってよい。伝送変換装置２は、ＤＡＳＨサービスのユニキャスト及びマルチキャスト変換を実行するよう構成される新たに追加される制御管理エンティティである。伝送変換装置２は、ＤＡＳＨプロキシネットワーク要素、ＢＭ−ＳＣネットワーク要素、又はＰ−ＧＷなどのエンティティに配置されてよい。
【０１５３】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１５４】
図８をさらに参照すると、図８は、本願発明の実施形態に係る別の伝送変換装置２の概略構造図である。伝送変換装置２は、プロセッサ２００１と、通信インタフェース２００２と、メモリ２００３とを備え得る。（伝送変換装置２において１つ又は複数のプロセッサ２００１が存在してよく、１つのプロセッサ２００１が存在する例が図８に用いられる。）本願発明のいくつかの実施形態において、プロセッサ２００１と通信インタフェース２００２とメモリ２００３とは、通信バスを用いて、又は、別の方式において、接続され得る。接続が通信バスを用いて実行される例が図８に用いられる。
【０１５５】
通信インタフェース２００２は、基地局、ユニキャストサービスネットワーク要素、及びマルチキャストサービスネットワーク要素に通信するよう構成される。
【０１５６】
メモリ２００３は、プログラムを格納するよう構成される。
【０１５７】
プロセッサ２００１は、そのプログラムを実行するよう構成され、これにより、ユニキャストサービスネットワーク要素のビデオサービス情報を取得することと、選択装置により選択される一次基地局である基地局が、ビデオサービス情報と取得した各ユーザ装置のチャネル品質情報とに従って、決定情報を生成するよう、ビデオサービス情報を基地局に送信することと、基地局により送信される決定情報を受信し、ユニキャストサービスネットワーク要素とマルチキャストサービスネットワーク要素とにその決定情報を別々に送信することを実行し、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。
【０１５８】
プロセッサ２００１は、予め設定されたＩＰネットワークベースインタフェースを用いて、ビデオサービス情報を基地局に送信するよう具体的に構成され、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含み、ＩＰネットワークベースインタフェースは、基地局と伝送変換装置２に接続するよう構成されるインタフェースである。
【０１５９】
決定情報は、ビデオデータの伝送モードとビデオデータの伝送ビットレートとを含む。
【０１６０】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１６１】
図９を参照すると、図９は、本願発明の実施形態に係る選択装置３の概略構造図である。選択装置３は、選択結果生成モジュール３１と、選択結果送信モジュール３２とを含み得る。
【０１６２】
選択結果生成モジュール３１は、一次基地局と二次基地局とを選択し、選択結果を生成するよう構成され、ここで、選択結果は、一次基地局についての情報と二次基地局についての情報とを含む。
【０１６３】
具体的に、選択装置３は、ＭＭＥネットワーク要素又はＭＣＥネットワーク要素であり得る。選択結果生成モジュール３１は、一次基地局と二次基地局とを選択し、選択結果を生成してよく、ここで、選択結果は、一次基地局についての情報と二次基地局についての情報とを含む。
【０１６４】
選択結果生成モジュール３１は、ネットワークから一の基地局を一次基地局としてランダムに選択し、そのネットワークにおける別の基地局を二次基地局として用いるよう構成される第１の選択ユニットと、ネットワークから最も多いユーザ装置に接続される一の基地局を一次基地局として選択し、そのネットワークにおける別の基地局を二次基地局として用いるよう構成される第２の選択ユニットと、又は、ネットワークから最良のハードウェア性能を提供する一の基地局を一次基地局として選択し、そのネットワークにおける別の基地局を二次基地局として用いるよう構成される第３の選択ユニットとを含み得る。
【０１６５】
選択結果送信モジュール３２は、基地局に、選択結果とユーザ装置にチャネル品質試験を実行するよう命令するのに用いられる測定構成情報とを送信するよう構成され、これにより、基地局は、選択結果と測定構成情報とに従って、チャネル品質情報を取得し、これにより、ビデオデータのユニキャスト伝送及び／又はマルチキャスト伝送を実行するのに用いられる決定情報を生成する。
【０１６６】
選択結果送信モジュール３２は、測定構成情報をさらに生成してよく、ここで、測定構成情報は、ユニキャスト及びマルチキャストチャネル品質の測定パラメータを含み、又は、ユニキャストチャネル品質のみの測定パラメータを有し、測定構成情報は、測定期間をさらに含み得る。選択結果送信モジュール３２は、基地局に選択結果と測定構成情報とを送信してよく、これにより、基地局は、選択結果と測定構成情報とに従って、チャネル品質情報を取得し、これにより、ビデオデータのユニキャスト伝送及び／又はマルチキャスト伝送を実行するのに用いられる決定情報を生成する。基地局は、伝送変換装置から取得したビデオサービス情報と取得した各ユーザ装置のチャネル品質情報と、容量最大化規則とに従って、決定情報を生成し、ユニキャストサービスネットワーク要素とマルチキャストサービスネットワーク要素とにその決定情報を別々に送信し、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。選択結果を受信する基地局は、選択結果における一次基地局についての情報に対応する基地局である。基地局が決定情報を生成する具体的な実施手順について、図１から図６に対応する複数の実施形態を参照してよく、詳細はここでは説明されない。
【０１６７】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１６８】
さらに図１０を参照すると、図１０は、本願発明の実施形態に係る別の選択装置３の概略構造図である。選択装置３は、図９に対応する実施形態における選択結果生成モジュール３１と、選択結果送信モジュール３２とを含み得る。さらに、選択装置３は、識別情報受信モジュール３３と検索及び送信モジュール３４とをさらに含み得る。
【０１６９】
識別情報受信モジュール３３は、ポリシ及び課金ルール機能（ＰＣＲＦ）ネットワーク要素により送信される、現在の選択装置３に対応するユーザ装置の識別情報とＥＣＧＩとを受信するよう構成される。
【０１７０】
検索及び送信モジュール３４は、ユーザ装置の識別情報とＥＣＧＩとに従って検索することによって、ユーザ装置に対応する基地局を得て、その対応する基地局にユーザ装置の識別情報を送信するよう構成される。
【０１７１】
具体的に、選択結果送信モジュール３２が選択結果を送信する前に、識別情報受信モジュール３３は、ＰＣＲＦポリシ及び課金ルール機能ネットワーク要素により送信される、現在の選択装置３に対応するユーザ装置の識別情報とＥＣＧＩとを受信し得る。検索及び送信モジュール３４は、ユーザ装置の識別情報とＥＣＧＩとに従って検索することによって、ユーザ装置に対応する基地局を得て、その対応する基地局にユーザ装置の識別情報を送信し、これにより、ユーザ装置のチャネル品質情報を収集するとき、各基地局は、受信したユーザ装置の識別情報により示されるユーザ装置に測定を実行するよう命令してよく、ここで、ユーザ装置の識別情報は、ＤＡＳＨビデオデータを要求するユーザ装置の識別情報を指す。
【０１７２】
ユーザ装置の識別情報とＥＣＧＩとは、ＰＣＲＦポリシ及び課金ルール機能ネットワーク要素により、ユニキャストサービスネットワーク要素により送信されるユーザ装置ネットワークアドレスに従って検索することによって、得られる。
【０１７３】
識別情報受信モジュール３３が、ＰＣＲＦネットワーク要素により送信される、ユーザ装置の識別情報とＥＣＧＩとを受信する前に、ユニキャストサービスネットワーク要素は、ＰＣＲＦネットワーク要素に既知のユーザ装置情報を送信してよく、これにより、ＰＣＲＦネットワーク要素は、そのユーザ装置情報に従って、その対応するユーザ装置の識別情報とＥＣＧＩとをクエリし得る。ＰＣＲＦネットワーク要素は、ユーザ装置の識別情報とＥＣＧＩとに従ってクエリすることによって、ユーザ装置が属する選択装置３を得て、その対応する選択装置３にユーザ装置の識別情報を送信し得る。ユニキャストサービスネットワーク要素は、ＤＡＳＨプロキシネットワーク要素であってよい。例えば、ＤＡＳＨプロキシネットワーク要素は、ＰＣＲＦネットワーク要素にユーザ装置ネットワークアドレスを送信する。次に、ＰＣＲＦネットワーク要素は、ユーザ装置ネットワークアドレスに従って、対応するユーザ装置の識別情報とＥＣＧＩとをクエリし、その対応するユーザ装置の識別情報とＥＣＧＩとに従って、ユーザ装置が属するＭＭＥネットワーク要素を判断し、サービス提供ゲートウェイを用いて、ＭＭＥネットワーク要素に、その対応するユーザ装置の識別情報とＥＣＧＩとを送信する。ＭＭＥネットワーク要素における識別情報受信モジュール３３は、ネットワークにおける全ての基地局の識別情報に従って、各ユーザ装置の識別情報に対応する基地局を判断し、そのユーザ装置に対応する基地局に、各ユーザ装置の識別情報を送信する。
【０１７４】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１７５】
さらに図１１を参照すると、図１１は、本願発明の実施形態に係るさらなる別の選択装置３の概略構造図である。選択装置３は、プロセッサ３００１と、通信インタフェース３００２と、メモリ３００３とを備え得る。（選択装置３において１つ又は複数のプロセッサ３００１が存在してよく、１つのプロセッサ３００１が存在する例が図１１に用いられる。）本願発明のいくつかの実施形態において、プロセッサ３００１と、通信インタフェース３００２と、メモリ３００３とは、通信バスを用いて、又は別の方式において、接続され得る。接続が通信バスを用いて実行される例が図１１に用いられる。
【０１７６】
通信インタフェース３００２は、ＰＣＲＦポリシ及び課金ルール機能ネットワーク要素、及び、基地局と通信するよう構成される。
【０１７７】
メモリ３００３は、プログラムを格納するよう構成される。
【０１７８】
プロセッサ３００１は、そのプログラムを実行するよう構成され、これにより、一次基地局と二次基地局とを選択し、一次基地局についての情報と二次基地局についての情報とを含む選択結果を生成することと、基地局に選択結果とユーザ装置にチャネル品質試験を実行するよう命令するのに用いられる測定構成情報とを送信することとを実行し、これにより、基地局は、選択結果と測定構成情報とに従って、チャネル品質情報を取得し、これにより、ビデオデータのユニキャスト伝送及び／又はマルチキャスト伝送を実行するのに用いられる決定情報を生成し、ここで、基地局は、チャネル品質情報と、伝送変換装置から取得したビデオサービス情報とに従って、決定情報を生成し、生成した決定情報を伝送変換装置に送信し、これにより、伝送変換装置は、決定情報に従って、ユニキャストサービスネットワーク要素にビデオデータのユニキャスト伝送を実行するよう命令し、及び／又は、決定情報に従って、マルチキャストサービスネットワーク要素にビデオデータのマルチキャスト伝送を実行するよう命令し、選択結果を受信する基地局は、選択結果における一次基地局についての情報に対応する基地局である。
【０１７９】
プロセッサ３００１は、ネットワークから一の基地局を一次基地局としてランダムに選択し、そのネットワークにおける別の基地局を二次基地局として用い、又は、ネットワークから最も多いユーザ装置に接続される一の基地局を一次基地局として選択し、そのネットワークにおける別の基地局を二次基地局として用い、あるいは、ネットワークから、最良のハードウェア性能を提供する一の基地局を一次基地局として選択し、そのネットワークにおける別の基地局を二次基地局として用いるよう具体的に構成される。
【０１８０】
プロセッサ３００１は、ＰＣＲＦポリシ及び課金ルール機能ネットワーク要素により送信される、現在の選択装置３に対応するユーザ装置の識別情報とＥＣＧＩとを受信し、ユーザ装置の識別情報とＥＣＧＩとに従って検索することによって、ユーザ装置に対応する基地局を得て、その対応する基地局にユーザ装置の識別情報を送信するようさらに構成され、ここで、ユーザ装置の識別情報とＥＣＧＩとは、ＰＣＲＦポリシ及び課金ルール機能ネットワーク要素により、ユニキャストサービスネットワーク要素により送信されるユーザ装置ネットワークアドレスに従って検索することによって、得られる。
【０１８１】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１８２】
図１２を参照すると、図１２は、本願発明の実施形態に係るビデオデータ伝送システムの概略構造図である。当該システムは、基地局４００１と、伝送変換装置４００２と、選択装置４００３とを備え得る。基地局４００１と、伝送変換装置４００２と、選択装置４００３とは、無線ネットワークを用いて、互いに通信し得る。基地局４００１は具体的に、図１から図６に示される複数の実施形態のうちの任意の１つに係る基地局である。伝送変換装置４００２は具体的に、図７及び図８に示される複数の実施形態のうちの任意の１つに係る伝送変換装置である。選択装置４００３は具体的に、図９から図１１に示される複数の実施形態のうちの任意の１つに係る選択装置である。
【０１８３】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０１８４】
図１３を参照すると、図１３は、本願発明の実施形態に係るビデオデータ伝送方法の概略フローチャートである。当該方法は以下の段階を備える。
【０１８５】
Ｓ１０１：基地局が、選択装置により送信される、選択結果についての情報とユーザ装置にチャネル品質試験を実行するよう命令するのに用いられる測定構成情報とを受信する場合、基地局は、選択装置により選択される一次基地局と二次基地局とについての情報を含む選択結果に従って、現在の基地局が一次基地局であると判断する。
【０１８６】
具体的に、基地局が、選択装置により送信される、選択結果についての情報と測定構成情報とを受信する場合、基地局は、選択結果に従って、現在の基地局が一次基地局であると判断する。加えて、基地局は、ネットワークにおける別の基地局を二次基地局としてさらに認識し得る。選択結果は、選択規則に従って選択装置により選択される一次基地局と二次基地局とについての情報を含む。選択装置は、ＭＭＥネットワーク要素又はＭＣＥネットワーク要素であってよい。選択規則は、ネットワークから一の基地局を一次基地局としてランダムに選択し、そのネットワークにおける別の基地局を二次基地局として用い、又は、ネットワークから、最も多いユーザ装置に接続される一の基地局を一次基地局として選択し、そのネットワークにおける別の基地局を二次基地局として用いることであり得る。
【０１８７】
選択装置が選択結果を送信する前に、選択装置は、ＰＣＲＦネットワーク要素により送信される、ユーザ装置の識別情報とＥＣＧＩとに従って、ユーザ装置に対応する基地局を検索し得て、その対応する基地局にユーザ装置の識別情報を送信し、これにより、ユーザ装置のチャネル品質情報を収集するとき、各基地局は、受信したユーザ装置の識別情報により示されるユーザ装置に測定を実行するよう命令してよく、ここで、ユーザ装置の識別情報は、ＤＡＳＨビデオデータを要求するユーザ装置の識別情報を指す。
【０１８８】
選択装置が、ＰＣＲＦネットワーク要素により送信される、ユーザ装置の識別情報とＥＣＧＩとを受信する前に、ユニキャストサービスネットワーク要素は、ＰＣＲＦネットワーク要素に既知のユーザ装置情報を送信し得る。これにより、ＰＣＲＦネットワーク要素は、そのユーザ装置情報に従って、その対応するユーザ装置の識別情報とＥＣＧＩとをクエリし得る。ＰＣＲＦネットワーク要素は、ユーザ装置の識別情報とＥＣＧＩとに従ってクエリすることによって、ユーザ装置が属する選択装置を得て、ユーザ装置の識別情報をその対応する選択装置に送信し得る。ユニキャストサービスネットワーク要素は、ＤＡＳＨプロキシネットワーク要素であってよい。例えば、ＤＡＳＨプロキシネットワーク要素は、ＰＣＲＦネットワーク要素にユーザ装置のネットワークアドレスを送信する。次に、ＰＣＲＦネットワーク要素は、ユーザ装置のネットワークアドレスに従って、対応するユーザ装置の識別情報とＥＣＧＩとをクエリし、対応するユーザ装置の識別情報とＥＣＧＩとに従って、ユーザ装置が属するＭＭＥネットワーク要素を判断し、サービス提供ゲートウェイを用いて、ＭＭＥネットワーク要素に対応するユーザ装置の識別情報とＥＣＧＩとを送信する。ＭＭＥネットワーク要素は、ネットワークにおける全ての基地局の識別情報に従って、各ユーザ装置の識別情報に対応する基地局を判断し、ユーザ装置に対応する基地局に各ユーザ装置の識別情報を送信する。
【０１８９】
Ｓ１０２：基地局は、現在の基地局に接続されるユーザ装置と二次基地局とに、測定構成情報を送信し、その測定構成情報に従って、現在の基地局に接続されるユーザ装置と二次基地局とによりフィードバックされる、二次基地局に接続されるユーザ装置のチャネル品質情報を受信する。
【０１９０】
具体的に、測定構成情報は、ユーザ装置の、チャンネル品質に対する測定パラメータと測定期間とを含み得る。ユーザ装置がマルチキャスト伝送モードにおいてチャネル品質情報を測定する性能を有する場合、ユーザ装置の、チャンネル品質に対する測定パラメータは、ユニキャスト伝送モードにおけるチャンネル品質の測定パラメータと、マルチキャスト伝送モードにおけるチャンネル品質の測定パラメータとを含んでよく、又は、ユーザ装置がマルチキャスト伝送モードにおいてチャネル品質情報を測定する性能を有しない場合、ユーザ装置の、チャンネル品質に対する測定パラメータは、ユニキャスト伝送モードにおけるチャンネル品質の測定パラメータを含み得る。
【０１９１】
基地局は、現在の基地局に接続されるユーザ装置と二次基地局とに、測定構成情報を送信し得る。現在の基地局に接続されるユーザ装置が測定構成情報を受信する場合、現在の基地局に接続されるユーザ装置は、測定構成情報に従って、ユニキャスト伝送モードにおけるチャンネル品質とマルチキャスト伝送モードにおけるチャンネル品質とを別々に測定してよく、又は、ユニキャスト伝送モードにおけるチャンネル品質のみを測定してよい。現在の基地局に接続されるユーザ装置は、基地局に測定により得られるチャネル品質情報を送信する。二次基地局が測定構成情報を受信する場合、二次基地局は、二次基地局に接続されるユーザ装置に測定構成情報を配信し、二次基地局に接続されるユーザ装置によりアップロードされるチャネル品質情報を受信し得る。次に、二次基地局は、基地局にアップロードされたチャネル品質情報を送信する。
【０１９２】
チャネル品質情報は、現在の基地局に接続されるユーザ装置のチャネル品質情報と、二次基地局に接続されるユーザ装置のチャネル品質情報とを含む。チャネル品質情報は、ユーザ装置によりユニキャスト伝送モードにおいて測定されるＳＩＮＲ、又は、ユーザ装置により、ユニキャスト伝送モードにおいて及びマルチキャスト伝送モードにおいて、別々に測定されるＳＩＮＲ信号対干渉雑音比パラメータである。
【０１９３】
二次基地局に接続されるユーザ装置のチャネル品質情報は、二次基地局により接続されるユーザ装置により、二次基地局より送信される測定構成情報に従って測定を実行することによって、得られる。
【０１９４】
基地局は、メッシュを用いて、各二次基地局と相互接続し通信する。
【０１９５】
Ｓ１０３：基地局は、チャネル品質情報と、伝送変換装置から取得したビデオサービス情報とに従って、決定情報を生成し、伝送変換装置にその決定情報を送信する。
【０１９６】
具体的に、基地局は、チャネル品質情報と、伝送変換装置から取得したビデオサービス情報とに従って、決定情報を生成し、伝送変換装置にその決定情報を送信する。決定情報は、ビデオデータの伝送モードと伝送ビットレートとを含む。伝送変換装置は、ユニキャストサービスネットワーク要素とマルチキャストサービスネットワーク要素とにその決定情報を送信し得る。この場合、ユニキャストサービスネットワーク要素は、決定情報に含まれる、ビデオデータの伝送モードと伝送ビットレートとに従って、対応するＤＡＳＨビデオデータのユニキャスト伝送を現在の伝送ビットレートで実行し得る。マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行し得る。例えば、少数のユーザに要求されるビデオデータは、ユニキャスト伝送モードにおいて伝送されてよく、多数のユーザに同時に要求されるビデオデータは、マルチキャスト伝送モードにおいて伝送されてよく、例えば、ＭＢＳＦＮ伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【０１９７】
基地局は、容量最大化規則に従って、伝送ビットレートを判断する。容量最大化規則は、特定のネットワークリソース内において、ビデオサービスを得ることができるユーザの数量を、現在のネットワークリソースによりサポートされることができる最大値に達させること、加えて、ユーザにより得られるビデオサービスの品質を、現在のネットワークリソースによりサポートされることができる最大値に達させることを指す。容量最大化規則は、総消費リソースのサイズとビデオ品質のＰＳＮＲとに従って設定され得る。すなわち、容量最大化規則は、ビデオサービスを得るユーザの数量とビデオサービス品質との間のバランスを考慮することを可能にし得る。これにより、ユーザ数及びビデオサービス品質の両方が、最大値に達する。伝送ビットレートは、容量最大化規則に従って、選択され得る。これにより、より多くのユーザが、高品質ビデオサービスを得ることができる。
【０１９８】
マルチキャストサービスネットワーク要素は、ＢＭ−ＳＣネットワーク要素であってよい。伝送変換装置は、ＤＡＳＨサービスに対するユニキャスト及びマルチキャスト変換を実行するよう構成される新たに追加される制御管理エンティティである。伝送変換装置は、ＤＡＳＨプロキシネットワーク要素、ＢＭ−ＳＣネットワーク要素、又はＰ−ＧＷなどのエンティティに配置され得る。伝送変換装置が新たに追加されるエンティティであるので、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、ここで、そのインタフェースは、純ユーザプレーンインタフェースで、ＩＰネットワークベースインタフェースであり、これにより、伝送変換装置と基地局との間に定義されるインタフェースが、マルチメディア・ブロードキャストマルチキャスト・ゲートウェイと基地局との間に定義されるインタフェースと同じである。
【０１９９】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し、これにより、ビデオサービス情報を取得する。例えば、伝送変換装置は、ユーザ装置により要求されてユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【０２００】
ユーザ装置がユニキャスト及びマルチキャストチャネル品質を測定できる場合、基地局は、容量最大化規則と、チャネル品質情報と、伝送変換装置から取得したビデオサービス情報とに従って、決定情報を生成し得る。ユーザ装置がユニキャストチャネル品質のみを測定できる場合、基地局は、容量最大化規則と、チャネル品質情報と、マルチキャスト伝送モードにおける現在の基地局のチャンネル品質と、伝送変換装置から取得したビデオサービス情報とに従って、決定情報を生成し得る。この場合、マルチキャスト伝送モードにおける基地局のユーザ装置カバレッジが、予め設定されたカバレッジ閾値を超える。例えば、基地局は、参照マルチキャスト信号対雑音比として、マルチキャスト伝送モードにおいて伝送を実行する９５％のユーザ装置がカバーされるチャンネル品質を用いる。
【０２０１】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０２０２】
さらに図１４を参照すると、図１４は、本願発明の実施形態に係る別のビデオデータ伝送方法の概略フローチャートである。当該方法は以下の段階を備える。
【０２０３】
Ｓ２０１：基地局が、選択装置により送信される、選択結果についての情報とユーザ装置にチャネル品質試験を実行するよう命令するのに用いられる測定構成情報とを受信する場合、基地局は、選択結果に従って、現在の基地局が一次基地局であると判断する。
【０２０４】
具体的に、基地局が、選択装置により送信される、選択結果についての情報と測定構成情報とを受信する場合、基地局は、選択結果に従って、現在の基地局が一次基地局であると判断する。加えて、基地局は、ネットワークにおける別の基地局を二次基地局としてさらに認識し得る。選択結果は、選択規則に従って選択装置により選択される一次基地局と二次基地局とについての情報を含む。選択装置は、ＭＭＥネットワーク要素又はＭＣＥネットワーク要素であってよい。選択規則は、ネットワークから、一の基地局を一次基地局としてランダムに選択し、そのネットワークにおける別の基地局を二次基地局として用いること、又は、ネットワークから、最も多いユーザ装置に接続される基地局を一次基地局として選択し、そのネットワークにおける別の基地局を二次基地局として用いることであり得る。
【０２０５】
選択装置が選択結果を送信する前に、選択装置は、ＰＣＲＦネットワーク要素により送信される、ユーザ装置の識別情報とＥＣＧＩとに従って、ユーザ装置に対応する基地局を検索し、その対応する基地局にユーザ装置の識別情報を送信してよく、これにより、ユーザ装置のチャネル品質情報を収集するとき、各基地局は、受信したユーザ装置の識別情報により示されるユーザ装置に測定を実行するよう命令してよく、ここで、ユーザ装置の識別情報は、ＤＡＳＨビデオデータを要求するユーザ装置の識別情報を指す。
【０２０６】
選択装置が、ＰＣＲＦネットワーク要素により送信される、ユーザ装置の識別情報とＥＣＧＩとを受信する前に、ユニキャストサービスネットワーク要素は、ＰＣＲＦネットワーク要素に既知のユーザ装置情報を送信し得る。これにより、ＰＣＲＦネットワーク要素は、そのユーザ装置情報に従って、対応するユーザ装置の識別情報とＥＣＧＩとをクエリし得る。ＰＣＲＦネットワーク要素は、ユーザ装置の識別情報とＥＣＧＩとに従ってクエリすることによって、ユーザ装置が属する選択装置を得て、その対応する選択装置にユーザ装置の識別情報を送信し得る。ユニキャストサービスネットワーク要素は、ＤＡＳＨプロキシネットワーク要素であってよい。例えば、ＤＡＳＨプロキシネットワーク要素は、ＰＣＲＦネットワーク要素にユーザ装置のネットワークアドレスを送信する。次に、ＰＣＲＦネットワーク要素は、ユーザ装置のネットワークアドレスに従って、対応するユーザ装置の識別情報とＥＣＧＩとをクエリし、その対応するユーザ装置の識別情報とＥＣＧＩとに従って、ユーザ装置が属するＭＭＥネットワーク要素を判断し、サービス提供ゲートウェイを用いて、ＭＭＥネットワーク要素に対応するユーザ装置の識別情報とＥＣＧＩとを送信する。ＭＭＥネットワーク要素は、ネットワークにおける全ての基地局の識別情報に従って、各ユーザ装置の識別情報に対応する基地局を判断し、ユーザ装置に対応する基地局に、各ユーザ装置の識別情報を送信する。
【０２０７】
Ｓ２０２：基地局は、現在の基地局に接続されるユーザ装置と二次基地局とに測定構成情報を送信し、その測定構成情報に従って、現在の基地局に接続されるユーザ装置と二次基地局とによりフィードバックされる、二次基地局に接続されるユーザ装置のチャネル品質情報を受信する。
【０２０８】
具体的に、測定構成情報は、ユーザ装置の、チャンネル品質に対する測定パラメータと測定期間とを含み得る。ユーザ装置がマルチキャスト伝送モードにおいてチャネル品質情報を測定する性能を有する場合、ユーザ装置の、チャンネル品質に対する測定パラメータは、ユニキャスト伝送モードにおけるチャンネル品質の測定パラメータと、マルチキャスト伝送モードにおけるチャンネル品質の測定パラメータとを含んでよく、又は、ユーザ装置がマルチキャスト伝送モードにおいてチャネル品質情報を測定する性能を有しない場合、ユーザ装置の、チャンネル品質に対する測定パラメータは、ユニキャスト伝送モードにおけるチャンネル品質の測定パラメータを含んでよい。
【０２０９】
基地局は、現在の基地局に接続されるユーザ装置と二次基地局とに測定構成情報を送信し得る。現在の基地局に接続されるユーザ装置が測定構成情報を受信する場合、現在の基地局に接続されるユーザ装置は、測定構成情報に従って、ユニキャスト伝送モードにおけるチャンネル品質と、マルチキャスト伝送モードにおけるチャンネル品質とを別々に測定してよく、又は、ユニキャスト伝送モードにおけるチャンネル品質のみを測定してよい。現在の基地局に接続されるユーザ装置は、基地局に測定により得られるチャネル品質情報を送信する。二次基地局が測定構成情報を受信する場合、二次基地局は、二次基地局に接続されるユーザ装置に測定構成情報を配信し、二次基地局に接続されるユーザ装置によりアップロードされるチャネル品質情報を受信し得る。次に、二次基地局は、基地局にアップロードされたチャネル品質情報を送信する。
【０２１０】
チャネル品質情報は、現在の基地局に接続されるユーザ装置のチャネル品質情報と、二次基地局に接続されるユーザ装置のチャネル品質情報とを含む。チャネル品質情報は、ユーザ装置によりユニキャスト伝送モードにおいて測定されるＳＩＮＲ信号対干渉雑音比パラメータ、又は、ユーザ装置によりユニキャスト伝送モードにおいて及びマルチキャスト伝送モードにおいて別々に測定されるＳＩＮＲ信号対干渉雑音比パラメータである。
【０２１１】
二次基地局に接続されるユーザ装置のチャネル品質情報は、二次基地局に接続されるユーザ装置により、二次基地局により送信される測定構成情報に従って測定を実行することによって、得られる。
【０２１２】
Ｓ２０３：基地局は、予め設定されたＩＰネットワークベースインタフェースを用いて、伝送変換装置からビデオサービス情報を取得する。
【０２１３】
具体的に、基地局は、予め設定されたＩＰネットワークベースインタフェースを用いて、伝送変換装置からビデオサービス情報を取得してよく、ここで、ＩＰネットワークベースインタフェースは、基地局と伝送変換装置とを接続するよう構成されるインタフェースである。伝送変換装置が新たに追加されるエンティティであるので、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、ここで、インタフェースは、純ユーザプレーンインタフェースで、ＩＰネットワークベースインタフェースであり、これにより、伝送変換装置と基地局との間に定義されるインタフェースが、マルチメディア・ブロードキャストマルチキャスト・ゲートウェイと基地局との間に定義されたインタフェースと同じである。
【０２１４】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し、これにより、ビデオサービス情報を取得する。例えば、伝送変換装置は、ユーザ装置により要求され、ユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【０２１５】
Ｓ２０４：基地局は、チャネル品質情報と、伝送変換装置から取得したビデオサービス情報とに従って、ビデオデータの伝送モードを選択する。
【０２１６】
具体的に、基地局は、チャネル品質情報と、伝送変換装置から取得したビデオサービス情報とに従って、ビデオデータの伝送モードを選択し得る。基地局は、チャネル品質情報に従って、ビデオデータによりユニキャスト伝送モードにおいて消費される総リソースと、ビデオデータによりマルチキャスト伝送モードにおいて消費される総リソースとを別々に計算し得る。基地局は、より少ない総リソースが消費される伝送モードをビデオデータの伝送モードとして選択する。
【０２１７】
Ｓ２０５：基地局は、チャネル品質情報と、伝送変換装置から取得したビデオサービス情報とに従って、ビデオデータの伝送ビットレートを選択する。
【０２１８】
具体的に、基地局が対応する伝送モードを選択した後、基地局は、容量最大化規則と、チャネル品質情報と、伝送変換装置から取得したビデオサービス情報とに従って、ビデオデータの伝送ビットレートを選択し得る。第一に、基地局は、チャネル品質情報に従って、選択された伝送モードにおける各ビデオデータの単位消費リソースであってビデオビットレートクラス情報の各ビットレートに対応する単位消費リソースを別々に計算し得る。次に、基地局は、各ビデオデータの各ＤＡＳＨビットレートに対応するビデオ品質のＰＳＮＲに従って、かつ、対応する消費される単位消費リソースに従って、各ビデオデータに対応する伝送モードの伝送ビットレートを選択し得る。基地局により伝送ビットレートを選択する一の目的が、各ＲＢ上でより高いＲＳＮＲをもたらすサービスを可能な限り優先的に提供し、又は各ＲＢ上でより高いＲＳＮＲをもたらすユーザに可能な限り優先的にサービス提供をすることである。
【０２１９】
Ｓ２０６：基地局は、伝送変換装置に、ビデオデータの伝送モードとビデオデータの伝送ビットレートとを含む決定情報を送信する。
【０２２０】
基地局が対応する伝送モードと対応する伝送ビットレートを選択した後、基地局は、伝送変換装置に、ビデオデータの伝送モードとビデオデータの伝送ビットレートとを含む決定情報を送信し得る。これにより、伝送変換装置は、ユニキャストサービスネットワーク要素とマルチキャストサービスネットワーク要素とに、その決定情報を送信し得る。この場合、ユニキャストサービスネットワーク要素は、決定情報に含まれる、ビデオデータの伝送モードと伝送ビットレートとに従って、対応するＤＡＳＨビデオデータのユニキャスト伝送を現在の伝送ビットレートで実行し得る。マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行し得る。例えば、少数のユーザに要求されるビデオデータがユニキャスト伝送モードにおいて伝送されてよく、多数のユーザに同時に要求されるビデオデータがマルチキャスト伝送モードにおいて伝送されてよく、例えば、ＭＢＳＦＮ伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【０２２１】
チャネル品質情報は、ユーザ装置によりユニキャスト伝送モードにおいて測定される信号対干渉雑音比パラメータと、ユーザ装置によりマルチキャスト伝送モードにおいて測定される信号対干渉雑音比パラメータとを含み得る。ユーザ装置がユニキャスト伝送のチャンネル品質のみを測定できる場合、チャネル品質情報は、ユーザ装置によりユニキャスト伝送モードにおいて測定される信号対干渉雑音比パラメータと、マルチキャスト伝送モードにおける現在の基地局のチャンネル品質とを含んでよく、ここで、マルチキャスト伝送モードにおける現在の基地局のユーザ装置カバレッジが、予め設定されたカバレッジ閾値を超える。
【０２２２】
測定時間間隔が測定構成情報に含まれる測定期間に達する場合、本願発明のこの実施形態において提供される基地局はさらに、更新されたチャネル品質情報を受信し、決定情報を更新してよく、これにより、ビデオデータの伝送ビットレートを更新する。
【０２２３】
具体的に、基地局の測定時間間隔が測定構成情報に含まれる測定期間に達する場合、基地局は、現在の基地局に対応するユーザ装置と二次基地局とを用いて、チャネル品質情報を再収集してよく、これにより、基地局は、更新されたチャネル品質情報を受信し、更新されたチャネル品質情報に従って、決定情報を更新し得る。従って、ＤＡＳＨビデオデータに対して、更新された伝送ビットレートが次の瞬間に得られ得る。
【０２２４】
本願発明のこの実施形態において提供される基地局はさらに、一次基地局識別情報を伝送変換装置に送信してよく、これにより、伝送変換装置は、その一次基地局識別情報に従って、現在の基地局が一次基地局であると判断する。
【０２２５】
具体的に、基地局が選択結果を受信する場合、基地局は、伝送変換装置に一次基地局識別情報を送信してよく、これにより、伝送変換装置は、その一次基地局識別情報に従って、どの基地局が一次基地局かを認識してよく、伝送変換装置は、次にその一次基地局と通信し得る。
【０２２６】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０２２７】
さらに、図１５を参照すると、図１５は、本願発明の実施形態に係る伝送モード選択方法の概略フローチャートである。本願発明のこの実施形態における方法は、図１４に対応する実施形態におけるＳ２０４に対応し得る。伝送モード選択が、本願発明のこの実施形態における説明に用いられる。本願発明のこの実施形態における方法は、以下の段階を具体的に備える。
【０２２８】
Ｓ３０１：基地局は、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択する。
【０２２９】
具体的に、基地局は、ビデオサービス情報に含まれるビデオビットレートクラス情報から、チャネル品質情報に従って、ビデオデータがユニキャスト伝送及びマルチキャスト伝送の両方を満たすことができる最小ビットレートを参照ビットレートとして選択し得る。例えば、特定のビデオデータに対して、ビデオデータに対応するビデオビットレートクラス情報は、３つのビットレートクラス、すなわち、クラス１、クラス２、及びクラス３を含む。クラス１のビットレートが、ビデオデータがユニキャスト伝送及びマルチキャスト伝送の両方を満たすことができる最小ビットレートである場合、クラス１のビットレートは、参照ビットレートとして用いられる。
【０２３０】
Ｓ３０２：基地局は、ユニキャスト伝送モードにおいて参照ビットレートで消費される第１の総リソースを計算し、マルチキャスト伝送モードにおいて参照ビットレートで消費される第２の総リソースを計算する。
【０２３１】
特定のビデオデータに対して、基地局は、ユニキャスト伝送モードにおいて参照ビットレートで消費される第１の総リソースを計算し、マルチキャスト伝送モードにおいて参照ビットレートで消費される第２の総リソースを計算し得る。
【０２３２】
Ｓ３０３：基地局は、第１の総リソースを第２の総リソースと比較することによって、最小総リソースが消費される伝送モードをビデオデータの伝送モードとして選択する。
【０２３３】
特定のビデオデータによりユニキャスト伝送モードにおいて参照ビットレートで消費される第１の総リソースが、ビデオデータによりマルチキャスト伝送モードにおいて参照ビットレートで消費される第２の総リソースより少ないことを、基地局が比較により知った場合、基地局は、ユニキャスト伝送モードを選択してビデオデータを伝送する。特定のビデオデータによりユニキャスト伝送モードにおいて参照ビットレートで消費される第１の総リソースが、ビデオデータによりマルチキャスト伝送モードにおいて参照ビットレートで消費される第２の総リソースより多いことを基地局が比較により知った場合、基地局は、マルチキャスト伝送モードを選択してビデオデータを伝送する。
【０２３４】
チャネル品質情報は、ユーザ装置によりユニキャスト伝送モードにおいて測定される信号対干渉雑音比パラメータと、ユーザ装置によりマルチキャスト伝送モードにおいて測定される信号対干渉雑音比パラメータとを含んでよく、又は、チャネル品質情報は、ユーザ装置によりユニキャスト伝送モードにおいて測定される信号対干渉雑音比パラメータと、マルチキャスト伝送モードにおける現在の基地局のチャンネル品質とを含み、ここで、マルチキャスト伝送モードにおける現在の基地局のユーザ装置カバレッジが、予め設定されたカバレッジ閾値を超える。
【０２３５】
本願発明のこの実施形態において、ビデオデータの伝送モードが、チャネル品質情報を用いて選択され得る。これにより、ユニキャスト及びマルチキャストのハイブリッド伝送がＤＡＳＨサービスに対して柔軟に実行され得る。
【０２３６】
さらに、図１６を参照すると、図１６は、本願発明の実施形態に係る伝送ビットレート選択方法の概略フローチャートである。本願発明のこの実施形態における方法は、図１４に対応する実施形態におけるＳ２０５に対応し得る。伝送ビットレート選択が本願発明のこの実施形態における説明に用いられる。本願発明のこの実施形態における方法は、以下の段階を具体的に備える。
【０２３７】
Ｓ４０１：基地局は、チャネル品質情報と、ビデオサービス情報に含まれるビデオビットレートクラス情報とに従って、選択された伝送モードにおける各ビデオデータの単位消費リソースであってビデオビットレートクラス情報における各ビットレートに対応する単位消費リソースを別々に計算し、ここで、単位消費リソースは、各タイムスロットにおいて消費されるリソースである。
【０２３８】
具体的に、基地局によりマルチキャスト伝送モードにおいて計算される単位消費リソースの値が、各ビデオデータに対応する各ＤＡＳＨビットレートの、マルチキャストチャネル品質に対応する、ユニットリソースブロックの伝送レートに対する比率に等しく、ここで、マルチキャストチャネル品質は、チャネル品質情報内の最小マルチチャネル品質である。特定のビデオデータに対応する特定のビットレートに対して、基地局によりユニキャスト伝送モードにおいて計算される単位消費リソースの値が、ビットレートの、各種類のユニキャストチャネル品質に対応する、ユニットリソースブロックの伝送レートに対する比率の合計に等しく、ここで、ユニキャストチャネル品質は、ビデオデータを要求する各ユーザ装置のユニキャスト伝送モードにおけるチャンネル品質である。
【０２３９】
Ｓ４０２：基地局は、各ビットレートでの各ビデオデータのピーク信号対雑音比の、対応する単位消費リソースに対する計算比率を別々に計算する。
【０２４０】
具体的に、特定のビデオデータのＤＡＳＨビットレートに対して、基地局により計算される計算比率は、ＤＡＳＨビットレートでの各ユーザ装置のＰＳＮＲピーク信号対雑音比の合計の、各ユーザ装置に対応する単位消費リソースの合計に対する比率である。
【０２４１】
Ｓ４０３：基地局は、計算比率に従って、各ビットレートに対応する各ビデオデータのソーティング結果を生成し、そのソーティング結果を降順にトラバースする。
【０２４２】
具体的に、基地局は、計算比率の値に従って、各ビットレートに対応する各ビデオデータをソーティングし、チャネル品質情報に従って、そのソーティング結果を順次にトラバースする。例えば、それぞれのビットレートクラスが１、２、及び３のビデオデータＡ、Ｂ、及びＣが存在する。基地局により、計算比率に従って、降順に得られるソーティング結果が、Ａ１、Ａ２、Ｂ１、Ｃ１、Ａ３、Ｃ２、Ｃ３、及びＢ３であり得る。
【０２４３】
Ｓ４０４：基地局は、トラバーサル手順において、予め設定されたリソース条件を満たすことができる最小計算比率を選択する。
【０２４４】
具体的に、予め設定されたリソース条件は、マルチキャスト伝送モードにおいて消費されるリソースが、第１のサブフレーム数量閾値より少ないこと、及び、マルチキャスト伝送モード及びユニキャスト伝送モードにおいて消費される総リソースが第２のサブフレーム数量閾値より少ないことである。例えば、リソース条件は、総マルチキャストＲＢが選択された６つのサブフレーム内であり、総ＲＢが１つのフレーム（１０のサブフレーム）の範囲内であることである。基地局は、トラバーサル手順において、予め設定されたリソース条件を満たすことができる最小計算比率を選択し得る。例えば、それぞれのビットレートクラスが１、２、及び３のビデオデータＡ、Ｂ、及びＣが存在する。基地局により、計算比率に従って、降順に得られるソーティング結果が、Ａ１、Ａ２、Ｂ１、Ｃ１、Ａ３、Ｃ２、Ｃ３、及びＢ３であり得る。Ｃ１が予め設定されたリソース条件を満たすことができる最小計算比率である場合、Ａ１、Ａ２、Ｂ１、及びＣ１は全て、予め設定されたリソース条件を満たすことができる。
【０２４５】
Ｓ４０５：基地局は、予め設定されたリソース条件を満たすことができる最小計算比率より大きい又はそれに等しい計算比率に対応するビデオデータに従って、各ビデオデータに対応する現在最大伝送ビットレートを別々に選択する。
【０２４６】
具体的に、基地局は、予め設定されたリソース条件を満たすことができる最小計算比率より大きい又はそれに等しい計算比率に対応するビデオデータに従って、各ビデオデータに対応する現在最大伝送ビットレートを別々に選択してよく、ここで、各ビデオデータの現在最大伝送ビットレートに対応する計算比率が予め設定されたリソース条件を満たすことができる最小計算比率より大きい又はそれに等しい。
【０２４７】
例えば、それぞれのビットレートクラスが１、２、及び３のビデオデータＡ、Ｂ、及びＣが存在する。計算比率に従って降順に得られるソーティング結果が、Ａ１、Ａ２、Ｂ１、Ｃ１、Ａ３、Ｃ２、Ｃ３、及びＢ３であり得る。ビデオデータＢが３つのユーザ装置に対応する場合、ビデオデータＡは、マルチキャストを用いて伝送され、ビデオデータＢは、ユニキャストを用いて伝送され、ビデオデータＣは、マルチキャストを用いて伝送され、Ｂ１がリソース条件を満たすとき、基地局は、ビデオデータＡの伝送ビットレートクラスを２として選択する。ビデオデータＢに対して、基地局は、ビデオデータＢに対応する全てのユーザ装置の伝送ビットレートクラスを２に設定し得る。代替的に、基地局はまず、ビデオデータＢに対応する３つのユーザ装置の３つのビットレートクラスに対応するＰＳＮＲの、単位消費リソースに対する比率を、降順にソーティングし得る。仮に３つのユーザ装置がａ、ｂ、及びｃだとして、ソーティング結果は、ａ１、ｂ１、ｃ１、ａ２、ｂ２、ｃ２、ａ３、ｂ３、及びｃ３であり得る。次に、基地局は、ソーティング結果をトラバースする。ｂ２がリソース条件を満たしており、ｃ２がリソース条件を満たすことができないと検出した場合、基地局は、ユーザ装置ａのビットレートクラスを２に設定し、ユーザ装置ｂのビットレートクラスを２に設定し、ユーザ装置ｃのビットレートクラスを１に設定し得る。リソースが要求を満たすことができないという状況がＣ２で初めて発生する場合、ビデオデータＣがマルチキャストを用いて伝送されるので、この場合、ビデオデータＣの全てのユーザ装置の伝送ビットレートが、クラス１の伝送ビットレートしかならず、ビデオデータＡの全てのユーザ装置の伝送ビットレートがクラス３の伝送ビットレートであってよく、ビデオデータＢのユーザ装置の伝送ビットレートは、少なくともクラス１の伝送ビットレートであってよい。
【０２４８】
Ｓ４０１からＳ４０５に実行される全ての段階は、容量最大化規則に基づいて実行される。伝送ビットレートが容量最大化規則を用いて選択され、これにより、より多くのユーザが高品質ビデオサービスを得ることができる。
【０２４９】
本願発明のこの実施形態において、各ビデオデータに対応する伝送モードの伝送ビットレートが、チャネル品質情報を用いて選択され得る。これにより、ＤＡＳＨサービスがネットワーク帯域幅などの無線リソースをより良く用いることができる。
【０２５０】
本願発明のこの実施形態において、各ビデオデータに対応する伝送モードの伝送ビットレートが、ユニキャスト伝送モードにおけるチャンネル品質を含むチャネル品質情報を用いて、かつ、マルチキャスト伝送モードにおける基地局のチャンネル品質を用いて、選択され得る。これにより、ユーザ装置がマルチキャストチャネル品質を収集することができない場合であって、ＤＡＳＨサービスが依然と、ネットワーク帯域幅などの無線リソースを良く用いることができる。
【０２５１】
図１７をさらに参照すると、図１７は、本願発明の実施形態に係るさらなる別のビデオデータ伝送方法の概略フローチャートである。当該方法は、以下の段階を備える。
【０２５２】
Ｓ５０１：伝送変換装置が、ユニキャストサービスネットワーク要素のビデオサービス情報を取得する。
【０２５３】
具体的に、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。伝送変換装置は、ユニキャストサービスネットワーク要素からビデオサービス情報を取得し得る。ユニキャストサービスネットワーク要素が、ユーザ装置に、ＤＡＳＨサーバにより返されるメディア表示記述を伝送する場合、ユニキャストサービスネットワーク要素は、そのメディア表示記述を傍受して解析し、これにより、ビデオサービス情報を取得する。例えば、伝送変換装置は、ユーザ装置により要求され、ユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【０２５４】
Ｓ５０２：伝送変換装置は、選択装置により選択される一次基地局である基地局にビデオサービス情報を送信し、これにより、基地局は、ビデオサービス情報と取得した各ユーザ装置のチャネル品質情報に従って、決定情報を生成する。
【０２５５】
具体的に、伝送変換装置は、予め設定されたＩＰネットワークベースインタフェースを用いて基地局にビデオサービス情報を送信し得る。ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。ＩＰネットワークベースインタフェースは、基地局と伝送変換装置とを接続するよう構成されるインタフェースである。
【０２５６】
伝送変換装置が新たに追加されるエンティティであるので、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、ここで、そのインタフェースは、純ユーザプレーンインタフェースで、ＩＰネットワークベースインタフェースであり、これにより、伝送変換装置と基地局との間に定義されるインタフェースが、マルチメディア・ブロードキャストマルチキャスト・ゲートウェイと基地局との間に定義されたインタフェースと同じである。
【０２５７】
伝送変換装置がビデオサービス情報を基地局に送信した後、基地局は、ビデオサービス情報と、取得した各ユーザ装置のチャネル品質情報と、容量最大化規則とに従って、決定情報を生成し得る。基地局が決定情報を生成する具体的な実施手順について、図１３から図１６に対応する複数の方法の実施形態を参照してよく、詳細はここでは説明されない。
【０２５８】
Ｓ５０３：伝送変換装置は、基地局により送信される決定情報を受信し、ユニキャストサービスネットワーク要素とマルチキャストサービスネットワーク要素とに、決定情報を別々に送信し、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。
【０２５９】
具体的に、基地局が決定情報を生成した後、伝送変換装置は、基地局により送信される決定情報を受信し、ユニキャストサービスネットワーク要素とマルチキャストサービスネットワーク要素とに、決定情報を別々に送信してよく、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。決定情報は、ビデオデータの伝送モードとビデオデータの伝送ビットレートを含む。この場合、ユニキャストサービスネットワーク要素は、決定情報に含まれる、ビデオデータの伝送モードと伝送ビットレートとに従って、対応するＤＡＳＨビデオデータのユニキャスト伝送を現在の伝送ビットレートで実行し得る。マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行し得る。例えば、少数のユーザに要求されるビデオデータがユニキャスト伝送モードにおいて伝送されてよく、多数のユーザに同時に要求されるビデオデータがマルチキャスト伝送モードにおいて伝送されてよく、例えば、ＭＢＳＦＮ伝送モードにおいて伝送されてよい。この伝送モードにおいて、周波数リソースを減少させることができ、スペクトル利用率を増加させることができ、これにより、ＤＡＳＨサービスがネットワーク帯域幅などの無線リソースをより良く用いることができる。
【０２６０】
ユニキャストサービスネットワーク要素は、ＤＡＳＨプロキシネットワーク要素であってよく、マルチキャストサービスネットワーク要素は、ＢＭ−ＳＣネットワーク要素であってよい。伝送変換装置は、ＤＡＳＨサービスのユニキャスト及びマルチキャスト変換を実行するよう構成される新たに追加される制御管理エンティティである。伝送変換装置は、ＤＡＳＨプロキシネットワーク要素、ＢＭ−ＳＣネットワーク要素、又はＰ−ＧＷなどのエンティティに配置され得る。
【０２６１】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０２６２】
図１８をさらに参照すると、図１８は、本願発明の実施形態に係るまた別のビデオデータ伝送方法の概略フローチャートである。当該方法は、以下の段階を備える。
【０２６３】
Ｓ６０１：選択装置が一次基地局と二次基地局とを選択し、一次基地局についての情報と二次基地局についての情報とを含む選択結果を生成する。
【０２６４】
具体的に、選択装置は、ＭＭＥネットワーク要素又はＭＣＥネットワーク要素であってよい。選択装置により一次基地局と二次基地局とを選択する段階は、ネットワークから一の基地局を一次基地局としてランダムに選択し、そのネットワークにおける別の基地局を二次基地局として用いる段階、又は、ネットワークから、最も多いユーザ装置に接続される一の基地局を一次基地局として選択し、そのネットワークにおける別の基地局を二次基地局として用いる段階、若しくは、ネットワークから最良のハードウェア性能を提供する一の基地局を一次基地局として選択し、そのネットワークにおける別の基地局を二次基地局として用いる段階を含み得る。選択装置は、一次基地局と二次基地局とを選択し、選択結果を生成してよく、ここで、選択結果は、一次基地局についての情報と二次基地局についての情報とを含む。
【０２６５】
Ｓ６０２：選択装置は、基地局に、選択結果とユーザ装置にチャネル品質試験を実行するよう命令するのに用いられる測定構成情報とを送信し、これにより、基地局は、選択結果と測定構成情報に従って、チャネル品質情報を取得し、これにより、ビデオデータのユニキャスト伝送及び／又はマルチキャスト伝送を実行するのに用いられる決定情報を生成する。
【０２６６】
選択装置は、測定構成情報をさらに生成してよく、ここで、測定構成情報は、ユニキャスト及びマルチキャストチャネル品質の測定パラメータを含み、又は、ユニキャストチャネル品質の測定パラメータのみを有し、測定構成情報は、測定期間をさらに含み得る。選択装置は、選択結果と測定構成情報とを基地局に送信してよく、これにより、基地局は、選択結果と測定構成情報とに従って、チャネル品質情報を取得し、これにより、ビデオデータのユニキャスト伝送及び／又はマルチキャスト伝送を実行するのに用いられる決定情報を生成する。基地局は、伝送変換装置から取得したビデオサービス情報と、取得した各ユーザ装置のチャネル品質情報と、容量最大化規則とに従って、決定情報を生成し、ユニキャストサービスネットワーク要素とマルチキャストサービスネットワーク要素とに、決定情報を別々に送信し、これにより、ユニキャストサービスネットワーク要素とマルチキャストサービスネットワーク要素とはそれぞれ、ビデオデータのユニキャスト伝送を実行し、ビデオデータのマルチキャスト伝送を実行する。基地局が決定情報を生成する具体的な実施手順について、図１３から図１６に対応する複数の方法の実施形態を参照してよく、詳細はここでは説明されない。
【０２６７】
選択装置は、ＰＣＲＦポリシ及び課金ルール機能ネットワーク要素により送信される、現在の選択装置に対応するユーザ装置の識別情報とＥＣＧＩとを受信する。
【０２６８】
選択装置は、ユーザ装置の識別情報とＥＣＧＩとに従って検索することによって、ユーザ装置に対応する基地局を得てユーザ装置の識別情報を対応する基地局に送信する。
【０２６９】
具体的に、選択装置が選択結果を送信する前に、選択装置は、ＰＣＲＦネットワーク要素により送信される、ユーザ装置の識別情報とＥＣＧＩとに従って、ユーザ装置に対応する基地局を検索し、ユーザ装置の識別情報を対応する基地局に送信し得る。これにより、ユーザ装置のチャネル品質情報を収集するとき、各基地局は、受信したユーザ装置の識別情報により示されるユーザ装置に測定を実行するよう命令してよく、ここで、ユーザ装置の識別情報は、ＤＡＳＨビデオデータを要求するユーザ装置の識別情報を指す。
【０２７０】
ユーザ装置の識別情報とＥＣＧＩとは、ＰＣＲＦポリシ及び課金ルール機能ネットワーク要素により、ユニキャストサービスネットワーク要素により送信されるユーザ装置ネットワークアドレスに従って検索することによって、得られる。
【０２７１】
ＰＣＲＦネットワーク要素により送信される、選択装置がユーザ装置の識別情報とＥＣＧＩとを受信する前に、ユニキャストサービスネットワーク要素は、ＰＣＲＦネットワーク要素に既知のユーザ装置情報を送信してよく、これにより、ＰＣＲＦネットワーク要素は、ユーザ装置情報に従って、対応するユーザ装置の識別情報とＥＣＧＩとをクエリし得る。ＰＣＲＦネットワーク要素は、ユーザ装置の識別情報とＥＣＧＩとに従ってクエリすることによって、ユーザ装置が属する選択装置を得て、その対応する選択装置にユーザ装置の識別情報を送信し得る。ユニキャストサービスネットワーク要素は、ＤＡＳＨプロキシネットワーク要素であってよい。例えば、ＤＡＳＨプロキシネットワーク要素は、ユーザ装置ネットワークアドレスをＰＣＲＦネットワーク要素に送信する。次に、ＰＣＲＦネットワーク要素は、ユーザ装置ネットワークアドレスに従って、対応するユーザ装置の識別情報とＥＣＧＩとをクエリし、対応するユーザ装置の識別情報とＥＣＧＩとに従って、ユーザ装置が属するＭＭＥネットワーク要素を判断し、サービス提供ゲートウェイを用いて、ＭＭＥネットワーク要素に対応するユーザ装置の識別情報とＥＣＧＩとを送信する。ＭＭＥネットワーク要素は、ネットワークにおける全ての基地局の識別情報に従って、各ユーザ装置の識別情報に対応する基地局を判断し、ユーザ装置に対応する基地局に、各ユーザ装置の識別情報を送信する。
【０２７２】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０２７３】
以下では、本願発明において提供されるビデオデータ伝送方法のプロセスを詳細に説明する。
【０２７４】
ユニキャストサービスネットワーク要素が、取得したユーザ装置情報をＰＣＲＦネットワーク要素に送信する。
【０２７５】
ＰＣＲＦネットワーク要素は、ユーザ装置情報に従って、対応するユーザ装置の識別情報とＥＣＧＩとをクエリする。
【０２７６】
ＰＣＲＦは、対応する選択装置に、クエリすることによって得られる、ユーザ装置の識別情報とＥＣＧＩとを送信する。
【０２７７】
選択装置は、ユーザ装置の識別情報とＥＣＧＩとに従って、各ユーザ装置と各基地局との間の対応関係を判断する。
【０２７８】
選択装置は、その対応関係に従って、ユーザ装置の識別情報を各対応する基地局に送信し、これにより、各基地局は、その基地局に接続されＤＡＳＨビデオデータを要求するユーザ装置を認識し得る。
【０２７９】
選択装置は、一次基地局と二次基地局とを選択し、選択結果を生成し、その選択結果と測定構成情報とを選択結果に示される一次基地局に送信する。
【０２８０】
ユニキャストサービスネットワーク要素は、取得されるＤＡＳＨビデオサービス情報を伝送変換装置に送信する。
【０２８１】
一次基地局は、伝送変換装置におけるＤＡＳＨビデオサービス情報を取得し、測定構成情報に従って、ＤＡＳＨビデオデータを要求するユーザ装置と二次基地局とにチャネル品質情報を収集するよう命令し、ここで、ユーザ装置と二次基地局とは一次基地局に接続される。
【０２８２】
一次基地局は、容量最大化規則と、チャネル品質情報と、ＤＡＳＨビデオサービス情報とに従って、決定情報を生成し、ユニキャストサービスネットワーク要素とマルチキャストサービスネットワーク要素とにその決定情報を送信する。
【０２８３】
ユニキャストサービスネットワーク要素は、その決定情報に従って、ユニキャスト伝送モードにおいて伝送されるよう、対応するＤＡＳＨビデオデータを制御する。
【０２８４】
マルチキャストサービスネットワーク要素は、決定情報に従って、マルチキャスト伝送モードにおいて伝送されるよう、対応するＤＡＳＨビデオデータを制御する。
【０２８５】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて及びマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザに対してより高いビデオ品質を提供することができ、これにより、様々なユーザの要求を満たす。
【０２８６】
本願発明の実施形態が、コンピュータ記憶媒体をさらに提供する。当該コンピュータ記憶媒体は、プログラムを格納し得る。当該プログラムが実行されたとき、図１３から図１６の複数の方法の実施形態に記録されるビデオデータ伝送方法のいくつかの又は全ての段階が含まれる。
【０２８７】
本願発明の実施形態が、別のコンピュータ記憶媒体をさらに提供する。当該コンピュータ記憶媒体は、プログラムを格納し得る。当該プログラムが実行されたとき、図１７の方法の実施形態に記録されるビデオデータ伝送方法のいくつかの又は全ての段階が含まれる。
【０２８８】
本願発明の実施形態が、さらなる別のコンピュータ記憶媒体をさらに提供する。当該コンピュータ記憶媒体がプログラムを格納し得る。プログラムが実行されたとき、図１８の方法の実施形態に記録されるビデオデータ伝送方法のいくつかの又は全ての段階が含まれる。
【０２８９】
当業者であれば、複数の実施形態における複数の方法の全て又はいくつかのプロセスがコンピュータプログラム命令関連ハードウェアにより実装され得ることを理解し得る。プログラムは、コンピュータ可読記憶媒体に格納され得る。プログラムが実行されたとき、複数の実施形態における複数の方法の複数のプロセスが実行される。上述の記憶媒体は、磁気ディスク、光ディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、又は同様のものを含み得る。
【０２９０】
上で開示されているのが本願発明の複数の例示的な実施形態に過ぎず、本願発明の保護範囲を制限することを勿論、意図されない。従って、本願発明の請求項に従って成された複数の同等の変形例が本願発明の範囲内に含まれるべきである。
【図１】
2017513287.tif 000003
【図２】
2017513287.tif 000004
【図３】
2017513287.tif 000005
【図４】
2017513287.tif 000006
【図５】
2017513287.tif 000007
【図６】
2017513287.tif 000008
【図７】
2017513287.tif 000009
【図８】
2017513287.tif 000010
【図９】
2017513287.tif 000011
【図１０】
2017513287.tif 000012
【図１１】
2017513287.tif 000013
【図１２】
2017513287.tif 000014
【図１３】
2017513287.tif 000015
【図１４】
2017513287.tif 000016
【図１５】
2017513287.tif 000017
【図１６】
2017513287.tif 000018
【図１７】
2017513287.tif 000019
【図１８】
2017513287.tif 000020
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
プロセッサと、通信インタフェースと、メモリとを備える基地局であって、
前記通信インタフェースは、伝送変換装置、選択装置、ユーザ装置、及び二次基地局と通信し、
前記メモリは、プログラムを格納し、
前記プロセッサは、前記プログラムを実行し、これにより、
前記選択装置により送信される、選択結果についての情報と、ユーザ装置にチャネル品質試験を実行するよう命令するのに用いられる測定構成情報とを受信する場合、
前記選択装置により選択される一次基地局と二次基地局とについての情報を含む前記選択結果に従って、現在の前記基地局が一次基地局であると判断することと、
現在の前記基地局に接続されるユーザ装置と二次基地局とに前記測定構成情報を送信し、前記測定構成情報に従って、現在の前記基地局に接続される前記ユーザ装置と前記二次基地局とによりフィードバックされる、前記二次基地局に接続されるユーザ装置のチャネル品質情報を受信することと、
前記チャネル品質情報と、前記伝送変換装置から取得したビデオサービス情報とに従って、決定情報を生成し、前記伝送変換装置に前記決定情報を送信すること
を実行し、
これにより、前記伝送変換装置が、前記決定情報に従って、ユニキャストサービスネットワーク要素にビデオデータのユニキャスト伝送を実行するよう命令し、及び／又は、前記決定情報に従って、マルチキャストサービスネットワーク要素にビデオデータのマルチキャスト伝送を実行するよう命令し、
前記決定情報は、前記ビデオデータの伝送モードと伝送ビットレートとを含む、
基地局。
【請求項２】
前記プロセッサはさらに、前記伝送変換装置から、予め設定されたＩＰネットワークベースインタフェースを用いて前記ビデオサービス情報を取得し、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、
前記ＩＰネットワークベースインタフェースは、前記基地局と前記伝送変換装置とに接続するインタフェースである、
請求項１に記載の基地局。
【請求項３】
前記二次基地局に接続される前記ユーザ装置の前記チャネル品質情報は、前記二次基地局に接続される前記ユーザ装置により、前記二次基地局により送信される前記測定構成情報に従って測定を実行することによって得られる、
請求項１又は２に記載の基地局。
【請求項４】
前記プロセッサは、
前記チャネル品質情報と前記伝送変換装置から取得した前記ビデオサービス情報とに従って、前記ビデオデータの前記伝送モードを選択し、
前記チャネル品質情報と前記伝送変換装置から取得した前記ビデオサービス情報とに従って、前記ビデオデータの前記伝送ビットレートを選択し、
前記伝送変換装置に、前記ビデオデータの前記伝送モードと前記ビデオデータの前記伝送ビットレートとを含む前記決定情報を送信する、
請求項３に記載の基地局。
【請求項５】
前記プロセッサは、
前記ビデオサービス情報に含まれる前記ビデオデータに対応する少なくとも１つのビットレートを含むビデオビットレートクラス情報から、前記チャネル品質情報に従って、前記ビデオデータが前記ユニキャスト伝送及び前記マルチキャスト伝送の両方を満たすことができる最小ビットレートを参照ビットレートとして選択し、
ユニキャスト伝送モードにおいて前記参照ビットレートで消費される第１の総リソースを計算し、マルチキャスト伝送モードにおいて前記参照ビットレートで消費される第２の総リソースを計算し、
前記第１の総リソースを前記第２の総リソースと比較することによって、最小総リソースが消費される伝送モードを前記ビデオデータの前記伝送モードとして選択する、
請求項４に記載の基地局。
【請求項６】
前記プロセッサは、
前記チャネル品質情報と、前記ビデオサービス情報に含まれる前記ビデオビットレートクラス情報とに従って、選択された前記伝送モードにおける各ビデオデータのユニット消費リソースであって前記ビデオビットレートクラス情報の各ビットレートに対応する、各タイムスロットにおいて消費されるリソースであるユニット消費リソースを別々に計算し、
各ビットレートでの各ビデオデータのピーク信号対雑音比の、対応するユニット消費リソースに対する計算比率を別々に計算し、
前記計算比率に従って、各ビットレートに対応する各ビデオデータのソーティング結果を生成し、前記ソーティング結果を降順にトラバースし、
トラバーサル手順において、予め設定されたリソース条件を満たすことができる最小計算比率を選択し、
前記予め設定されたリソース条件を満たすことができる前記最小計算比率より大きい又はそれに等しい計算比率に対応するビデオデータに従って、各ビデオデータに対応する現在最大伝送ビットレートを別々に選択し、
各ビデオデータの前記現在最大伝送ビットレートに対応する計算比率が、前記予め設定されたリソース条件を満たすことができる前記最小計算比率より大きい又はそれに等しく、前記予め設定されたリソース条件は、前記マルチキャスト伝送モードにおいて消費されるリソースが第１のサブフレーム数量閾値より少ないこと、及び、前記マルチキャスト伝送モード及び前記ユニキャスト伝送モードにおいて消費される総リソースが第２のサブフレーム数量閾値より少ないことである、
請求項５に記載の基地局。
【請求項７】
前記チャネル品質情報は、前記ユーザ装置により前記ユニキャスト伝送モードにおいて測定される信号対干渉雑音比（ＳＩＮＲ）パラメータと、前記ユーザ装置により前記マルチキャスト伝送モードにおいて測定される信号対干渉雑音比パラメータとを含み、又は、
前記チャネル品質情報は、前記ユーザ装置により前記ユニキャスト伝送モードにおいて測定される信号対干渉雑音比パラメータと、前記マルチキャスト伝送モードにおける現在の前記基地局のチャンネル品質とを含み、ここで、前記マルチキャスト伝送モードにおける現在の前記基地局のユーザ装置カバレッジが、予め設定されたカバレッジ閾値を超える、
請求項５又は６に記載の基地局。
【請求項８】
前記プロセッサは、前記ビデオデータの前記伝送ビットレートを更新するよう、測定時間間隔が前記測定構成情報に含まれる測定期間に達する場合、更新されたチャネル品質情報を受信し、前記決定情報を更新する、
請求項４から７の何れか一項に記載の基地局。
【請求項９】
前記プロセッサは、前記伝送変換装置に一次基地局識別情報を送信し、これにより、前記伝送変換装置は、前記一次基地局識別情報に従って、現在の前記基地局が前記一次基地局であると判断する、
請求項１から８の何れか一項に記載の基地局。
【請求項１０】
プロセッサと、通信インタフェースと、メモリとを備える伝送変換装置であって
前記通信インタフェースは、基地局、ユニキャストサービスネットワーク要素、及びマルチキャストサービスネットワーク要素と通信し、
前記メモリは、プログラムを格納し、
前記プロセッサは、前記プログラムを実行し、これにより、
前記ユニキャストサービスネットワーク要素のビデオサービス情報を取得することと、
選択装置により選択される一次基地局である前記基地局が、前記ビデオサービス情報と、取得した各ユーザ装置のチャネル品質情報とに従って、決定情報を生成するよう、前記基地局に、前記ビデオサービス情報を送信することと、
前記基地局により送信される前記決定情報を受信し、前記ユニキャストサービスネットワーク要素と前記マルチキャストサービスネットワーク要素とに前記決定情報を別々に送信することと
を実行し、
これにより、前記ユニキャストサービスネットワーク要素と前記マルチキャストサービスネットワーク要素とはそれぞれ、ビデオデータのユニキャスト伝送を実行し、ビデオデータのマルチキャスト伝送を実行する、
装置。
【請求項１１】
前記プロセッサは、
予め設定されたＩＰネットワークベースインタフェースを用いて、前記基地局に前記ビデオサービス情報を送信し、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、前記ＩＰネットワークベースインタフェースは、前記基地局と前記伝送変換装置とに接続するインタフェースである、
請求項１０に記載の装置。
【請求項１２】
前記決定情報は、前記ビデオデータの伝送モードと前記ビデオデータの伝送ビットレートとを含む、
請求項１０又は１１に記載の装置。
【請求項１３】
プロセッサと、通信インタフェースと、メモリとを備える選択装置であって、
前記通信インタフェースは、ポリシ及び課金ルール機能ネットワーク要素（ＰＣＲＦネットワーク要素）及び基地局と通信し、
前記メモリは、プログラムを格納し、
前記プロセッサは、前記プログラムを実行し、これにより、
一次基地局と二次基地局とを選択し、前記一次基地局についての情報と前記二次基地局についての情報とを含む選択結果を生成することと、
基地局に、前記選択結果とユーザ装置にチャネル品質試験を実行するよう命令するのに用いられる測定構成情報とを送信することと
を実行し、
これにより、前記基地局は、ビデオデータのユニキャスト伝送及び／又はマルチキャスト伝送を実行するのに用いられる決定情報を生成するよう、前記選択結果と前記測定構成情報とに従って、チャネル品質情報を取得し、
前記選択結果を受信する前記基地局は、選択結果における前記一次基地局についての前記情報に対応する基地局である、
装置。
【請求項１４】
前記プロセッサは、
ネットワークから一の基地局を前記一次基地局としてランダムに選択し、前記ネットワークにおける別の基地局を前記二次基地局として用いる、又は、
ネットワークから、最も多いユーザ装置に接続される一の基地局を前記一次基地局として選択し、前記ネットワークにおける別の基地局を前記二次基地局として用いる、若しくは、
ネットワークから最良のハードウェア性能を提供する一の基地局を前記一次基地局として選択し、前記ネットワークにおける別の基地局を前記二次基地局として用いる、
請求項１３に記載の装置。
【請求項１５】
前記プロセッサは、
前記ＰＣＲＦネットワーク要素により送信される、現在の前記選択装置に対応するユーザ装置の識別情報とＥ−ＵＴＲＡＮセルグローバル識別子（ＥＣＧＩ）とを受信し、
前記ユーザ装置の前記識別情報と前記ＥＣＧＩとに従って検索することによって前記ユーザ装置に対応する基地局を得て、前記対応する基地局に前記ユーザ装置の前記識別情報を送信し、
前記ユーザ装置の前記識別情報と前記ＥＣＧＩとは、ユニキャストサービスネットワーク要素により送信されるユーザ装置ネットワークアドレスに従って検索することによって、前記ＰＣＲＦネットワーク要素により得られる、
請求項１３又は１４に記載の装置。
【請求項１６】
ビデオデータ伝送方法であって、
選択装置により送信される、選択結果についての情報とユーザ装置にチャネル品質試験を実行するよう命令するのに用いられる測定構成情報とを基地局が受信する場合、
前記基地局により、前記選択装置により選択される一次基地局と二次基地局とについての情報を含む前記選択結果に従って、現在の前記基地局が一次基地局であると判断する段階と、
前記基地局により、現在の前記基地局に接続されるユーザ装置と二次基地局とに前記測定構成情報を送信し、前記測定構成情報に従って、現在の前記基地局に接続される前記ユーザ装置と前記二次基地局とによりフィードバックされる、前記二次基地局に接続されるユーザ装置のチャネル品質情報を受信する段階と、
前記チャネル品質情報と、伝送変換装置から取得したビデオサービス情報とに従って、前記基地局により決定情報を生成し、前記伝送変換装置に前記決定情報を送信する段階であって、これにより、前記伝送変換装置は、前記決定情報に従って、ユニキャストサービスネットワーク要素にビデオデータのユニキャスト伝送を実行するよう命令し、及び／又は、前記決定情報に従って、マルチキャストサービスネットワーク要素にビデオデータのマルチキャスト伝送を実行するよう命令し、前記決定情報は、前記ビデオデータの伝送モードと伝送ビットレートとを含む、段階と
を備える
方法。
【請求項１７】
前記チャネル品質情報と、伝送変換装置から取得したビデオサービス情報とに従って、前記基地局により決定情報を生成し、前記伝送変換装置に前記決定情報を送信する前記段階の前に、前記方法は、
前記基地局により、予め設定されたＩＰネットワークベースインタフェースを用いて、前記伝送変換装置から前記ビデオサービス情報を取得する段階をさらに備え、
前記ビデオサービス情報は、前記ユーザ装置により要求される前記ビデオデータのアドレスと、前記ビデオデータの前記アドレスに対応するビデオビットレートクラス情報とを含み、前記ビットレートクラス情報は、前記ビデオデータに対応する少なくとも１つのビットレートを含み、前記ＩＰネットワークベースインタフェースは、前記基地局と前記伝送変換装置とに接続するインタフェースである、
請求項１６に記載の方法。
【請求項１８】
前記二次基地局に接続される前記ユーザ装置の前記チャネル品質情報は、前記二次基地局に接続される前記ユーザ装置により、前記二次基地局により送信される前記測定構成情報に従って測定を実行することによって得られる、
請求項１６又は１７に記載の方法。
【請求項１９】
前記チャネル品質情報と、伝送変換装置から取得したビデオサービス情報とに従って、前記基地局により決定情報を生成し、前記伝送変換装置に前記決定情報を送信する前記段階は、
前記チャネル品質情報と、前記伝送変換装置から取得した前記ビデオサービス情報とに従って、前記基地局により前記ビデオデータの前記伝送モードを選択する段階と、
前記チャネル品質情報と、前記伝送変換装置から取得した前記ビデオサービス情報とに従って、前記基地局により前記ビデオデータの前記伝送ビットレートを選択する段階と、
前記基地局により、前記伝送変換装置に、前記ビデオデータの前記伝送モードと前記ビデオデータの前記伝送ビットレートとを含む前記決定情報を送信する段階と
を含む、
請求項１８に記載の方法。
【請求項２０】
前記チャネル品質情報と、前記伝送変換装置から取得した前記ビデオサービス情報とに従って、前記基地局により前記ビデオデータの前記伝送モードを選択する前記段階は、
前記基地局により、前記ビデオサービス情報に含まれる、前記ビデオデータに対応する少なくとも１つのビットレートを含むビデオビットレートクラス情報から、前記チャネル品質情報に従って、前記ビデオデータが前記ユニキャスト伝送及び前記マルチキャスト伝送の両方を満たすことができる最小ビットレートを参照ビットレートとして選択する段階と、
前記基地局により、ユニキャスト伝送モードにおいて前記参照ビットレートで消費される第１の総リソースを計算し、マルチキャスト伝送モードにおいて前記参照ビットレートで消費される第２の総リソースを計算する段階と、
前記基地局により、前記第１の総リソースを前記第２の総リソースと比較することによって、最小総リソースが消費される伝送モードを前記ビデオデータの前記伝送モードとして選択する段階と
を含む、
請求項１９に記載の方法。
【請求項２１】
前記チャネル品質情報と、前記伝送変換装置から取得した前記ビデオサービス情報とに従って、前記基地局により前記ビデオデータの前記伝送ビットレートを選択する前記段階は、
前記基地局により、前記チャネル品質情報と、前記ビデオサービス情報に含まれる前記ビデオビットレートクラス情報とに従って、前記ビデオビットレートクラス情報の各ビットレートに対応する、選択された前記伝送モードの各ビデオデータのユニット消費リソースを別々に計算する段階であって、前記ユニット消費リソースは各タイムスロットにおいて消費されるリソースである、段階と、
前記基地局により、各ビットレートでの各ビデオデータのピーク信号対雑音比の、対応するユニット消費リソースに対する計算比率を別々に計算する段階と、
前記基地局により、前記計算比率に従って、各ビットレートに対応する各ビデオデータのソーティング結果を生成し、前記ソーティング結果を降順にトラバースする段階と、
前記基地局により、トラバーサル手順において、予め設定されたリソース条件を満たすことができる最小計算比率を選択する段階と、
前記基地局により、前記予め設定されたリソース条件を満たすことができる前記最小計算比率より大きい又はそれに等しい計算比率に対応するビデオデータに従って、各ビデオデータに対応する現在最大伝送ビットレートを別々に選択する段階と
を含み、
各ビデオデータの前記現在最大伝送ビットレートに対応する計算比率が前記予め設定されたリソース条件を満たすことができる前記最小計算比率より大きい又はそれに等しく、前記予め設定されたリソース条件は、前記マルチキャスト伝送モードにおいて消費されるリソースが第１のサブフレーム数量閾値より少ないこと、及び、前記マルチキャスト伝送モード及び前記ユニキャスト伝送モードにおいて消費される総リソースが第２のサブフレーム数量閾値より少ないことである、
請求項２０に記載の方法。
【請求項２２】
前記チャネル品質情報は、前記ユーザ装置により前記ユニキャスト伝送モードにおいて測定される信号対干渉雑音比（ＳＩＮＲ）パラメータと、前記ユーザ装置により前記マルチキャスト伝送モードにおいて測定される信号対干渉雑音比パラメータとを含み、又は、
前記チャネル品質情報は、前記ユーザ装置により前記ユニキャスト伝送モードにおいて測定される信号対干渉雑音比パラメータと、前記マルチキャスト伝送モードにおける現在の前記基地局のチャンネル品質とを含み、ここで前記マルチキャスト伝送モードにおける現在の前記基地局のユーザ装置カバレッジが、予め設定されたカバレッジ閾値を超える、
請求項２０又は２１に記載の方法。
【請求項２３】
前記ビデオデータの前記伝送ビットレートを更新するよう、測定時間間隔が前記測定構成情報に含まれる測定期間に達する場合、前記基地局により、更新されたチャネル品質情報を受信し、前記決定情報を更新する段階
をさらに備える
請求項１９から２２の何れか一項に記載の方法。
【請求項２４】
前記基地局により、前記伝送変換装置に一次基地局識別情報を送信する段階であって、これにより、前記伝送変換装置は、前記一次基地局識別情報に従って、現在の前記基地局が前記一次基地局であると判断する、段階
をさらに備える
請求項１６から２３の何れか一項に記載の方法。
【請求項２５】
ビデオデータ伝送方法であって、
伝送変換装置により、ユニキャストサービスネットワーク要素のビデオサービス情報を取得する段階と、
前記伝送変換装置により、基地局に前記ビデオサービス情報を送信する段階であって、これにより、選択装置により選択される一次基地局である前記基地局は、前記ビデオサービス情報と取得した各ユーザ装置のチャネル品質情報とに従って、決定情報を生成する、段階と、
前記伝送変換装置により、前記基地局により送信される前記決定情報を受信し、前記ユニキャストサービスネットワーク要素とマルチキャストサービスネットワーク要素とに、前記決定情報を別々に送信する段階であって、これにより、前記ユニキャストサービスネットワーク要素と前記マルチキャストサービスネットワーク要素とはそれぞれ、ビデオデータのユニキャスト伝送を実行し、ビデオデータのマルチキャスト伝送を実行する、段階と
を備える
方法。
【請求項２６】
前記伝送変換装置により、基地局に前記ビデオサービス情報を送信する前記段階は、
前記伝送変換装置により、予め設定されたＩＰネットワークベースインタフェースを用いて、前記基地局に前記ビデオサービス情報を送信する段階
を含み、
前記ビデオサービス情報は、前記ユーザ装置により要求される前記ビデオデータのアドレスと、前記ビデオデータの前記アドレスに対応するビデオビットレートクラス情報を含み、前記ビットレートクラス情報は、前記ビデオデータに対応する少なくとも１つのビットレートを含み、前記ＩＰネットワークベースインタフェースは、前記基地局と前記伝送変換装置とに接続するインタフェースである、
請求項２５に記載の方法。
【請求項２７】
前記決定情報は、前記ビデオデータの伝送モードと前記ビデオデータの伝送ビットレートとを含む、
請求項２５又は２６に記載の方法。
【請求項２８】
ビデオデータ伝送方法であって、
選択装置により、一次基地局と二次基地局とを選択し、前記一次基地局についての情報と前記二次基地局についての情報とを含む選択結果を生成する段階と、
前記選択装置により、前記選択結果とユーザ装置にチャネル品質試験を実行するよう命令するのに用いられる測定構成情報とを基地局に送信する段階であって、これにより、前記基地局は、ビデオデータのユニキャスト伝送及び／又はマルチキャスト伝送を実行するのに用いられる決定情報を生成するよう、前記選択結果と前記測定構成情報とに従って、チャネル品質情報を取得する、段階と
を備え、
前記選択結果を受信する前記基地局は、前記選択結果における前記一次基地局についての前記情報に対応する基地局である、
方法。
【請求項２９】
選択装置により、一次基地局と二次基地局とを選択する前記段階は、
ネットワークから一の基地局を前記一次基地局としてランダムに選択し、前記ネットワークにおける別の基地局を前記二次基地局として用いる段階、又は、
ネットワークから、最も多いユーザ装置に接続される一の基地局を前記一次基地局として選択し、前記ネットワークにおける別の基地局を前記二次基地局として用いる段階、若しくは、
ネットワークから、最良のハードウェア性能を提供する一の基地局を前記一次基地局として選択し、前記ネットワークにおける別の基地局を前記二次基地局として用いる段階
を含む、
請求項２８に記載の方法。
【請求項３０】
前記選択装置により、一次基地局と二次基地局を選択し、選択結果を生成する前記段階の前に、前記方法は、
前記選択装置により、ポリシ及び課金ルール機能ネットワーク要素（ＰＣＲＦネットワーク要素）により送信される、現在の前記選択装置に対応するユーザ装置の識別情報とＥ−ＵＴＲＡＮセルグローバル識別子（ＥＣＧＩ）とを受信する段階と、
前記選択装置により、前記ユーザ装置の前記識別情報と前記ＥＣＧＩとに従って検索することによって、前記ユーザ装置に対応する基地局を得て、前記ユーザ装置の前記識別情報を前記対応する基地局に送信する段階と
をさらに備え、
前記ユーザ装置の前記識別情報と前記ＥＣＧＩとは前記ＰＣＲＦネットワーク要素により、ユニキャストサービスネットワーク要素により送信されるユーザ装置ネットワークアドレスに従って検索することによって、得られる、
請求項２８又は２９に記載の方法。
【請求項３１】
コンピュータに請求項１６から２４の何れか一項に記載の方法を実行させるプログラム。
【請求項３２】
コンピュータに請求項２５から２７の何れか一項に記載の方法を実行させるプログラム。
【請求項３３】
コンピュータに請求項２８から３０の何れか一項に記載の方法を実行させるプログラム。
【請求項３４】
請求項３１から３３の何れか一項に記載のプログラムを格納するコンピュータ記憶媒体。
【手続補正２】
【補正対象書類名】明細書
【補正対象項目名】０００２
【補正方法】変更
【補正の内容】
【０００２】
従来のダイナミック・アダプティブ・ストリーミング・オーバ・エイチ・ティ・ティ・ピー（ＤＡＳＨ）サービスでは、ハイパーテキスト転送プロトコル（ＨＴＴＰ）ベースのユニキャスト伝送を用いる。ユニキャストサービスでは、ＤＡＳＨサービスを要求するユーザが少数な場合には良好な効果を提供し、特にチャンネル品質不良なユーザには良好な効果を提供する。
【手続補正３】
【補正対象書類名】明細書
【補正対象項目名】００５４
【補正方法】変更
【補正の内容】
【００５４】
本願発明の複数の実施形態における複数の技術的解決手段をより明確に説明するために、以下では、複数の実施形態を説明するのに必要な複数の添付の図面を簡潔に説明する。以下の説明における複数の添付の図面は、本願発明のいくつかの実施形態を示すに過ぎず、当業者は、創造努力することなくこれらの添付の図面から複数の他の図面をさらに導き出し得ることが明らかである。
【手続補正４】
【補正対象書類名】明細書
【補正対象項目名】００７３
【補正方法】変更
【補正の内容】
【００７３】
以下では、本願発明の複数の実施形態における複数の添付の図面を参照して、本願発明の複数の実施形態における複数の技術的解決手段を明確に説明する。説明される複数の実施形態は、本願発明の複数の実施形態の一部に過ぎず、全てではないことが明らかである。本願発明の複数の実施形態に基づいて、当業者により創造努力することなく得られる他の全ての実施形態が本願発明の保護範囲内に含まれるべきである。
【手続補正５】
【補正対象書類名】明細書
【補正対象項目名】００８１
【補正方法】変更
【補正の内容】
【００８１】
測定構成情報は、ユーザ装置の、チャンネル品質に対する測定パラメータと測定期間とを含み得る。ユーザ装置がマルチキャスト伝送モードにおいてチャネル品質を測定する性能を有する場合、ユーザ装置の、チャンネル品質に対する測定パラメータは、ユニキャスト伝送モードにおけるチャンネル品質の測定パラメータと、マルチキャスト伝送モードにおけるチャンネル品質の測定パラメータとを含み得る。又は、ユーザ装置がマルチキャスト伝送モードにおいてチャネル品質情報を測定する性能を有しない場合、ユーザ装置の、チャンネル品質に対する測定パラメータは、ユニキャスト伝送モードにおけるチャンネル品質の測定パラメータを含み得る。
【手続補正６】
【補正対象書類名】明細書
【補正対象項目名】００８２
【補正方法】変更
【補正の内容】
【００８２】
チャネル品質情報は、現在の基地局に接続されるユーザ装置のチャネル品質情報と、二次基地局に接続されるユーザ装置のチャネル品質情報とを含む。チャネル品質情報は、ユーザ装置によりユニキャスト伝送モードにおいて測定される信号対干渉雑音比（ＳＩＮＲ）パラメータ、又は、ユーザ装置によりユニキャスト伝送モードにおいて及びマルチキャスト伝送モードにおいて別々に測定されるＳＩＮＲ信号対干渉雑音比パラメータである。
【手続補正７】
【補正対象書類名】明細書
【補正対象項目名】００８６
【補正方法】変更
【補正の内容】
【００８６】
具体的に、決定モジュール１３は、チャネル品質情報と、伝送変換装置から取得したビデオサービス情報とに従って、決定情報を生成し、伝送変換装置にその決定情報を送信し得る。決定情報は、ビデオデータの伝送モードと伝送ビットレートとを含む。伝送変換装置は、ユニキャストサービスネットワーク要素とマルチキャストサービスネットワーク要素とに、決定情報を送信し得る。この場合、ユニキャストサービスネットワーク要素は、決定情報に含まれる、ビデオデータの伝送モードと伝送ビットレートに従って、対応するＤＡＳＨビデオデータのユニキャスト伝送を現在の伝送ビットレートで実行してよく、マルチキャストサービスネットワーク要素は、決定情報に含まれる、ビデオデータの伝送モードと伝送ビットレートとに従って、対応するＤＡＳＨビデオデータのマルチキャスト伝送を現在の伝送ビットレートで実行してよい。例えば、少数のユーザに要求されるビデオデータが、ユニキャスト伝送モードにおいて伝送されてよく、多数のユーザに同時に要求されるビデオデータが、マルチキャスト伝送モードにおいて伝送されてよく、例えば、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、マルチキャストブロードキャスト単一周波数ネットワーク）伝送モードにおいて伝送されてよい。この混合ユニキャスト及びマルチキャスト伝送モードにおいて、周波数リソースを減少させることができ、スペクトル利用率を増加させることができ、これにより、ＤＡＳＨサービスがネットワーク帯域幅などの無線リソースをより良く用いることができる。
【手続補正８】
【補正対象書類名】明細書
【補正対象項目名】００８７
【補正方法】変更
【補正の内容】
【００８７】
マルチキャストサービスネットワーク要素は、ブロードキャスト／マルチキャストサービスセンタ（ＢＭ−ＳＣ）ネットワーク要素であり得る。伝送変換装置は、ＤＡＳＨサービスのユニキャスト及びマルチキャスト変換を実行するよう構成される新たに追加される制御管理エンティティである。伝送変換装置は、ＤＡＳＨプロキシネットワーク要素、ＢＭ−ＳＣネットワーク要素、又はパブリックデータネットワークゲートウェイ（Ｐ−ＧＷ）などのエンティティ内に配置され得る。伝送変換装置が新たに追加されるエンティティであるため、伝送変換装置と基地局との間に通信を実行するための定義されたインタフェースが存在しない。従って、マルチメディア・ブロードキャストマルチキャスト・ゲートウェイと基地局との間の既存のインタフェースを参照してよく、インタフェースは、純ユーザプレーンインタフェースで、インターネットプロトコル（ＩＰ）ネットワークベースのインタフェースであり、これにより、伝送変換装置と基地局との間に定義されるインタフェースが、マルチメディア・ブロードキャストマルチキャスト・ゲートウェイと基地局との間に定義されたインタフェースと同じである。
【手続補正９】
【補正対象書類名】明細書
【補正対象項目名】００８８
【補正方法】変更
【補正の内容】
【００８８】
ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置は、ユーザ装置により要求され、ユニキャストサービスネットワーク要素により送信されるビデオデータのアドレスユニフォームリソースロケータ（ＵＲＬ）とビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正１０】
【補正対象書類名】明細書
【補正対象項目名】００９５
【補正方法】変更
【補正の内容】
【００９５】
具体的に、伝送モード選択ユニット１３１が対応する伝送モードを選択した後、伝送ビットレート選択ユニット１３２は、容量最大化規則と、チャネル品質情報と、伝送変換装置から取得したビデオサービス情報とに従って、ビデオデータの伝送ビットレートを選択し得る。第一に、伝送ビットレート選択ユニット１３２は、チャネル品質情報に従って、選択された伝送モードにおける各ビデオデータのユニット消費リソースであってビデオビットレートクラス情報の各ビットレートに対応するユニット消費リソースを別々に計算し得る。次に、伝送ビットレート選択ユニット１３２は、各ビデオデータの各ＤＡＳＨビットレートに対応するビデオ品質のＰＳＮＲに従って、かつ、対応するユニット消費リソースに従って、各ビデオデータに対応する伝送モードの伝送ビットレートを選択し得る。伝送ビットレート選択ユニット１３２により伝送ビットレートを選択する一の目的が、各ＲＢ上でより高いＲＳＮＲをもたらすサービスを可能な限り優先的に提供し、又は各ＲＢ上でより高いＲＳＮＲをもたらすユーザに可能な限り優先的にサービス提供をすることである。
【手続補正１１】
【補正対象書類名】明細書
【補正対象項目名】００９８
【補正方法】変更
【補正の内容】
【００９８】
チャネル品質情報は、ユーザ装置によりユニキャスト伝送モードにおいて測定される信号対干渉雑音比パラメータと、ユーザ装置によりマルチキャスト伝送モードにおいて測定される信号対干渉雑音比パラメータとを含んでよく、又は、チャネル品質情報は、ユーザ装置によりユニキャスト伝送モードにおいて測定される信号対干渉雑音比パラメータと、マルチキャスト伝送モードにおける基地局のチャンネル品質とを含み、ここで、マルチキャスト伝送モードにおける現在の基地局のユーザ装置カバレッジが、予め設定されたカバレッジ閾値を超える。
【手続補正１２】
【補正対象書類名】明細書
【補正対象項目名】０１０９
【補正方法】変更
【補正の内容】
【０１０９】
具体的に、ユニット消費計算サブユニット１３２１によりマルチキャスト伝送モードにおいて計算されるユニット消費リソースの値が、各ビデオデータに対応する各ＤＡＳＨビットレートの、マルチキャストチャネル品質に対応する、ユニットリソースブロックの伝送レートに対する比率に等しく、ここで、マルチキャストチャネル品質は、チャネル品質情報内の最小マルチチャネル品質である。特定のビデオデータに対応する特定のビットレートに対して、ユニット消費計算サブユニット１３２１によりユニキャスト伝送モードにおいて計算されるユニット消費リソースの値が、ビットレートの、ユニキャストチャネル品質に対応する、ユニットリソースブロックの伝送レートに対する比率の合計に等しく、ここで、ユニキャストチャネル品質は、ビデオデータを要求する各ユーザ装置のユニキャスト伝送モードにおけるチャンネル品質である。
【手続補正１３】
【補正対象書類名】明細書
【補正対象項目名】０１２０
【補正方法】変更
【補正の内容】
【０１２０】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正１４】
【補正対象書類名】明細書
【補正対象項目名】０１２４
【補正方法】変更
【補正の内容】
【０１２４】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。ビデオ情報取得モジュール１４は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置は、ユニキャストサービスネットワーク要素により送信される、ユーザ装置により要求されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正１５】
【補正対象書類名】明細書
【補正対象項目名】０１２９
【補正方法】変更
【補正の内容】
【０１２９】
上述から分かるように、本願発明のこの実施形態によれば、決定情報は、ユーザ装置のチャネル品質情報とビデオサービス情報とを収集することによって、容量最大化規則に基づいて、生成されてよく、これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正１６】
【補正対象書類名】明細書
【補正対象項目名】０１４２
【補正方法】変更
【補正の内容】
【０１４２】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正１７】
【補正対象書類名】明細書
【補正対象項目名】０１４５
【補正方法】変更
【補正の内容】
【０１４５】
具体的に、ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。取得モジュール２１は、ユニキャストサービスネットワーク要素からビデオサービス情報を取得し得る。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置２は、ユニキャストサービスネットワーク要素により送信される、ユーザ装置により要求されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正１８】
【補正対象書類名】明細書
【補正対象項目名】０１５３
【補正方法】変更
【補正の内容】
【０１５３】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正１９】
【補正対象書類名】明細書
【補正対象項目名】０１６０
【補正方法】変更
【補正の内容】
【０１６０】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２０】
【補正対象書類名】明細書
【補正対象項目名】０１６７
【補正方法】変更
【補正の内容】
【０１６７】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２１】
【補正対象書類名】明細書
【補正対象項目名】０１７４
【補正方法】変更
【補正の内容】
【０１７４】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２２】
【補正対象書類名】明細書
【補正対象項目名】０１８１
【補正方法】変更
【補正の内容】
【０１８１】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２３】
【補正対象書類名】明細書
【補正対象項目名】０１８３
【補正方法】変更
【補正の内容】
【０１８３】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２４】
【補正対象書類名】明細書
【補正対象項目名】０１９９
【補正方法】変更
【補正の内容】
【０１９９】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置は、ユーザ装置により要求されてユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正２５】
【補正対象書類名】明細書
【補正対象項目名】０２０１
【補正方法】変更
【補正の内容】
【０２０１】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２６】
【補正対象書類名】明細書
【補正対象項目名】０２１４
【補正方法】変更
【補正の内容】
【０２１４】
ビデオサービス情報は、ユーザ装置により要求されるビデオデータのアドレスと、ビデオデータのアドレスに対応するビデオビットレートクラス情報とを含み、ここで、ビットレートクラス情報は、ビデオデータに対応する少なくとも１つのビットレートを含む。基地局は、伝送変換装置内のビデオサービス情報を収集し得る。伝送変換装置は、ユニキャストサービスネットワーク要素からビデオサービス情報を取得する。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置は、ユーザ装置により要求され、ユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正２７】
【補正対象書類名】明細書
【補正対象項目名】０２２６
【補正方法】変更
【補正の内容】
【０２２６】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正２８】
【補正対象書類名】明細書
【補正対象項目名】０２５３
【補正方法】変更
【補正の内容】
【０２５３】
具体的に、ビデオサービス情報は、ユーザ装置により要求されるビデオデータのアドレスと、ビデオデータのアドレスに対応するビデオビットレートクラス情報とを含み、ビットレートクラス情報は、ビデオデータに対応する少なくとも１つのビットレートを含む。伝送変換装置は、ユニキャストサービスネットワーク要素からビデオサービス情報を取得し得る。ユニキャストサービスネットワーク要素が、ユーザ装置に、ＤＡＳＨサーバにより返されるメディアプレゼンテーション記述を伝送する場合、ユニキャストサービスネットワーク要素は、そのメディアプレゼンテーション記述を傍受して解析し、これにより、ビデオサービス情報を取得する。例えば、伝送変換装置は、ユーザ装置により要求され、ユニキャストサービスネットワーク要素により送信されるビデオデータのＵＲＬアドレスとビデオビットレートクラス情報とを取得してよく、ここで、ビデオビットレートクラス情報は、６８８ｋｂｐｓ、１４２７ｋｂｐｓ、及び２０５６ｋｂｐｓを含む。
【手続補正２９】
【補正対象書類名】明細書
【補正対象項目名】０２６１
【補正方法】変更
【補正の内容】
【０２６１】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正３０】
【補正対象書類名】明細書
【補正対象項目名】０２７２
【補正方法】変更
【補正の内容】
【０２７２】
上述から分かるように、本願発明のこの実施形態によれば、決定情報は、ユーザ装置のチャネル品質情報とビデオサービス情報とを収集することによって、容量最大化規則に基づいて、生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【手続補正３１】
【補正対象書類名】明細書
【補正対象項目名】０２８５
【補正方法】変更
【補正の内容】
【０２８５】
上述から分かるように、本願発明のこの実施形態によれば、決定情報は、ユーザ装置のチャネル品質情報とビデオサービス情報とを収集することによって、容量最大化規則に基づいて生成され得る。これにより、ユニキャストサービスネットワーク要素とマルチキャストサービスネットワーク要素とがそれぞれ、決定情報に従って、ユニキャストを用いて又はマルチキャストを用いて伝送されるべき対応するＤＡＳＨビデオデータを制御し得る。従って、ユニキャスト及びマルチキャストのハイブリッド伝送モードをサポートするＤＡＳＨサービスが、ネットワーク帯域幅などの無線リソースをより良く用いることができ、複数のユーザにより高いビデオ品質を提供することができ、これにより、様々なユーザの要求を満たす。
【国際調査報告】
2017513287.tif 000021
2017513287.tif 000022
2017513287.tif 000023
2017513287.tif 000024